(57)【要約】【課題】【解決手段】  本開示は、第２ポリマページ（７１）に隣接する第１ポリマページ（１１）を有する機密文書（１０，７０）に関する。第１ポリマページ（１１）は第１ポリマ基板（２０）を有し、第２ポリマページ（７１）は第２ポリマ基板（７２）を有する。第１ポリマ基板（２０）は、第２ポリマ基板（７２）と異なる構造及び／又は材料を有する。第２ポリマページ（７１）は、第１ポリマページ（１１）より厚い。本開示はさらに、少なくとも１枚のさらなるページ（１２）に隣接するポリマページ（１１）を有する機密文書（１０，７０）に関する。さらなるページ（１２）は、繊維性基板又はポリマを有し得る。本開示はさらに、そのような機密文書（１０，７０）及び複数のそのような機密文書（１０，７０）を製造する方法に関する。【選択図】図５
2019515810.tif 000002
【特許請求の範囲】
【請求項１】
第２ポリマページに隣接する第１ポリマページを有する機密文書であって、
前記第１ポリマページは、第１ポリマ基板を備えており、
前記第２ポリマページは、第２ポリマ基板を備えており、
前記第１ポリマ基板は、前記第２ポリマ基板と異なる構造及び／又は材料であり、
前記第２ポリマページは前記第１ポリマページよりも厚い、機密文書。
【請求項２】
前記第１ポリマ基板は、柔軟性フィルムを備えており、かつ／又は、前記第２ポリマ基板は、硬質プラスチックシートを備えている、請求項１に記載の機密文書。
【請求項３】
前記第２ポリマ基板は、融合した複数のプラスチック層から形成される、請求項１又は２に記載の機密文書。
【請求項４】
前記第１ポリマ基板は、前記第２ポリマ基板とは異なる合成ポリマを有する、請求項１〜３のいずれか１つに記載の機密文書。
【請求項５】
前記第２ポリマ基板はレーザマーキングが可能であり、前記第１ポリマ基板はレーザマーキングが可能でない、請求項４に記載の機密文書。
【請求項６】
前記第１ポリマ基板は、ポリプロピレン、二軸配向ポリプロピレン、ポリブチレン・テレフタレート、テレフタル酸ポリエチレン、ポリエチレン、ポリ塩化ビニル、ナイロン、アクリル、環状オレフィン系ポリマ若しくは環状オレフィン系共重合体のうちの少なくとも１つ又はそれらの混合物を含む、請求項１〜５のいずれか１つに記載の機密文書。
【請求項７】
前記第２ポリマ基板は、ポリカーボネイトを含む、請求項１〜６のいずれか１つに記載の機密文書。
【請求項８】
前記第１ポリマページは、前記第１ポリマ基板の少なくとも１つの表面に、少なくとも１つの不透明な層を備えている、請求項１〜７のいずれか１つに記載の機密文書。
【請求項９】
前記第２ポリマ基板は、第１外側表面と、第２外側表面と、前記第１外側表面及び／又は前記第２外側表面に隣接する少なくとも１つの実質的に透明な領域と、少なくとも１つの前記実質的に透明な領域によって、前記第１外側表面及び／又は前記第２外側表面から離隔して配置される実質的に不透明な領域とを有する、請求項１〜８のいずれか１つに記載の機密文書。
【請求項１０】
前記第１ポリマページの厚さは、約５０μｍ〜約２００μｍ又は約５０μｍ〜約１５０μｍの範囲にあり、かつ／又は、前記第２ポリマ基板の厚さは、少なくとも約３００μｍ、少なくとも約５００μｍ若しくは少なくとも約８００μｍである、請求項１〜９のいずれか１つに記載の機密文書。
【請求項１１】
前記第１ポリマページ及び／又は前記第２ポリマページは、個人データを有する、請求項１〜１０のいずれか１つに記載の機密文書。
【請求項１２】
前記第１ポリマページの個人データは、異なる適用方法によって適用されるため、前記第２ポリマページの個人データと異なる構成である、請求項１１に記載の機密文書。
【請求項１３】
前記第１ポリマページの前記個人データは、印刷インク又はレーザアブレーションを有しており、前記第２ポリマページの前記個人データはレーザマーキングを有する、請求項１２に記載の機密文書。
【請求項１４】
前記第１ポリマページは、少なくとも１つの第１セキュリティ装置を有しており、前記第２ポリマページは、少なくとも１つの第３セキュリティ装置を有しており、備えられていれば、隣接ページは少なくとも１つの第２セキュリティ装置を有している、請求項１〜１３のいずれか１つに記載の機密文書。
【請求項１５】
前記第１ポリマページ及び／又は前記第２ポリマページは、少なくとも一部が透明な前記第１ポリマ基板及び／又は前記第２ポリマ基板の少なくとも１つのウィンドを構成する、請求項１〜１４のいずれか１つに記載の機密文書。
【請求項１６】
前記少なくとも１つの第１セキュリティ装置、前記少なくとも１つの第２セキュリティ装置及び／若しくは前記少なくとも１つの第３セキュリティ装置は、前記第１ポリマページと前記第２ポリマページとが互いに重なり合って配置されると、前記少なくとも１つの第１セキュリティ装置、前記少なくとも１つの第２セキュリティ装置及び／若しくは前記少なくとも１つの第３セキュリティ装置が、前記第１ポリマページ及び／又は前記第２ポリマページの少なくとも１つのウィンドを介して反射光で見えるように配置されている、請求項１４又は１５に記載の機密文書。
【請求項１７】
前記少なくとも１つの第１セキュリティ装置及び／又は前記少なくとも１つの第３セキュリティ装置は、前記第１ポリマページ及び／又は前記第３ポリマページの前記少なくとも１つのウィンドの外側に配置される、請求項１６に記載の機密文書。
【請求項１８】
前記第１ポリマページ及び前記第２ポリマページが互いに重なって配置されると、前記少なくとも１つの第１セキュリティ装置と前記少なくとも１つの第３セキュリティ装置は、
前記少なくとも１つの第３セキュリティ装置を、前記第１ポリマページの前記少なくとも１つのウィンドを介して反射光で見ることができるとき、前記少なくとも１つの第１セキュリティ装置を前記第１ポリマページ上で反射光により見ることができるように配置される、又は、
前記少なくとも１つの第１セキュリティ装置を、前記第２ポリマページの前記少なくとも１つのウィンドを介して反射光で見ることができるとき、前記少なくとも１つの第３セキュリティ装置を前記第２ポリマページ上で反射光により見ることができるように配置される、請求項１７に記載の機密文書。
【請求項１９】
第１不透明層と第２不透明な層が、前記ポリマ基板の対向する外側表面に配置されており、
前記第１不透明層、及び／又は、前記第２不透明層は、相当する局所領域において除かれており、少なくとも１つのフルウィンド又はハーフウィンドを形成する、請求項１５〜１８のいずれか１つに記載の機密文書。
【請求項２０】
前記不透明な領域の少なくとも一部が、少なくとも１つの第３の実質的に透明な領域の一部を囲み、少なくとも１つのウィンドを形成する、請求項１５〜１９のいずれか１つに記載の機密文書。
【請求項２１】
前記第１ポリマページ又は前記第２ポリマページにおける少なくとも１つのウィンドは、前記第２ポリマページ又は前記第１ポリマページにおける少なくとも１つの隣接ウィンドより小さい、請求項１５〜２０のいずれか１つに記載の機密文書。
【請求項２２】
前記第１ポリマページ又は前記第２ポリマページに隣接する複数のページを有し、
前記複数のページはそれぞれ、繊維性基板を有する、請求項１〜２１のいずれか１つに記載の機密文書。
【請求項２３】
前記第１ポリマページと、前記第２ポリマページと、備えられていれば、前記複数のページとが折り線に沿って互いに接着されている、請求項１〜２２にいずれか１つに記載の機密文書。
【請求項２４】
前記複数のページは複数のビザページを有し、パスポートを形成する、請求項２２又は２３に記載の機密文書。
【請求項２５】
前記機密文書はそれぞれ、異なる個人データを有する、請求項１１〜２４のいずれか１つに記載の複数の機密文書。
【請求項２６】
フィルムのウェブから前記第１ポリマページを形成する工程と、
ラミネータにおいて、複数のプラスチック層を融合することによって、前記第２ポリマページを形成する工程と、
前記第１ポリマページと前記第２ポリマページを機密文書に組み込む工程と、を有する、請求項１〜２５に記載のいずれか１つに記載の機密文書を製造する方法。
【請求項２７】
少なくとも１枚のさらなるページに隣接するポリマページを有する機密文書であって、
前記ポリマページは、ポリマ基板と、前記ポリマ基板の少なくとも一面に少なくとも１つの不透明層とを備えており、
前記ポリマページと前記少なくとも１枚のさらなるページが互いに重なり合って配置されているとき、前記ポリマページを反射光でみると、前記隣接したさらなるページを少なくとも１つのウィンドにおいて見ることができるように、前記少なくとも１つの不透明層は少なくとも１つの局所領域において除かれ、前記少なくとも１つのウィンドを形成する、機密文書。
【請求項２８】
前記ポリマページはさらに、少なくとも一部が前記少なくとも１つのウィンド内に配置されている少なくとも１つの第１セキュリティ装置を有しており、前記少なくとも１枚のさらなるページは、少なくとも１つのさらなるセキュリティ装置を有しており、
前記ポリマページと前記少なくとも１枚のさらなるページが互いに重なり合って配置されているとき、前記ポリマページを反射光で見ると、前記第１セキュリティ装置と前記さらなるセキュリティ装置とを見ることができる、請求項２７に記載の機密文書。
【請求項２９】
前記ポリマページはさらに、前記少なくとも１つのウィンドの外側に配置された少なくとも１つの第１セキュリティ装置を備えており、
前記ポリマページと前記少なくとも１枚のさらなるページとが互いに重なり合って配置されているとき、前記ポリマページを反射光で見ると、前記第１セキュリティ装置と前記さらなる装置とを見ることができ、
前記第１セキュリティ装置は、前記少なくとも１つのウィンドの外側で見ることができ、前記さらなるセキュリティ装置は、前記少なくとも１つのウィンド内で見ることができる、請求項２７に記載の機密文書。
【請求項３０】
第１不透明層と第２不透明層が、前記ポリマ基板の対向する外側表面に配置されており、
前記第１不透明層と前記第２不透明層は、対応する局所領域において除かれ、少なくとも１つのフルウィンドを形成する、請求項２８又は請求項２９に記載の機密文書。
【請求項３１】
前記第１不透明層と前記第２不透明層は、前記ポリマ基板の対向する外側表面に配置されており、
前記第１不透明層と前記第２不透明層のうち一方のみが、相当する局所領域において除かれ、少なくとも１つのハーフウィンドを形成する、請求項２８〜３０のいずれか１つに記載の機密文書。
【請求項３２】
前記少なくとも１枚のさらなるページは隣接ページを備えており、前記隣接ページは繊維性基板を備える、請求項２７〜３１のいずれか１に記載の機密文書。
【請求項３３】
前記隣接ページは、前記繊維性基板に配置された、又は、一部が前記繊維性基板内に配置された第２セキュリティ装置を備える、請求項３２に記載の機密文書。
【請求項３４】
前記第２セキュリティ装置は、前記繊維性基板内に一部が埋め込まれ、かつ、前記少なくとも１つのウィンド内に少なくとも１つの露出領域を有するセキュリティスレッドを備える、請求項３３に記載の機密文書。
【請求項３５】
前記ポリマページは、第１ポリマ基板を有する第１ポリマページであり、前記さらなるページは、第２ポリマ基板を有する第２ポリマページを有する、請求項２７〜３４のいずれか１つに記載の機密文書。
【請求項３６】
前記第２ポリマページは、前記第２ポリマページ上に配置されている、又は、少なくとも一部が前記第２ポリマページ内に埋め込まれている、少なくとも１つの第３セキュリティ装置を備える、請求項３５に記載の機密文書。
【請求項３７】
前記第２ポリマページは、少なくとも１つのウィンドを有し、
前記第３セキュリティ装置は、前記第１ポリマページと前記第２ポリマページが互い重なるとき、前記第１セキュリティ装置と前記第２セキュリティ装置とを前記ウィンド内で見ることができるように、少なくとも一部が前記少なくとも１つのウィンドと重なる、請求項３５又は３６に記載の機密文書。
【請求項３８】
前記セキュリティ装置はそれぞれ、少なくとも１つの構成要素及び／又はキャリア基板を有する、請求項２８〜３７のいずれか１つに記載の機密文書。
【請求項３９】
前記セキュリティ装置及び／又は前記構成要素の少なくとも１つの境界線は、認識可能なパターン、証印、英数字、シンボル若しくは図形の形状である、請求項３８に記載の機密文書。
【請求項４０】
前記少なくとも１つの第１セキュリティ装置は、少なくとも１つのさらなるセキュリティ装置と同一である、又は、前記少なくとも１つのさらなるセキュリティ装置の少なくとも１つの構成要素と同一の少なくとも１つの構成要素を有する、請求項２８〜３９のいずれか１つに記載の機密文書。
【請求項４１】
前記第１及セキュリティ装置及び／又は前記さらなるセキュリティ装置のうちの少なくとも１つは、変換情報を形成する、請求項２８〜４０のいずれか１つに記載の機密文書。
【請求項４２】
前記第１セキュリティ装置及び／又は前記さらなるセキュリティ装置は、前記少なくとも１つのウィンド内で互いに隣接して見ることができる、請求項２６〜４１のいずれか１つに記載の機密文書。
【請求項４３】
前記第１セキュリティ装置及び／又は前記さらなるセキュリティ装置は、完成図の一部を形成し、
前記完成図は、前記ポリマページと前記さらなるページが互いに重なるとき、前記少なくとも１つのウィンドを介して見ることができる、請求項４２に記載の機密文書。
【請求項４４】
前記第１セキュリティ装置及び／又は前記さらなるセキュリティ装置は、実質的に不透明なマスクであり、
前記セキュリティ装置とは別の少なくとも１つの装置は、前記不透明なマスクによって、前記第１セキュリティ装置及び／又は前記さらなるセキュリティ装置周辺に隣接して形成された、レーザマーキングを有する、請求項４２又は４３に記載の機密文書。
【請求項４５】
前記第１セキュリティ装置及び／又は前記さらなるセキュリティ装置は、前記ポリマページと前記さらなるページが互いに重なると、互いに実質的に重なる、請求項２８〜４４のいずれか１つに記載の機密文書。
【請求項４６】
前記第１ポリマページ又は前記第２ポリマページにおける前記少なくとも１つのウィンドは、前記第２ポリマページ又は前記第１ポリマページにおける少なくとも１つの隣接ウィンドより小さく、
前記第２セキュリティ装置は、内側領域と外側領域を有し、前記第１ポリマページと前記第２ポリマページと隣接ページとが互いに重なると、前記より小さいウィンドにより、前記外側領域が視界から遮られる、請求項３７〜４５のいずれか１つに記載の機密文書。
【請求項４７】
前記第１セキュリティ装置及び／又は前記さらなるセキュリティ装置は、少なくとも一部が透明であり、そのため、別のセキュリティ装置のうちの少なくとも１つが前記第１セキュリティ装置及び／又は前記さらなるセキュリティ装置を介して見ることができる、請求項２８〜４６のいずれか１つに記載の機密文書。
【請求項４８】
前記第１セキュリティ装置及び／又は前記第３第２セキュリティ装置は、フィルタを有する、請求項４７に記載の機密文書。
【請求項４９】
前記第１セキュリティ装置及び／又は前記さらなるセキュリティ装置は、少なくとも１つの集束素子を有しており、
前記少なくとも１つの集束素子は、前記少なくとも１つの集束素子を介して見ると、前記第１セキュリティ装置及び／又は前記さらなるセキュリティ装置とは別のものによって形成されたパターンの画像を形成するように配置されている、請求項４７又は４８に記載の機密文書。
【請求項５０】
前記第１セキュリティ装置及び／又は前記さらなるセキュリティ装置は、集束素子アレイを有しており、
少なくとも１つの他のセキュリティ装置は、前記集束素子アレイを介して見ることができる画像アレイを有する、請求項４９に記載の機密文書。
【請求項５１】
前記画像アレイは、マイクロ画像を有し、
前記集束素子のピッチと、前記マイクロ画像アレイと、それらの相対配向は、前記集束素子アレイが前記マイクロ画像と協働し、前記モアレ効果によって前記マイクロ画像アレイの拡大版を生じさせるようになっている、請求項５０に記載の機密文書。
【請求項５２】
前記画像アレイは、第１画像の部分を構成する一組の第１画像素子を有し、
前記第１画像素子は、第２画像の部分を構成する一組の第２画像素子に挟み込まれ、
前記集束素子アレイは、各集束素子が、観測角度に応じて、前記第１画像素子の各々、又は、前記第１画像素子の間の前記第２画像素子の各々からの光を方向付けるように構成され、
それにより、前記観測角度に応じて、前記集束素子アレイは、前記一組の第１画像素子、又は、前記一組の第１画像素子の間の前記第２画像素子からの光を方向付け、
それにより、前記装置が傾けられると、前記第１画像が第１観測角度範囲で観測者にしめされ、前記第２画像が、第２の異なる観測角度範囲で観測者に示される、請求項５０又は５１に記載の機密文書。
【請求項５３】
前記画像アレイは、マイクロ画像アレイを有し、前記マイクロ画像は全て、異なる観測点から同一対象物を示し、前記集束素子アレイ及び前記マイクロ画像アレイのピッチと配向は同一であり、それにより、前記集束素子アレイは、前記マイクロ画像アレイと協働し、前記対象物の拡大された光学可変版を生じさせる、請求項５０〜５２のいずれか１つに記載の機密文書。
【請求項５４】
前記第１セキュリティ装置及び／又は前記さらなるセキュリティ装置は、光学可変特徴部を有するインクを備えており、観測角度が異なると、前記インクの出現が異なる、請求項２８〜５３のいずれか１つに記載の機密文書。
【請求項５５】
前記第１セキュリティ装置及び／又は前記さらなるセキュリティ装置は、インクを有し、
前記インクは変換光学検知可能材料を有する、請求項２８〜５４のいずれか１つに記載の機密文書。
【請求項５６】
前記第１セキュリティ装置及び／又は前記さらなるセキュリティ装置は、レリーフ構造から生じる光学可変効果を有する、請求項２８〜５５のいずれか１つに記載の機密文書。
【請求項５７】
前記第１セキュリティ装置及び／又は前記さらなるセキュリティ装置は、インク、透かし、電子式透かし、スレッド、ストリップ、パッチ、ウィンド、ホログラム、ホイル、ホットホイル、レーザ穿孔、マイクロテキスト、細線パターン、潜像、ＵＶ反応特徴部、光学可変特徴部、窓付けされた又は透明な特徴部、アンテナ、電子チップ、ベネチアンブラインド装置、レンズ状の装置、モアレ干渉装置、モアレ拡大装置、レンズ、ミラー及び／若しくは集束素子のうち、少なくとも１つを備える、請求項２８〜５６のいずれか１つに記載の機密文書。
【請求項５８】
前記第３セキュリティ装置は、前記第２ポリマページの端部の間に広がる実質的に不透明なストリップ形態で前記第２ポリマ基板内に配置された印刷インクを有する、請求項３６〜５７のいずれか１つに記載の機密文書。
【請求項５９】
前記第１セキュリティ装置及び／又は前記さらなるセキュリティ装置は、各機密文書内に同一一致を有する、請求項２８〜５８のいずれか１つに記載の複数の機密文書。
【請求項６０】
ポリマ基板を形成する工程と、前記ポリマ基板の少なくとも一面に少なくとも１つの不透明な層を配置し、少なくとも１つの局所領域において前記少なくとも１つの不透明層を除き、少なくとも１つのウィンドを形成する工程とを含む方法でポリマページを形成する第１工程と、
少なくとも１枚のさらなるページを形成する第２工程と、
前記ポリマページを反射光で見ると、前記少なくとも１枚のさらなるページを前記少なくとも１つのウィンド内で見ることができるように、前記ポリマページと前記少なくとも１枚のさらなるページとが互いに重なるように配置され得るように機密文書内に前記ポリマページと前記少なくとも１枚のさらなるページとを配置する第３工程と、を含む、機密文書を製造する方法。
【請求項６１】
前記ポリマページを反射光で見ると、第１セキュリティ装置とさらなるセキュリティ装置とを前記少なくとも１つのウィンド内で見ることができるように、前記ポリマページと前記少なくとも１枚のさらなるページとが互いに重なるように配置され得るように、
少なくとも１つの前記第１セキュリティ装置の少なくとも一部を前記ポリマページの前記少なくとも１つのウィンド内に配置する工程と、少なくとも１つの前記さらなるセキュリティ装置を前記少なくとも１枚のさらなるページに配置する工程とを有する、請求項６０に記載の方法。
【請求項６２】
前記少なくとも１枚のさらなるページは隣接ページを含み、
前記隣接ページは、
繊維を支持基板に配置し、繊維性支持基板の層を形成することと、
前記繊維性基板の層を前記支持表面から広げることと、
前記繊維性基板の層を乾燥させることと、
少なくとも１つの第２セキュリティ装置を前記繊維性基板上に配置すること、又は、前記少なくとも１つの第２セキュリティ装置の一部を前記繊維性基板内に配置することと、
によって形成される、請求項６２に記載の方法。
【請求項６３】
前記第２セキュリティ装置はセキュリティスレッドを有し、
前記セキュリティスレッドを前記支持基板の隆起領域及び／又は排水制限領域と接触させ、前記セキュリティスレッドの一部を前記繊維性基板に埋め込み、少なくとも１つの露出領域を形成する工程と、
前記繊維性基板の層と前記セキュリティスレッドとを前記支持表面から広げる工程とを、さらに含む、請求項６２に記載の方法。
【請求項６４】
前記ポリマページは第１ポリマページを有し、
前記さらなるページは第２ポリマページを有し、
前記第１ポリマページは、第１ポリマ基板を有し、
前記第２ポリマページは、第２ポリマ基板を有し、
少なくとも１つのウィンドを形成する複数のプラスチック層をラミネータに供給する処理工程と、前記ラミネータ内の前記複数のプラスチック層に熱と圧力を加え、プラスチック基板を形成する処理工程とを含む、前記第２ポリマページを形成する工程をさらに含む、請求項６０〜６３のいずれか１つに記載の方法。
【請求項６５】
少なくとも１つの第３セキュリティ装置の少なくとも一部を前記少なくとも１つのウィンドに組み込む工程を含む、請求項６４に記載の方法。
【請求項６６】
前記複数のプラスチック層が前記ウィンドを形成するために、実質的に透明なインサートを有する、請求項６４〜６６のいずれか１つに記載の方法。
【請求項６７】
前記インサートは少なくとも１つの第３セキュリティ装置を有する、請求項６５に記載の方法。
【請求項６８】
少なくとも１つの第３セキュリティ装置が、１つ以上の前記複数のプラスチック層内に組み込まれる、又は、１つ以上の前記複数のプラスチック層の間に配置される、請求項６５〜６７のいずれか１つに記載の方法。
【請求項６９】
少なくとも１つの第３セキュリティ装置が、前記プラスチック基板の少なくとも一面の外側表面に付加される、請求項６５〜６８のいずれか１つに記載の方法。
【発明の詳細な説明】
【技術分野】
【０００１】
本開示は、第２ポリマページに隣接する第１ポリマページを有する機密文書に関する。本開示はさらに、少なくともさらなる１ページと隣接して取り付けられるポリマページを有する機密文書に関する。さらなるページは、繊維性基板又はポリマを備えていてもよい。本開示はさらに、そのような機密文書とそのような機密文書を多数製造する方法に関する。
【背景技術】
【０００２】
パスポート、通帳、身分証明証、免許証、許可証、小切手帳等のような機密文書やブックレットは、通常、情報が提供されている１以上のセキュリティページを有する。パスポートブックレットは、一般的にカバーとカバーの間に複数の内側ビザページを有する。一般的に、ビザページは、約８５ｇｓｍの坪量を有する紙から作られ、縫い線に沿って縫い合わされる。カバーはビザページの外側に接着されており、それによって、縫い線を保護する。少なくとも１つのデータページは、通常、１枚のビザページとカバーの間に配置されており、通常フィルム又はラッカーとして用いられるポリマラミネートの層により覆われた印刷個人データを含んでいる。この層は、データを保護し、偽造や詐欺的改変を防ぐことに役立つ。データページは、繊維性基板から形成され、透かし、レーザ穿孔、セキュリティ繊維、セキュリティスレッド、セキュリティ印刷等のセキュリティ特徴部を備え得る。
【０００３】
代替として、データページは、プラスチックを含むシートから形成されてもよく、そのプラスチックは、一般的にポリカーボネイトである。プラスチックデータページは、繊維性基板データページより耐久性があり、偽造者による離層を防ぐ。プラスチックセキュリティシートは、例えば、ＵＶ反応装置といった様々なセキュリティ特徴部、光学的可変特徴部、窓付けされた又は透明な特徴部、レーザ穿孔、レーザマーキング及び触知特徴部を備え得る。
【０００４】
製造中、多数の薄いプラスチック層が互いに重なり合い、共に融合され、それによってより厚いプラスチックシートを形成する。より薄い層を融合する最も一般的な方法は、それらの層をスチール又はブラス積層プレートの“サンドイッチ”の間に配置し、該積層プレートを介してより薄いプラスチック層を加熱することを含む。しかしながら、そのような方法は、比較的、各加熱サイクルが約３０分要するため、時間的に非効率であり、積み重ね全体にわたる温度と圧力分布が異なるため、プラスチックシートの非均一な融解と質に至り得る。機密文書用のプラスチックデータページを製造する代替的で半連続的な方法は、ＵＳ−Ｂ−６６６９８１３に開示されている。薄いプラスチック層は、一連の加熱装置と冷却装置を介して２つの対向する連続ベルトの間で徐々に運ばれる前に、融合される。薄いプラスチック層の部分は、連続ベルトによって初めは静止したままにされており、該層は、プラスチックシートに融合するため、加熱装置によって、あわせて圧力をかけられた状態で加熱され、圧縮される。通常１分以下の所定の時間後、連続ベルトは、該部分を冷却装置の間へ移動させ、該部分を冷却し、一般的に１分以下の間、再び加圧する。結果として生じたプラスチックシートは、実質的に均一な質である。
【０００５】
しかしながら、新しく改善されたセキュリティ特徴部は、権力を発する機密文書のために改良され、偽造方法に先行しなければならい。
【発明の概要】
【発明が解決しようとする課題】
【０００６】
そのため、本発明は、通常、実質的に柔軟性があることが好ましいポリマ基板を複数ページの機密文書に組み込むことに関する。そのような柔軟なポリマ基板は通常、「ポリマ」紙幣を形成するために使用され、様々なセキュリティ特徴部を含み得る。本発明の目的は、柔軟なポリマ基板を複数ページの機密文書に組み込む困難性を解決することと、柔軟なポリマ基板を有する機密文書のセキュリティを高めることを含む。さらなる目的は、柔軟なポリマ基板を含むセキュリティ文書を製造する改良方法を提供することである。
【課題を解決するための手段】
【０００７】
それゆえ、本発明は、第２ポリマページに隣接する第１ポリマページを有する機密文書を提供し、第１ポリマページは第１ポリマ基板を有しており、第２ポリマページは第２ポリマ基板を有しており、第１ポリマ基板は第２ポリマ基板とは異なる構造及び／又は材料である。第２ポリマページは、第１ポリマページより厚くてもよい。
【０００８】
第１ポリマ基板は、繊維基板セキュリティシートより耐久性があり、偽造者による離層がされにくい。さらに、第１ポリマ基板は、ポリカーボネイトに基づくデータページより薄く、そのため、より小型の機密文書を生成する。様々な異なるセキュリティ特徴部と装置もまた、第１ポリマ基板に含まれ、セキュリティ特徴部のみによってであろうと、隣接するページのセキュリティページとの相互作用によってであろうとに関わらず、偽造の困難性を高め得る。
【０００９】
第１ポリマ基板は柔軟なフィルムであってもよく、第２ポリマ基板は硬いシートであってもよい。言い換えると、第２ポリマ基板及び／又は第２ポリマページは、第１ポリマ基板及び／第２ポリマページよりも曲がりにくく、柔軟性がなく、硬い又は高い曲げ剛性を有する。特に、第２ポリマ基板は実質的に厚く、好ましくは、第１ポリマ基板の少なくとも２倍の厚さであり、さらに好ましくは少なくとも３倍の厚さであり、第１ポリマ基板より硬い。さらに、少なくとも１つの不透明な層が通常、第１ポリマ基板の外側に配置されるが、第１ポリマ基板は、その内部には不透明な領域又は層を含まなくてもよい。しかしながら、第２ポリマ基板は、通常、より厚いので、第２ポリマ基板内で融合された少なくとも１つの不透明なプラスチック層又はフィラーから形成された領域であって、第２ポリマ基板の外側表面から離隔された不透明な領域を含み得る。特に望ましい実施形態において、第１ポリマ基板は、二軸延伸ポリプロピレン（ＢＯＰＰ）フィルムを有しており、第２ポリマ基板は、ポリカーボネイトシートを有する。
【００１０】
本発明はさらに、請求項に示されるように、そのような機密文書を多数提供し、前記機密文書を製造する方法を提供する。本開示はまた、そのような機密文書を、第１ポリマページより厚い第２ポリマページの代替として提供しており、そこでは、第２ポリマ基板は第１ポリマ基板よりも厚い。
【００１１】
本発明は、さらに、少なくとも１枚のさらなるページに隣接するポリマ基板を有する機密文書を提供し、そこでは、ポリマページは、ポリマ基板と、ポリマ基板の少なくとも一面に少なくとも１つの不透明な層を有し、少なくとも１つの不透明な層は、少なくとも１つの局所領域において除かれて、ポリマページと少なくとも１枚のさらなるページが互いに重なって配置され、ポリマページを反射光でみると、隣接したさらなるページを少なくとも１つのウィンド内で見ることができるように少なくとも１つのウィンドを形成する。本発明はさらに、そのような機密文書を多数提供し、請求項で設定するような機密文書を製造する方法を提供する。
【図面の簡単な説明】
【００１２】
実施例としてのみ、本発明に係る機密文書と製造方法の実施形態は、添付図面を参照して説明される。
【図１】本発明に係るパスポートの開いた形態の概略図を示す。
【図２】第１ポリマページと隣接するページの間で開かれた図１のパスポートの平面図を示す。
【図３】図２の第１ポリマページのＡ−Ａによる断面側面図を示す。
【図４】第１ポリマページとカバーの間で開かれた図２のパスポートの平面図を示す。
【図５】第１ポリマページと第２ポリマページの間で開かれた本発明に係るパスポートのさらなる実施形態の概略図を示す。
【図６】第１ポリマページと隣接ページの間で開かれた図５のパスポートの概略図を示す。
【図７】Ｂ−Ｂによる図５の第２ポリマページの断面側面図を示す。
【図８】第２ポリマページとカバーの間で開かれた図５のパスポートの平面図を示す。
【図９】図５のパスポートの折り線領域の概略断面側面図を示す。
【図１０】本発明の機密文書の第１ポリマページを形成する装置の概略図を示す。
【図１１】本発明の機密文書の第２ポリマページを形成するために、第２ポリマ基板に積層される前の複数のプラスチック層の側面断面図を示す。
【図１２】図１１の複数のプラスチック層から本発明の機密文書の第２ポリマページを製造する方法において使用する装置の断面側面図である。
【図１３】隣接ページと第１第２ポリマページの間で開けられた本発明のパスポートのさらなる実施形態の平面図である。
【図１４】図１３のパスポートのＣ−Ｃセクションの第１ポリマページと第２ポリマページの断面側面図である。
【図１５】隣接ページと第１第２ポリマページの間で開けられた本発明のパスポートのさらなる実施形態の平面図である。
【図１６】図２４のパスポートのＤ−Ｄセクションの第１ポリマページと第２ポリマページの断面側面図である。
【図１７】隣接ページと第１ポリマページの間で開けられた本発明のパスポートのさらなる実施形態の平面図である。
【図１８】第１ポリマページと第２ポリマページの間で開けられた図１７のパスポートの平面図である。
【図１９】第２ポリマページとカバーの間で開けられた図１７のパスポートの平面図である。
【図２０】図１９のパスポートの隣接ページと第１、第２ポリマページのＥ−Ｅセクションによる断面側面図である。
【図２１】本発明の機密文書のさらなる実施形態の隣接ページと第１、第２ポリマページの断面側面図であり、第１ポリマページは、集束素子アレイを有することを示す。
【図２２】本発明の機密文書のさらなる実施形態の隣接ページと第１、第２ポリマページの断面側面図であり、第１ポリマページは、集束素子アレイを有することを示す。
【図２３】本発明の機密文書のさらなる実施形態の隣接ページと第１、第２ポリマページの断面側面図であり、第２ポリマページは、集束素子アレイを有することを示す。
【図２４】本発明の機密文書のさらなる実施形態の隣接ページと第１、第２ポリマページの断面側面図である。
【発明を実施するための形態】
【実施例１】
【００１３】
Ａ．機密文書
図１から図４は、本発明に係る機密文書１０を示す。この場合の機密文書１０は、パスポートであり、互いに相対して回転できるように端部で取り付けられた第１ポリマページ１１と、第１ポリマページ１１に隣接する隣接ページ１２と、カバー１３と、を備える。図示された実施形態において、ページ１１，１２とカバー１３は、ヒンジとも呼ばれ得る折り線１４に沿って取り付けられる。この例において、第１ポリマページ１１は、機密文書１０の所有者に関する個人データ１５を含むデータページである。隣接ページ１２は、一般的に、例えば、紙等の繊維性基板１７から作られる複数のビザページ１６のうちの１ページを形成し、例えば、セキュリティファイバや透かしといった多数のセキュリティ特徴部を含み得る。
【００１４】
図３にさらなる詳細が示されているように、第１ポリマページ１１は、第１外側表面１８、第２外側表面１９の間に広がっており、第１ポリマ基板２０を有する。第１ポリマ基板２０は、第１ポリマページ１１の本体を形成し、第１基板表面２１、第２基板表面２２を有する。第１ポリマ基板２０は、観察者が対象をはっきりと見ることができるように透き通っていることが望ましい。しかしながら、第１ポリマ基板２０は、著しい散光なく光を通すことができれば、色付きでなくても色付きであってもよい。第１ポリマ基板２０の厚さは、約５０μｍから約１００μｍの範囲であることが望ましく、約６０μｍから約８０μｍの範囲にあることがより望ましく、約７０μｍであることが最も望ましい。
【００１５】
第１ポリマ基板２０は、１つ以上のポリマ材料から形成され、望ましくはプラスチック、さらに望ましくは熱可塑性物質から形成される。ポリマ材料は、合成物質であってもよく、例えば、ポリプロピレン（ＰＰ）、二軸延伸ポリプロピレン（ＢＯＰＰ）、ポリブチレン・テレフタレート（ＰＢＴ）、ポリエチレン・テレフタレート（ＰＥＴ）、ポリエチレン（ＰＥ）、ポリカーボネイト（ＰＣ）、ポリ塩化ビニル（ＰＶＣ）、ナイロン、アクリル、環状オレフィンポリマ（ＣＯＰ）若しくは環状オレフィン共重合体（ＣＯＣ）のうちの少なくとも１つを含んでいてもよい。それらの適切な混合は、テスリン（商標登録）（ＲＴＭ）及びＰＥとＰＰの混合を含む。ＢＯＰＰは特に適している。第１ポリマ基板２０は、非繊維性であってもよく、非多孔質であってもよい。第１ポリマ基板２０は、モノリシックであり、１種類の材料から形成されていてもよく、多層状であり、同種又は異種のポリマの多層を有していてもよい。
【００１６】
少なくとも１つの不透明な層２３，２４は、第１基板表面２１及び／又は第２基板表面２２上に配置され、第１ポリマページ１１の少なくとも１つのウィンド２５を構成又は縁取る。第１ポリマ基板２０は、基板内部に不透明な領域又は層を含まなくてもよい。少なくとも１つの不透明な層２３，２４は、実質的に不透明であり、第１ポリマページ１１を介して光が伝達することを実質的に妨げる。少なくとも１つの不透明な層２３，２４は、実質的に透明でない材料を含んでおり、層上に配置された図形と個人データ１５のための適切な背景を提供する。少なくとも１つの不透明な層２３，２４は、例えば色素のような、光散乱物質を少なくとも含む重合体非繊維性材料を含んでいてもよい。例えば、少なくとも１つの不透明層２３，２４は、樹脂、例えば、ポリウレタンベースの樹脂、ポリエステルベースの樹脂若しくはエキスポベースの樹脂と、不透明色素、例えば、二酸化チタン、シリカ、酸化亜鉛、酸化スズ、粘土若しくは炭酸カルシウムを含んでいてもよい。少なくとも１つの不透明層２３，２４は、より色の濃い図形や個人データ１５と適切な差違を提供するために薄い色であることが望ましく、白又は別の色、例えば、オフホワイト又はグレーであることが最も望ましい。それゆえ、望ましくは、少なくとも１つの不透明層２３，２４は、ＣＩＥ  Ｌ＊ａ＊ｂ＊色空間において、Ｌ＊の明度が少なくとも７０であり、望ましくは少なくとも８０であり、より望ましくは少なくとも９０である。
【００１７】
少なくとも１つの不透明層２３，２４は、第１基板表面２１かつ／又は第２基板表面２２の少なくとも大部分を覆うことが望ましい。図示された実施形態において、第１、第２不透明層２３，２４は、第１ポリマページ１１の「フル」ウィンド２５を形成するための対応する又は対向する局所領域以外の、第１、第２基板表面２１，２２全面を覆う。フルウィンド２５は、透明な第１ポリマ基板２０から形成されているので、実質的に透明である。図示された実施形態において、少なくとも１つのウィンド２５は、四角形形状の境界線を有する。
【００１８】
第１ポリマページ１１は、さらに、第１ポリマ基板２０の第１基板表面２１かつ／又は第２基板表面２２と、第１不透明層２３かつ／又は第２不透明層２４の間に中間層（図面には示されていない）を備えていてもよい。中間層は、少なくとも１つの不透明層２３，２４と第１ポリマ基板２０との接着をより良くするためのプリマ層を備えていてもよい。プリマ層は、色付けすることも、別の光学的に検出可能な材料を含むこともできるが、透明で色付きでないほうが望ましい。プリマ層は、ポリエチレンイミン、末端ヒドロキシル基ポリマ、共重合体基末端ヒドロキシル基ポリエステル、架橋結合又は非架橋結合ヒドロキシルアクリレート、ポリウレタン及びＵＶ硬化性陰アニオン性又は陽イオン性アクリレートのうち、少なくとも１つを含んでいてもよい。
【００１９】
複数の英数字を有することが望ましい個人データ１５は、第１不透明層２３かつ／又は第２不透明層２４内又は該層２３，２４上に配置される。個人データ１５は、例えば、所有者のポートレート２６、所有者の名前、国籍及び生年月日を提供するテキスト２７及び機械読み取り用データを含む機械読み込み領域２８を含み得る。
【００２０】
個人データ１５は、適切な方法、例えば、印刷インクを含むことによって第１ポリマページ１１に組み込まれ得る。個人データ１５は、ＵＶ硬化インクジェット印刷によって少なくとも１つの不透明層２３，２４に付されることが望ましい。さらなる代替を以下に記載する。
【００２１】
第１ポリマページ１１もまた、機密文書１０を本物であると認証するために、第１ポリマ基板２０内部かつ／又は少なくとも１つの不透明層２３，２４上に別のセキュリティ特徴部を複数有し得る。図形の層もまた、個人データ１５の周辺又は個人データ１５の下の少なくとも１つの不透明層２３，２４上に提供され得る。図形は、印刷インクを含んでいてもよく、複数のセキュリティ文書１０にわたって同一である非可変データの形式であってもよい。図形は、組みひも飾りのようなしっかりとした細線パターンを含んでいてもよく、パターン、証印、シンボル、ロゴ（例えば、機密文書１０の発行機関のロゴ）、マイクロテキスト等を含んでいてもよい。
【００２２】
第１ポリマページ１１はさらに、少なくとも１つの第１セキュリティ装置３０を有しており、該装置３０は、少なくとも一部がウィンド２５に配置され得、又は、代替としてウィンド２５の外側に配置され得る。図示された実施形態において、第１セキュリティ装置３０は、ウィンド２５内に完全に配置される、第１構成要素３１を有する。少なくとも１つの第１セキュリティ装置３０は、第１基板表面２１上に配置されるか、少なくとも一部又は全部が第１ポリマ基板２０内に埋め込まれるか、第２基板表面２２上に配置され得る。図示された実施形態において、第１構成要素３１は、第１基板表面２１上に印刷されており、第１構成要素３１の境界線は、中空の三角形形状である。第１セキュリティ装置３０の種々の別の実施形態はさらに以下に記載される。
【００２３】
第１ポリマページ１１は、とりわけ、第１ポリマ基板２０が比較的薄いため、実質的に柔軟である。第１外側表面１８と第２外側表面１９との間の距離（つまり、第１ポリマ基板２０と少なくとも１つの不透明層２３，２４とを含む距離）である、第１ポリマページ１１の厚さはｍ約５０μｍから約２００μｍの範囲内であることが望ましく、約５０μｍから約１５０μｍの範囲内であることがより望ましい。
【００２４】
隣接ページ１２は、少なくとも１つの第２セキュリティ装置３５を有しており、少なくとも１つの第２セキュリティ装置３５は、少なくとも１つの第２構成要素３２を有する。第２セキュリティ装置３５は、対向する表面３８に適用又は付着されてもよく、又は、少なくとも一部が本分野で既知の方法で対向する表面３８に埋め込まれてもよい。図示された実施形態において、少なくとも１つの第２セキュリティ装置３５は、繊維性基板１７に組み込まれた、又は該基板１７に適用されたセキュリティスレッド３６を有しており、該基板１７は、第１ポリマページ１１と対向する繊維性基板１７の表面３８に、少なくとも１つの露出樹脂３７を有する。図示された実施形態において、セキュリティスレッド３６は、一部が埋められており、その部分は、例えば、ＷＯ−００／３９３９１、ＥＰ−Ａ−００５９０５６及びＷＯ−Ａ−２００４／００１１３０に開示されているように、繊維性基板１７において、複数のブリッジ３９によって覆われている。代替として、セキュリティスレッド３６は、一方の面で断続的に露出していてもよいため、露出樹脂３７は、隣接ページ１２の全体にわたって広がっている。セキュリティスレッド３６を形成するのに適した材料は、テレフタル酸エステル（ＰＥＴ）、配向ポリプロピレンフィルム（ＯＰＰ）、ポリエチレン（ＰＥ）若しくはポリケトン（ＰＫ）を含む。これらの材料は、メタライズ層、印刷若しくは別のセキュリティ特徴部が提供されるベース基板を形成し得る。セキュリティスレッド３６の幅は、約１ｍｍから２０ｍｍの間であることが望ましい。
【００２５】
少なくとも１つの第２構成要素３２は、セキュリティスレッド３６の露出樹脂３７に配置される。第２構成要素３２は、セキュリティスレッド３６上の印刷、セキュリティスレッド３６のメタライズされていない部分、若しくは、セキュリティスレッド３６内又はセキュリティスレッド３６上の別の適切なマーキングを有し得る。図示された実施形態において、第２構成部品３２の境界線は、第１構成要素３１の三角形よりも小さい、中空でない三角形形状である。第２セキュリティ装置３５の種々の別の実施形態を、さらに以下に記載する。
【００２６】
図４に示されるように、第１ポリマページ１１の第１外側表面１８と、隣接ページ１２の対向する表面３８は、折り線１４の周辺で接続され得る。隣接ページ１２は、第１ポリマページ１１の第２外側表面１９に入射する反射光で見ると、少なくとも１つのウィンド２５を介して見ることができる。反射光は、可視光であってもよいし、非可視光であってもよい。第１、第２セキュリティ装置３０，３５と、特に第１、第２構成要素３１，３２は、少なくとも１つのウィンド２５において共に見ることができ、互いに一致されていることが望ましい。図示された実施形態において、第２構成要素３２は、第１構成要素３１の中空の三角形内で中空でない三角形形状として見ることができ、第１、第２構成要素３１，３２は、互いに一致している。第１、第２構成要素３１，３２は、同一だが異なる大きさの外側境界線形状により、また、第２外側表面１９を反射光で見ると、第１構成要素３１内に配置されている第２構成要素３２により、互いに一致している。
【００２７】
機密文書１０は、折り線１４に沿って取り付けることによって、第１ポリマページ１１と隣接ページ１２を縁に沿って互いに取り付けられ、折り線１４に関して互いに関連して回転又は旋回できる適切な形状に形成され得る。例えば、機密文書１０は、ＷＯ−Ａ−２０１１／１５１６３８で開示されている方法で構成され得る折り線１４に沿った縫い線を備え得る。機密文書１０は、第１ポリマページ１１、隣接ページ１２及びビザページを形成し、縫い線に沿って取り付けられた複数のページを備え得る。少なくとも１つの縫糸は、複数のビザページ１６を形成する繊維性基板１７と第１ポリマページ１１を形成する第１ポリマ基板２０を貫通し得る。外側ビザページ１６と第１ポリマ基板２０の全部又は一部がカバー１３にくっつけられ、ブックレットを形成する。
【００２８】
偽造者は、そのような機密文書１０を製造するために、第１、第２セキュリティ装置３０，３５を第１ポリマページ１１と隣接ページ１２の両方に埋め込む必要がある。以下の記載から明らかになるように、異なる材料と異なる第１、第２セキュリティ装置３０，３５を形成するために相当異なる機械が必要とされ、それによって偽造するコストと必要な技術のレベルが増す。偽造者はまた、第１、第２セキュリティ装置３０，３５が少なくとも１つのウィンド２５を介して見ることができるように、第１、第２セキュリティ装置３０，３５と少なくとも１つのウィンド２５が互いに正確に配置されていることを確かめる必要がある。
【実施例２】
【００２９】
Ｂ．第２ポリマページの機密文書への組み入れ
図５〜図８は、本発明のさらなる実施形態を示しており、そこでは、機密文書７０が、望ましくは第１ポリマページ１１とカバー１３との間に配置される第２ポリマページ７１を備える。図５〜図８は、必要に応じて、図１〜図４で用いられた参照符号に相当する番号を含む。図示されているように、第２ポリマページ７１は、データページであり、個人データ１５を含むことが望ましい。
【００３０】
第２ポリマページ７１は、第１ポリマページ１１の構成と異なる構成を有することが望ましい。特に、第１、第２ポリマページ１１，７１の構成は、構造及び／又は材料に関して異なる。結果として、第１、第２ポリマページ１１，７１をそれぞれ生成するために異なる技術が必要とされ、偽造の困難性が増す。異なる構成は、異なる材料、不透明層の配置、厚さ、剛性及びセキュリティ特徴部を含む性能に起因する。特に望ましい実施形態において、第１ポリマページ１１は、単一層から形成された第１ポリマ基板２０と第１及び／又は第２基板表面２１，２２上の少なくとも１つの外側不透明層２３，２４とを備えており、第２ポリマページ７１は、融合された複数のプラスチック層から形成される。
【００３１】
第２ポリマページ７１は、実質的に硬い第２ポリマ基板７２又は第１外側表面７３と第２外側表面７４を有する「プラスチック基板」とを備えていることが望ましい。第１、第２外側表面７３，７４のそれぞれは、実質的に平坦で平面であることが望ましい。第２ポリマ基板７２は、実質的に層状ではない構造又は単一構造に融合された複数の層から形成される。第２ポリマ基板７２は、望ましくは非繊維性であり、第１ポリマ基板２０とは異なる合成ポリマを有することが望ましい。第２ポリマ基板７２は、熱可塑性ポリマ、例えば、ポリカーボネイト、ポリエステル、ポリエチレン、ポリプロピレン若しくはポリ塩化ビニルであってもよい。ポリカーボネイトは、その高い耐久性、製造の容易性及びセキュリティ特徴部の組み込み易さのため、特に適している。
【００３２】
第２ポリマページ７１は、第１ポリマページ１１より厚い。第１、第２外側表面７３，７４の間の距離である第２ポリマ基板７２の厚さは、少なくとも約１５０μｍであることが望ましく、さらに望ましくは少なくとも約３００μｍである。特に、第２ポリマ基板７２の厚さは、約３００μｍ〜約１０００μｍの間であり、より望ましくは、約６００μｍ〜約８００μｍの間であってもよく、例えば、約３００μｍ又は約８００μｍであり得る。第２ポリマ基板７２は、第１ポリマ基板２０より実質的に厚く、かつ、硬い。特に、第２ポリマ基板７２又は第２ポリマページ７１は、第１ポリマ基板２０又は第１ポリマページ１１の厚さの少なくとも２倍、より望ましくは３倍の厚さである。隣接ページ１２は、第２ポリマページ７１より薄く、第１ポリマページ１１より厚いことが望ましい。
【００３３】
図１０に示されるように、第２ポリマ基板７２は、その厚み内部の領域であって、第１及び第２の実質的に透明な領域７６，７７よって第１、第２外側表面７３，７４から離されている実質的に不透明な領域７５を備えていることが望ましい。不透明な領域７５の少なくとも一部は、少なくとも１つの第３の実質的に透明な領域７８に面する。第１、第２及び第３透明な領域７６，７７，７８は、第２ポリマ基板７２を介する少なくとも１つのウィンド８０を形成する。図示された実施形態において、単一四角形形状のウィンド８０は、第２ポリマ基板７２の厚さを経て広がる。
【００３４】
個人データ１５は、第２ポリマ基板７２内の一連のレーザマーキング又は型彫によって、不透明領域７５と第１外側表面７３との間の第１透明領域７６において形成され得る。第１外側表面７３が配置されている第１透明領域７６のため、第１外側表面７３を第１外側表面７３に投射された反射光でみるとき、レーザマーキングが見えることが望ましい。第２ポリマ基板７２もまた、例えば、非可視データ形態のホログラム、ＵＶ反応特徴部、光学的可視特徴部、ウィンド付けされた又は透明な特徴部、アンテナ、電子チップ及びレーザ穿孔のような別の適切なセキュリティ特徴部を備え得る。
【００３５】
第２ポリマページ７１は、第２ポリマ基板７２内又は該基板７２上に配置され、かつ、少なくとも１つのウィンド８０又は代替として少なくとも１つのウィンド８０の外側に一部が配置された第３セキュリティ装置８１をさらに備え得る。図示された実施形態において、第３セキュリティ装置８１は、不透明領域７５と第１外側表面７３との間の第１透明領域７６に配置されたセキュリティスレッド８２を有する。セキュリティスレッド８２の幅は、約１ｍｍ〜２０ｍｍの間であることが望ましい。結果として、第１外側表面７３を反射光でみると、セキュリティスレッド８２は、第２ポリマページ７１にわたり、全長に沿って見ることができる。第２ポリマページ７１の第２外側表面７４を反射光で見ると、不透明領域７５がセキュリティスレッド８２の残りを視界から遮るため、少なくとも１つのウィンド８０におけるセキュリティスレッド８２の一部だけを見ることができる。代替実施形態において、セキュリティスレッド８２は、第２外側表面７４上で全長にわたって見ることができ、かつ、第１外側表面７３上の少なくとも１つのウィンド８０においてのみ見ることができるように、第２透明領域７７に配置される。さらなる実施形態においてもまた、第２ポリマ基板７２は、複数のウィンド８０を有しており、第３セキュリティ装置８１は、第２ポリマ基板７２を複数の位置で見ることができるように、各ウィンド８０に配置される。第３セキュリティ装置８１の種々の別の実施形態は、以下でさらに詳細に記載される。
【００３６】
第２セキュリティ装置８１と第２ポリマページ７１の少なくとも１つのウィンド８０は、第１及び／又は第２セキュリティ装置３０，３５と相互作用するように配置され、第１、第２及び第３セキュリティ装置３０，３５，８１のそれぞれの独立したセキュリティ特徴部又は効果と異なる少なくとも１つのセキュリティ特徴部を形成する。特に、第２ポリマページ７１の少なくとも１つのウィンド８０と第１ポリマページ１１の少なくとも１つのウィンド２５は、第２ポリマページ７１の第１外側表面７３が第１ポリマページ１１の第２外側表面１９に隣接するように、第１、第２ポリマページ１１，７１が折り線１４に関してあわせられると、互いに重なって配置される。隣接ページ１２の対向する表面３８もまた折り線１４に関してあわせられ、第１ポリマページ１１の第１外側表面１８に隣接すると、第２セキュリティ装置３５もまた、ウィンド２５，８０を介して見ることができる。
【００３７】
図８〜図１１の実施形態において、複数の第２構成要素３２は、文字「Ｄ」と「Ｒ」の第１パターンを形成し、第１構成要素３１は、ウィンド２５に配置された「Ｌ」の第２パターンを形成する。第１、第２構成要素３１，３２は、印刷インクを有する。ウィンド２５を介して反射光で見ると、第１、第２構成要素３１，３２は連結し、第１、第２パターンとは異なる第３パターン、この場合は「ＤＲＬ」（図１１参照）を形成する。第３セキュリティ装置８１は、光学フィルタ又はレンズを備えたセキュリティスレッドであり、第３セキュリティ装置８１を介して反射光でみるとき、第１、第２セキュリティ装置３０，３５の観測図を調整するために配置された実質的に透明なセキュリティスレッド８２を有する。
【００３８】
この機密文書７０を複製するために、偽造者もまた、第３セキュリティ装置８１を第２ポリマ基板７２内に埋め込む必要がある。また、以下の説明から明らかになるように、第２ポリマページ７１を形成するために要求される機械は、第１ポリマページ１１を形成するために必要とされる機械と相当異なり、それによって、偽造のコストと要求される技術のレベルが増す。偽造者は、第１、第２及び第３セキュリティ装置３０，３５，８１とウィンド２５，８０を一列に並べる必要があるため、さらなる困難さが付加される。さらに、異なる物質の組み合わせにより、第１、第２及び第３セキュリティ装置３０，３５，８１の固有の組み合わせによる、様々な異なるセキュリティ特徴部と効果が達成される。
【００３９】
図９に示すように、機密文書７０は、第１と第２サイド５１，５２が回転の中心とする線であり、かつ、合わさる線である、折り線１４の両サイドに第１サイド５１と第２サイド５２を有する。機密文書７０は、第１サイド５１に第１ポリマページ１１を有する第１ページ５４と、第１サイド５１に隣接ページ１２と第２サイド５２にビザページ１６とを有しており、第１ページ５４の内側の第２ページ５５とを備える。さらなるページ５６は、第２ページ５５の内側に配置され、第１、第２サイド５１，５２にさらなるビザページ１６を形成する。第３ページ８５は、第２ポリマページ７１と、第２ポリマページ７１から伸びる接続タブ８６を有しており、第１ページ５４とカバー１３との間に配置される。図１２は、ページ５４，５５，５６，８５とカバー１３を分解した構成で示しており、それらは、構成された機密文書７０において、折り線１４に沿った縫い線に沿って共に縫われ得る。
【００４０】
接続タブ８６は、第２ポリマページ７１の第２ポリマ基板７２を形成する接続タブと同一プラスチックを有していてもよく、第２ポリマページ７１を形成する複数の層のうちの１つであって、内側エッジ（つまり、折り線１４に隣接するエッジ）を超えて広がる層によって形成され得る。代替として、接続タブ８６は、製造中、第２ポリマページ７１と統合されたウェブ（例えば、メッシュウェブ）又は異なる材料を有してもよい。そして、接続タブ８６は、第１ページ５４に接着される、又は折り線１４以外で第１ページ５４に直接接続されなくてもよい。ＥＰ−Ｂ−１５９２５６５は、柔軟性があり、例えば、ＰＥとＰＥＴの積層のような曲げ抵抗がある材料の接続タブ８６を形成するのに特に適した方法を開示している。
【００４１】
Ｃ．製造方法
第１ポリマページ１１と、隣接ページ１２と、複数のビザページ１６と、カバー１３と、備えられていれば第２ポリマページ７１とは、通常、折り線１４に沿って取り付けられる前に別々に形成され、機密文書７０を形成する。個人データ１５は、残りの機密文書１０，７０が集められ、データページを完成させた後に適用されることが望ましい。
【００４２】
Ｃ１．第１ポリマページの製造
第１ポリマページ１１は、第１ポリマ基板２０のウェブを生成すること、少なくとも１つの不透明層２３，２４を第１ポリマ基板２０に適用すること、少なくとも１つ第１セキュリティ装置３０を少なくとも１つの不透明層２３，２４及び／又は第１ポリマ基板２０に付加すること、ウェブを複数の第１ページ５４へ分割することによって製造され得る。第１ポリマページ１１を形成するための適切な装置９０の概略図が図１０に示されている。
【００４３】
最初に、ポリマが成型等により、例えば、幅が０．７５ｍ〜１．５ｍの間であって、長さが数十又は数百メートルである実質的に連続したフィルム又はウェブ９１の形状にされ得る。ウェブ９１は、装置９０の端部に配置され得るロール９２へ十分に巻かれており、該装置９０は実質的に連続処理ラインである。ウェブ９１は、第１ポリマ基板２０と第１、第２基板表面２１，２２を形成する。
【００４４】
ウェブ９１は、ロール９２から運ばれ、処理領域９３において１つ以上の処理工程を経る。例えば、中間層等は、１つ以上のロール、ブラシ等によって第１，第２基板表面２１，２２に適用され得る。代替として、ウェブ９１は、プラズマ又はコロナ処理をされてもよい。そのような処理工程は、ロール９２に巻かれる前にウェブ９１に適用されてもよい。
【００４５】
不透明層ステーション９４で、少なくとも１つの不透明層２３，２４は、第１及び／又は第２基板表面２１，２２に適用され得る。不透明層ステーション９４は、通常、上述されたような重合体材料である材料のより薄い層を順次適用することによって、少なくとも１つの不透明層２３，２４を作り上げ得る。より薄い各層の光学濃度は、通常、約０．２〜０．５であり、３層以上が適用され、各不透明層２３，２４を形成することが望ましい。少なくとも１つの不透明層２３，２４は、ある領域で省かれ、少なくとも１つのフル又はハーフウィンド２５を形成する。少なくとも１つの不透明層２３，２４は印刷されるか、被覆されるか、別な方法でウェブ９１に適用され得る。例えば、グラビア印刷、オフセット印刷、フレキソ印刷、平板印刷等の印刷工程を利用して適用されることが望ましい。
【００４６】
代替の実施形態において、各不透明層２３，２４は、第１ポリマ基板２０に薄く積層される層であって、少なくとも１つのウィンド２５を形成するための開口を含む、自立型事前形成層を有することが望ましい。特に、少なくとも１つの不透明層２３，２４は、紙のようなポリマ又は繊維性基板を有しており、「複合型」紙とポリマ構造を有する第１ポリマページ１１を形成する。
【００４７】
図形は、グラフィックステーション９５で、少なくとも１つの不透明層２３，２４及び／又は第１ポリマ基板２０に適用され得る。例えば、図形は、従来の印刷技術又は、例えば、凹刻印刷、平版印刷、オフセット印刷、フレキソ印刷、グラビア印刷等の技術の組み合わせによって印刷され得る。
【００４８】
少なくとも１つの第１セキュリティ装置３０は、セキュリティ装置ステーション９６で、ウェブに適用され得る。特に、少なくとも１つの第１構成要素３１は、前記印刷技術のいずれかによってその上（ウェブ上）に印刷され得る。代替として、少なくとも１つの第１構成要素３１は、レーザ等によって少なくとも１つのウィンド２５内に印付けられてもよい。少なくとも１つの第１セキュリティ装置３０が図形より前に適用されるように、セキュリティ装置ステーション９６は、グラフィックステーション９５の上流に配置され得る。少なくとも１つの第１セキュリティ装置３０の種々の別の実施形態が以下でさらに説明される。
【００４９】
ウェブ９１は、続いて、切断ステーション９７で、複数のシートに切断され、それぞれが第１ページ５４を形成する。図形及び／又は少なくとも１つのセキュリティ装置３０が個々の第１ページ５４に適用されるように、切断ステーション９７は、代替として、グラフィックステーション９５及び／又はセキュリティステーション９６の上流に配置されてもよい。
【００５０】
Ｃ２．隣接ページとビザページの製造
隣接ページ１２は、セキュリティスレッド３６形式である第２セキュリティ装置３５を繊維性基板１７に組み込むために、内容が本明細書に援用されているＥＰ−Ａ−００５９０５６又はＷＯ−Ａ−２００５／０６９２３１に開示されている方法と同様な方法で製造されることが望ましい。円網製紙機械は、水性繊維原料のバット内で回転する円網を備える。繊維原料は、合成繊維、天然繊維若しくはそれらの混成などを含む繊維種類の範囲を有し得る。セルロース、木材及び／又はコットンベースの混合は特に適している。繊維性基板１７の坪量はいくつでもよいが、少なくとも１１０ｇｓｍであることが望ましい。円網が回転すると、繊維原料内の液体は、円網カバーの多孔性支持表面を通過する。繊維は、支持表面に堆積され、それにより繊維性基板１７の層が形成される。
【００５１】
円網カバーは、例えば、ＥＰ−Ａ−００５９０５６に記載されるような埋め込み領域又はＷＯ−Ａ−２００５／０６９２３１に記載されるような排水制限領域であり得る、多数の隆起領域を有し得る。セキュリティスレッド３６は、繊維が円網カバーに堆積されるにつれて、セキュリティスレッド３６が隆起領域を覆うように、各隆起領域に接触させられる。繊維は、セキュリティスレッド３６の上下に堆積されるが、セキュリティスレッド３６が隆起領域と接触する部分にはほとんど堆積せず、それにより、少なくとも１つの露出領域３７を形成する。ブリッジ３９は、円網カバー１８３の隣接隆起領域の間で繊維が堆積することによって形成される。
【００５２】
水は、湿った基板繊維から抜かれ、紙のウェブは乾燥処理をされる。乾燥ウェブは、まず、切断線に沿って切断され、複数の中間シートを形成し、これらの中間シートは、通常印刷されて、第２ページ５５を形成する個々のより小さいシートに切断される。
【００５３】
複数のビザページ１６は通常、セキュリティスレッド３６を追加しない場合を除いて、本分野でよく知られている方法であって、隣接ページ１２と同様の方法で形成される。複数のビザページ１６は、隣接ページ１２より少ない坪量、例えば、約８５ｇｓｍを有し得る。
【００５４】
Ｃ．３．第２ポリマページの製造
第２ポリマページは、通常、インサート１４２、を形成すること、インサート１４２と第３セキュリティ装置８１を含む複数のプラスチック層１３２（図１１に示す）を形成すること、ラミネータ１３３（図１２に示す）に複数のプラスチック層１３２を薄く積層し、第２ポリマ基板７２を形成することによって製造される。
【００５５】
図１１は、ラミネータ１３３に付加される前であって、互いに重ねて配置された後の複数のプラスチック層１３２に適した構造を示す。第２ポリマページ７１を形成するための複数のプラスチック層１３２の一部だけが示されているが、複数のプラスチック層１３２は、複数の第３ページ８５を形成できることが望ましい。特に、複数のプラスチック層１３２は、通常、白及び／又は不透明である第１、第２不透明層１３４，１３５とそれらの間のインレ１３６を有する。図形情報、色及び／若しくはパターンは、第１、第２不透明層１３４，１３５の外側表面に印刷され得る。電子チップやアンテナ等は、インレ１３６又は、第１、第２不透明層１３４，１３５内に配置され得る。
【００５６】
実質的に透明な第１、第２被覆１３７，１３８は、複数のプラスチック層１３２の最も外側に配置され、第２ポリマ基板７２の第１、第２外側表面７３，７４を形成する。セキュリティ特徴部を保持するための第１、第２中間層１３９，１４０は、第１不透明層１３４と第１被覆１３７の間に配置され得る。特に、第１中間層１３９は、実質的に不透明であり、第１不透明層１３４に隣接して配置され得る。第２中間層１４０は、第１被覆１３７と第１中間層１３９の間に配置され、実質的に透明である。別の実施形態において、異なるセキュリティ特徴部を提供するため、第１、第２不透明層１３４，１３５の両サイドにある中間層の適切な層数はいずれであってもよい。
【００５７】
接続タブ８６は、例えば、ＥＰ−Ｂ１５９２５６５に開示されているような、本分野で知られている方法のいずれによってでも形成され得る。１つ以上の複数のプラスチック層１３２は、形成された第２ポリマ基板７２から広がって接続タブ８６を形成するために、残りの複数のプラスチック層１３２より幅が広くてもよい。
【００５８】
実質的に透明なプラスチックのストリップは、最初に、パンチング工具によって切断され、複数のプラスチック層１３２の配置前又は配置中に複数のインサート１４２を形成し得る。各インサート１４２の境界線の形状は、各ウィンド８０の境界線の形状を形成する。各インサート１４２は、第１、第２不透明層１３４，１３５、インレ１３６及び第１中間層１３９を介する開口１４３内に配置される。各インサート１４２の対向する外側表面は、第２被覆１３８と第２中間層１４０によって覆われる。代替として、各開口１４３は、第１不透明層１３４、第２不透明層１３５、インレ１３６及び／若しくは第１中間層１３９のうちの１つのみ又は２つにおいて形成され、各インサート１４２は、それらに配置される。開口１４３とインサート１４２は、ＷＯ−Ａ−２０１５／１０４０１１に開示されるように、一列に形成され、あわせられる。特に、単一パンチ工具は、開口１４３を形成し、ストリップからインサート１４２を切り出し、又は、穴開けをし、インサート１４２を相当する形状の開口１４３に配置するために作動させられ得る。
【００５９】
複数のプラスチック層１３２のそれぞれの厚さは、約０．０５ｍｍ〜約３ｍｍの間であり、それらが融合することができれば、異なるプラスチックから形成されることができ、例えば、ポリカーボネイトのような第２ポリマ基板７２を形成するプラスチックから構成されてもよい。各インサート１４２の厚さは、約０．１ｍｍ〜約０．４ｍｍの間であり、各インサート１４２は、複数のプラスチック層１３２が形成されるプラスチックと同一のプラスチック、例えば、ポリカーボネイト等、であってもよい。
【００６０】
図１７に示されるように、この場合、セキュリティスレッド８２である第３セキュリティ装置８１は、第１、第２中間層１３９，１４０の間に配置され得る。代替として、以下に記載するように、第１、第２中間層１３９，１４０のうちの一方が、中間層自体に埋め込まれた第３セキュリティ装置８１を備え得る。第３セキュリティ装置８１は、例えば、接着されることにより第２ポリマ基板７２の第１又は第２外側表面７３，７４に配置され得る、又は、例えば、それらに融合されることによって第２ポリマ基板７２内に少なくとも一部が埋め込まれ得る。特に、薄片状にする前に、第３セキュリティ装置８１は、第１被覆１３７、第２被覆１３８若しくは第２中間層１４０に配置され、少なくとも一部がインサート１４２を覆う。
【００６１】
図１８は、複数のプラスチック層１３２から第３ページ８５を製造することに適した装置１３０の実施形態を示す。装置１３０は、本明細書に内容が援用されているＵＳ−Ｂ−６６６９８１３とＵＳ−Ａ−２０１１／０２２６４０８に開示されている装置と同様である。装置１３０は、互いに重なり合った複数のプラスチック層１３２をラミネータ１３３に供給するための複数のフィーダ１３１を有する。ラミネータ１３３は、熱と圧力を印加することによって複数のプラスチック層１３２を融合し、第２ポリマ基板７２を形成する。
【００６２】
ラミネータ１３３は、反対方向に回転する第１、第２連続ベルト１４５，１４６と、第１、第２支持表面１４７，１５０とをそれぞれ有する。少なくとも１つの第１、第２連続ベルト１４５，１４６は、断続的に駆動され、インレットドラム１４８，１５１の間のニップ１５８を介して、第１、第２複数のプラスチック層１３２をラミネータ１３３の薄片状領域１５３へ引き入れる。最初に、複数のプラスチック層１３２の領域は、対向する加熱装置１５４，１５５の間へ移動される。加熱装置１５４，１５５は、第１、第２支持表面１４７，１５０に向かって動き、複数のプラスチック層１３２の領域を加熱し、圧力をかけ、第２ポリマ基板１７２を形成する。通常は１分未満である設定時間後、加熱装置１５４，１５５は、第１、第２支持表面１４７，１５０から離れるように動き、第１及び／又は第２連続ベルト１４５，１４６が駆動させられ、該領域を対向する冷却装置１５６，１５７の間まで動かす。冷却装置１５６，１５７は、第１及び第２支持表面１４７，１５０に向かって動き、その構造を維持するために第２ポリマ基板７２を冷却し、圧力を加える。この加熱、冷却及び加圧工程は、複数の交互の加熱、冷却装置１５４，１５５，１５６，１５７に沿って、完全に形成された第２ポリマ基板７２がラミネータ１３３を抜けるまで繰り返される。
【００６３】
第３セキュリティ装置８１は、ラミネータ１３３に加えられる前、又は加えられている間のいずれかで複数のプラスチック層１３２に組み込まれ得る。例えば、第３セキュリティ装置８１は、複数のプラスチック層１３２又はインサート１４２に配置されるかつ／又は接着され得る。代替として、図示されるように、第３セキュリティ装置８１は、少なくとも１つのローラ１６０を介してボビン１５９から複数のプラスチック層１３２のうちの２つの間に供給されることによって第２ポリマ基板７２に導入されることにより、ニップ１５８で複数のプラスチック層１３２へ供給され得る。
【００６４】
加熱工程の間、複数のプラスチック層１３２とインサート１４２はそれぞれ、プラスチックがそれらの間の境界面にわたって流れ、混合するように、少なくとも柔らかさがあり、半溶融（つまり、比較的高粘性の液体）である。第１被覆１３７と第２中間層１４０は、第１透明領域７６を形成する。第１及び第２不透明層１３４，１３５、インレ１３６及び第１中間層１３９は不透明領域７５を形成する。第２被覆１３８は、第２透明領域７７を形成する。インサート４２は、第３透明領域７８とウィンド８０を形成する。
【００６５】
そのような溶融を達成するために、加熱装置１５４，１５５は、適宜制御され、複数のプラスチック層１３２に加えられる温度と圧力を上昇させ、プラスチックの軟化点に達する。変形と変形による融合とが任意の圧力で可能となる温度は、ＡＳＴＭＤ１５２５方法とＩＳＯ３０６スタンダード方法のいずれの方法のビカット軟化点テストを利用して上昇させられ得る。特定の例において、ポリカーボネイトのビカット軟化点は、加熱率５０℃／ｈｒと５０Ｎの負荷を用いて決定され得る。ポリカーボネイトについての例において、加熱装置１５４，１５５は、約８ＭＰａで約１８０℃の温度を複数のプラスチック層１３２に加え、冷却装置１５６，１５７は約２０℃〜３０℃の温度と１０ＭＰａの圧力を複数のプラスチック層１３２に加え得る。
【００６６】
第２ポリマ基板７２はラミネータ１３３を抜けると、例えば、さらなるセキュリティ特徴部を第１及び第２外側表面７３，７４に追加するような、さらなる工程の対象になり得る。セキュリティ特徴部が第１又は第２外側表面７３，７４に配置される場合、第３セキュリティ装置８１がそれらに適用されてもよい。第２ポリマ基板７２はまた、複数の第３ページ８５に切断される。
【００６７】
Ｃ．４．機密文書の組み立て
第１ページ５４、第２ページ５５、第３ページ８５、さらなるページ５６及び／若しくはカバー１３は、例えば、縫い付けによって、折り線１４に沿って、カバー１３と結びつけられ、機密文書１０，７０を形成する。適切な縫い付け工程は、本明細書に内容が援用されているＷＯ−Ａ−２０１１／１５１６３８に記載される工程を含む。
【００６８】
機密文書１０，７０の所有者に関する個人データ１５は、結びつけ工程の後に適用されることが望ましい。しかしながら、結びつけ工程の前であって、前記製造工程のいずれの工程の間に個人データを適用することも可能である。
【００６９】
Ｄ．セキュリティ装置
第１、第２及び第３セキュリティ装置３０，３５，８１は、偽造が困難であるという効果を生じさせる特徴がある。それらは、例えば、通常、商業的に利用可能なフォトコピー、スキャナ若しくはプリンタを使用して可視光コピーをすることでは正確に偽造できないことが望ましい。偽造者が少なくとも２つの異なる製造工程を利用してそれらの装置を形成しなければならないように、第１、第２及び第３セキュリティ装置３０，３５，８１は、互いに異なっていることが望ましい。
【００７０】
第１、第２及び第３セキュリティ装置３０，３５，８１はそれぞれ、それぞれがキャリア基板に実装された少なくとも１つの第１、第２及び第３構成要素３１，３２，３３を構成し得る。セキュリティ効果は、第１、第２及び第３セキュリティ装置３０，３５，８１の構成、第１、第２及び第３構成要素３１，３２，３３の境界線形状及び／若しくは第１、第２及び／若しくは第３セキュリティ装置３０，３５，８１のキャリア基板の境界線形状から導き出すことができる。特に、境界線は、適切な形状、例えば、認識可能なパターン、証印（つまり、サイン、表示若しくは識別マーク）、英数字、シンボル、ロゴ、グラフィック等を形成する。それらは、可視光で見ることができ、明確に読み取り可能な情報を形成する、又は代替的に、非可視光（例えば、ＵＶ）で見ることができる、又は、コードを含む読み取り可能な情報を変換する。さらに、第１、第２及び／若しくは第３構成要素３１，３２，３３は、同一形状の境界線を有し得る。第１、第２及び／若しくは第３セキュリティ装置３０，３５，８１は、少なくとも１つのウィンド２５，８０を介して共に見ることができ、それらの同一性が確認できるように配置される。特定の実施形態において、第１、第２及び／若しくは第３セキュリティ装置３０，３５，８１は、機密文書１０，７０の通番形式の証印を構成する。
【００７１】
機密文書１０，７０のセキュリティは、第１、第２及び／若しくは第３セキュリティ装置３０，３５，８１と第１、第２及び第３構成要素３１，３２，３３を組み合わせて、識別パターン等を形成することによってさらに改善され得る。パターンは、証印及び／又は英数字を含む、読み取り可能な情報を形成することが望ましい。個人データ１５は、少なくとも一部が、第１、第２及び第３構成要素３１，３２，３３によって形成され得る。
【００７２】
第１、第２及び第３セキュリティ装置３０，３５，８１がずれている場合、使用者又は官公庁が簡単に偽造文書を検知できるように、第１、第２及び第３セキュリティ装置３０，３５，８１は、一致していることが望ましい。本開示において、「一致」という言葉は、第１、第２及び第３セキュリティ装置３０，３５，８１が、複数の機密文書１０，７０において、同一の所定位置にあるという意味として規定される。特に、
−それらの装置は、機密文書１０，７０の別の特徴部に一致されてもよい。例えば、それらの装置は、第１ポリマページ１１、隣接ページ１２若しくは第２ポリマページ７１の外側エッジ及び／又は少なくとも１つのウィンド２５，８０のエッジに対して同一所定相対位置にあってもよい。
−それらの装置が、複数ページの機密文書１０，７０において同一の所定相対位置にあるように互いに一致されてもよい。特定の実施形態において、少なくとも１つの第１、第２及び／若しくは第３構成要素３１，３２，３３は、少なくとも１つの第１、第２及び／若しくは第３構成要素３１，３２，３３が配置されていない第１又は第２ポリマページ１１，７１のウィンド２５，８０と一致している。
−それらの装置は、結合又は協働し、望ましくは可視光で見るときは目に見え、それぞれを単独で見たときは見ることができないというセキュリティ効果を形成するように互いに一致され得る。
【００７３】
少なくとも１つの第１セキュリティ装置３０は、第１ポリマ基板２０及び／又は少なくとも１つの不透明層２３，２４内又はそれら上に組み込むために適したセキュリティ特徴部を有し得る。少なくとも１つの第２セキュリティ装置３５は、繊維性基板１７へ組み込むために適する特徴部であって、少なくとも一部が隣接ページ１２の対向する表面３８で露出させられているセキュリティ特徴部を有し得る。少なくとも１つの第３セキュリティ装置８１は、第２ポリマ基板７２へ組み込むために適する特徴部であって、望ましくは少なくとも１つのウィンド８０を介して見ることができるセキュリティ特徴部を有し得る。
【００７４】
特に、少なくとも１つの第１、第２及び第３セキュリティ装置３０，３５，８１と、特に少なくとも１つの第１、第２及び／若しくは第３セキュリティ構成要素３１，３３及び／若しくはキャリア基板は、以下のうち少なくとも１つを有し得る。
−印刷インク、レーザマーキング、ＵＶ反応特徴部、光学的可変特徴部、ウィンド又は透明な特徴部、非メタライズ特徴部、レーザ穿孔、マイクロテキスト、細線パターン、潜像、ベネチアンブラインド装置等；
−光学フィルタ、回折格子を含む回折構造やホログラフィック構造、プラズマ又はピラミッド構造を含む反射ファセット；
−第１、第２及び／又は第３セキュリティ構成要素３１，３３が配置される、スレッド、ストリップ、パッチ、ホログラム、ホイル、ホットホイル等；
−第２セキュリティ装置の場合、透かし、電気式透かし、セキュリティ繊維、
−集束アレイや画像アレイを有する、マイクロレンズ、マイクロミラー、レンズ状の装置、モアレ干渉装置、モアレ拡大装置、レンズ、ミラー、他の集束素子等。第１、第２及び／又は第３セキュリティ装置３０，３５，８１は、集束アレイと画像アレイの両方又はどちらか一方を有し得る；
−アンテナ、電子チップ等；
−光学探知可能な材料を備える変換印刷インク。印刷インクは、可視光では見ることができないが、カメラのような光学探知機を介して人の目かつ／又は機械では見ることができるように、透明であり得る。材料の光学探知特性は、例えば、非可視反射又は光吸収（例えば、ＵＶ又はＩＲ反射又は光吸収）、蛍光発光又は燐光（可視光では見ることができない活性発光及び／又は放射発光）等のような光ルミネセンス反応を含み得る。代替として、印刷インクは、可視光で見ることができるだけでなく、非可視光にさらされると、そのような特性を示すことができる。
−異なる観察角度で印刷インクの見え方が異なるにじ色又は前記にじ色増幅干渉材料のような、様々な光学的特性を有する印刷インク。特に、インクを不透明な背景に対して反射光で見ると、インクは、実質的に見ることができる色シフト効果を示し得る。適切なインクは、内容が本明細書に援用されているＧＢ−Ａ−２４４１２６１に開示される。
キャリア基板が有する、１つ以上のウィンド２５，８０は実質的に透明である。例えば、第２ポリマページ７１の場合、キャリア基板は、ポリカーボネイトのような熱可塑性ポリマを有し、それを複数のプラスチック層１３２と融合し得る；
観測角度が異なると異なる色を示すにじ色増幅干渉材料。薄いフィルム干渉構造、干渉色素、真珠光沢のある色素、フィルム液晶や色素、フォトニック結晶等が例に含まれる。薄いフィルム干渉構造は、異なる屈折率の反復層を有する；純誘電体積層（金属酸化物又はポリマ）又は代替誘電体層や金属層から構成される純誘電体積層が例に含まれる。薄いフィルム干渉構造は、ＷＯ−Ａ−２０１５１１３１４３に開示されているブラッグスタック又は、ＥＰ−Ａ−２７１４４１１に開示されているフォトニック結晶調整材料や一次元フォトニック結晶としても知られている。そのようなにじ色干渉材料は、少なくとも一方が部分的に反射し、入射光の振幅を分割するように部分的に入射光を伝達する２つ以上の近接境界面を有する。伝達された部分は、第２又は続く境界面で反射し、第１又は早期境界面から反射された部分と相互作用し、ある波長との強めあう干渉や別の波長との弱めある干渉に至る。結果として、材料は、観測角度によって変化する特性を示す。
【００７５】
少なくとも１つの第１、第２及び／又は第３セキュリティ装置３０，３５，８１の特定の実施形態は、とりわけ図１３〜図２３を参照して説明される。
【００７６】
ある実施形態において、第３セキュリティ装置８１は、第１中間層１３９上に不透明なストリップを形成する印刷インクを有しており、該中間層１３９は、図８に示すようにセキュリティスレッド８２と同様な方法で広げられるように、第２ポリマページ７１の端部の間に広がっている。そのため、セキュリティスレッド８２のような本来のセキュリティスレッドからそれを裸眼で区別することは困難である。
【００７７】
第１、第２及び／又は第３セキュリティ装置３０，３５，８１はそれぞれ、互いに重なると、モアレ画像を形成する細糸アレイ形状のパターンを有し得る。そのような細糸アレイは、印刷インク又はレーザマーキングから形成され、セキュリティスレッドのようなキャリア基板、パッチ等に配置され得る。位置合わせマーク等が設けられ、使用者が細糸アレイを配列できる。
【００７８】
第１及び／又は第３セキュリティ装置３０，８１は、第１、第２及び／又は第３セキュリティ装置３０，３５，８１のうちのいずれかの観測図を調節するために配置された光学フィルタを有し得る。図５〜図８の実施形態におけるように、第１セキュリティ装置と第３セキュリティ装置３０，３５，８１は、フィルタを形成するセキュリティスレッド、パッチ等のような、不透明なキャリア基板を有し得る。代替として、フィルタは、例えば、製造中、インサート１４２又はウェブ９１に組み込まれることにより、第１又は第２ポリマ基板２０，７２によって形成され得る。フィルタは、例えば、メタメリック又は偏光させるものである。特定の実施形態において、第２セキュリティ装置３５は、照射状況に応じて色を変化させるメタメリックインクを有する少なくとも１つの第２構成要素３２を備える。第１及び／又は第３セキュリティ装置３０，８１は、メタメリックフィルタを備えており、メタメリックフィルタは、少なくとも１つの第２構成要素３２に積層し、変化する波長環境をつくり、それによって、メタメリックインクの色変更特性を明らかにする。そのような配置はＥＰ−Ａ−０９３０９７９に開示されている配置と同様である。代替として、第１及び／又は第３セキュリティ装置３０，８１はそれぞれ、積層時に互いに直交する偏光方向を有する偏光フィルタを備え得る。結果として、積層時、不透明フィルタは、暗い領域になる。代替として、第１及び／又は第３セキュリティ装置３０，８１は、積層時に暗いパターン又はイメージを明らかにするパターン化された偏光被覆等を有し得る。
【００７９】
ある実施形態において、第１セキュリティ装置３０は、第１ポリマ基板２０に配置される半透明の色シフトインクを少なくとも１つのウィンド２５内に有しており、該インクは、隣接ページ１２の繊維基板１７、又は、備えられていれば第２ポリマページ７１の不透明領域７５を背景にして見られると、色変換効果を示す。代替として、第３セキュリティ装置８１は、（例えば、製造中、インサート１４２に配置されていることによって）第２ポリマ基板７２の少なくとも１つのウィンド８０内に配置される色シフトインクを有し得る。第１ポリマページ１１のハーフウィンド２５によって形成される不透明な背景に対する反射光で、少なくとも１つのウィンド８０内の第３セキュリティ装置８１を見ると、色シフト効果を見ることができる。代替として、不透明な背景は、第１ポリマページ１１のフルウィンド２５を介して色シフトインクの背後に見ることができる繊維基板１７によって形成されてもよい。
【００８０】
第１ポリマページ１１の複数のウィンド２５は、内容が本明細書援用されているＷＯ−Ａ−２０１４１８４５６０に開示されるようなレリーフ構造を生じさせる、別の光学的可変効果形式の第１セキュリティ装置３０を有し得る。レリーフ構造は、エンボス、硬化性材料又は回折装置を構成する層を第１ポリマ基板２０に適用すること等によって形成され得る。レリーフ構造は、別の光学可変効果を発生させるメカニズム等を有することにより、伝達する情報、大きさ、色を異にする。
【実施例３】
【００８１】
図１３及び図１４は、ある実施形態を示しており、そこでは、第１、第２及び第３構成要素３１，３２，３３それぞれが、この場合は個人データ１５のポートレート２６の一部である完成図の一部を形成している。ウィンド２５，８０を介して互いを隣接させて見ると、それら（構成要素）は互いに一直線に並んでおり、完成図又はポートレート２６を形成する。第１、第２構成要素３１，３２は、第１ポリマページ１１と隣接ページ１２上に印刷インクを有している。第３構成要素３３は、第１及び／又は第２外側表面７３，７４上にインクを有することもできるが、第２ポリマページ７１の第２ポリマ基板７２内部にレーザマーキングを有する。
【００８２】
別の実施形態において、第１、第２及び／又は第３セキュリティ装置３０，３５，８１は、同一である、又は、同一第１、第２及び第３構成要素３１，３２，３３と非同一第１、第２及び第３構成要素３１，３２，３３とを有し得る。特に、それらはそれぞれ、ウィンド２５，８０において互いを隣接させて見ることができる同一セキュリティスレッド３６，８２、パッチ若しくはホイルを有し得る。結果として、セキュリティスレッド３６，８２、パッチ若しくはホイルのうちの１つ以上が偽造者によって取り替えられている場合、それらは同一ではないので、機密文書１０，７０の信憑性は、セキュリティスレッド３６，８２、パッチ若しくはホイルが同一であることを確かめることによって確認され得る。
【実施例４】
【００８３】
図１５及び図１６はある実施形態を示しており、そこでは、第１、第２及び／又は第３セキュリティ装置３０，３５，８１は、少なくとも１つの、第１、第２及び／又は第３セキュリティ装置３０，３５，８１とは別の形態において、マスクとして使用される。図示された実施形態において、第１セキュリティ装置３０は、第１ポリマ基板２０の第１基板表面２１上のウィンド２５内に配置された所有者のポートレート２６の形状である印刷インクを構成する。第１、第２ポリマページ１１，７１が互いに隣接し、第１ポリマページ１１を反射光によって見ると、第３セキュリティ装置８１は、第１セキュリティ装置３０周囲にあるが、第１セキュリティ装置３０と重なってはいないマーキングを第２ポリマ基板７２内部に構成する。マーキングは、ポートレート２６周りの背景を形成し、暗い背景又はドット、細い線若しくは別のそのようなパターンのアレイになり得る。
【００８４】
製造中、印刷プリントが、最初に第１ポリマ基板２０に適用される。続いて、少なくともウィンド８０内部にマーキング付加材を有する第２ポリマページ７１が、第１ポリマページ１１の第２外側表面１９に隣接して配置される。レーザ光は、第１ポリマページ１１のウィンド２５を経て方向付けされ、第１セキュリティ装置３０周りの第２ポリマページ７１に印を付ける。第１セキュリティ装置３０の印刷インクは、十分に不透明で、レーザ光は通過できず、レーザ光が第２ポリマページ７１に到達することを防ぐマスクとしての役割を果たす。結果として、第３セキュリティ装置８１を形成するマーキングの端部は、第１セキュリティ装置３０の印刷インクの端部とあわせて、かつ、該端部と隣接して一致されることが望ましい。
【００８５】
さらなる実施形態において、印刷インクは、隣接ページ１２のマーキングにおいてマスクとして用いられ得る。代替として、印刷インク等は、レーザマーキングが第１ポリマページ１１と隣接ページ１２において形成され得るように、第２ポリマページ７１に配置され得る。
【実施例５】
【００８６】
図１７〜図２０はある実施形態を示しており、そこでは、第１セキュリティ装置３０は第１ポリマページ１１の少なくとも１つのウィンド２５を構成しており、第３セキュリティ装置８１は、第２ポリマページ７１の少なくとも１つのウィンド８０を構成する。少なくとも１つのウィンド２５，８０の一方の端部は、少なくとも１つのウィンド２５，８０の他方の端部の内側で見ることができる。第１、第２ポリマページ１１，７１のそれぞれのウィンド２５，８０は、互いに重なり合うが、第１ポリマページ１１のウィンド２５が第２ポリマページ７１のウィンド８０より小さいので、サイズが異なる。ウィンド２５，８０は、隣接ページ１２の第２セキュリティ装置３５の隠れた部分の一部に使用され得る。特に、第２セキュリティ装置３５は、この場合、透かし形式であって少なくとも一部が外側領域１１１によって囲まれる内側領域１１０を有する。内側領域１１０は、外側領域１１１から独立して区別することができる完成図、例えば、パターン、証印、シンボル、ロゴ等を形成する。機密文書７０が隣接ページ１２と第１ポリマページ１１（図１７）の間で開かれると、透かしを全部見ることができ、機密文書７０が第１ポリマページ１１と第２ポリマページ７１（図１８）の間で開かれるとまた、第１ポリマページ１１のウィンド２５を介して透かし全部を見ることができる。しかしながら、機密文書７０が第２ポリマページ７１とカバー１３（図１９）の間で開けられると、不透明領域７５が外側領域内１１１を塞ぐため、内側領域１１０のみが第２ポリマページ７１のウィンド８０を介して見ることができる。それゆえ、使用者又は文書検査官は、第１、第２及び第３セキュリティ装置３０，３５，８１の正しい配置を確認できる。代替実施形態において、第１ポリマページ１１のウィンド２５は、第２ポリマページ７１のウィンド８０より大きく、第２ポリマページ７１は隣接ページ１２に隣接する。
【実施例６】
【００８７】
図２１〜図２３は、さらなる実施形態を示しており、そこでは、第１又は第３セキュリティ装置３０，８１は、少なくとも１つの集束素子を通して、又は、少なくとも１つの集束素子を介して見ると、第１、第２及び／又は第３セキュリティ装置３０，３５，８１の内の別のものによって形成されたパターンの図形を形成するように配置された少なくとも１つの集束素子を有する。特に、第１セキュリティ装置３０又は第３セキュリティ装置８１は、第１ポリマ基板２０又は第２ポリマ基板７２の片側に配置された集束素子アレイを構成しており、第１セキュリティ装置３０、第２セキュリティ装置３５及び／又は第３セキュリティ装置８１は、第１ポリマ基板２０又は第２ポリマ基板７２の反対側に配置された画像アレイを構成し得る。それゆえ、第１ポリマ基板２０及び／又は第２ポリマ基板７２は、集束素子アレイと画像アレイの間に光学スペーサを形成し得る。
【００８８】
集束素子を反射光によって見ると、実質的に焦点が合っている画像アレイの画像が集束素子内に見ることができるように、画像アレイは、集束素子アレイの焦点平面に配置されることが望ましい。従って、第１ポリマ基板２０及び／又は第２ポリマ基板７２の厚さと第１、第２及び／若しくは第３セキュリティ装置３０，３５，８１の配置とは、画像アレイが集束素子アレイの焦点平面にあることを保証するために、注意深く選択されなければならない。画像アレイと焦点平面の間の距離は、集束素子アレイのうち少なくとも１つの集束素子の全焦点距離の約２０％以内、より望ましくは約１０％以内、さらに望ましくは約５％以内である。
【００８９】
集束素子アレイは、例えば、レンズ又はミラーのような可視光を集光できる素子のアレイを含んでおり、該アレイは、一般的に、通常の１次元又は２次元グリッドにおける、ある領域にわたって配置されている。集束素子は、例えば、円柱状の集束素子、球形の集束素子、非球面集束素子、楕円形集束素子、フレネル集束素子等のいずれの適切な形状であってもよい。集束素子は、凹型でも凸型でもよい。集束素子は、屈折、回析若しくは反射（ミラーの場合）して作動し得る。
【００９０】
集束素子アレイと画像アレイは組み合わされ、例えば、１つ以上のモアレ拡大鏡、統合撮像装置若しくはレンズ状装置を形成することによって、光学的に様々な効果を生じさせることが望ましい。
【００９１】
モアレ拡大鏡において、画像アレイのマイクロ画像のピッチ、角度配置若しくは周期性は、集束アレイの構成要素のピッチ、角度配置若しくは周期性とわずかな程度異なり、その差違によって、集束素子アレイを介して見ることができるマイクロ画像の拡大版に至る。拡大要因は、画像アレイと集束素子アレイの間の周期性、ピッチ若しくは角度配置の間の差違の大きさに依拠する。モアレ拡大装置の例は、ＷＯ−Ａ−２０１１／１０７７８８にさらに詳細に記載される。
【００９２】
統合画像装置は、画像構成要素アレイと集束素子アレイの間の差違の代わりに、各マイクロ画像が異なる観測点からの同一目的物の図又は立体図である点以外は、モアレ拡大鏡と同様である。機密文書１０，７０が傾けられたときに観測される異なるマイク画像により、三次元図が観測される。特定の実施形態において、複合型モアレ拡大鏡は、標準的なモアレ拡大鏡と統合画像装置の異なるマイクロ画像の差違を結合することによって形成され得る。
【００９３】
レンズ状装置では、画像アレイの拡大は通常生じない。代わりに、画像アレイの素子がそれぞれ、完成図の一セクションを含み、２つ以上の完成図を形成する素子が挟み込まれる、又は、互いに重ね合わせられる。集束素子アレイを介して見ると、異なる観測角度で異なる完成図を見ることができる。集束素子アレイは、レンズ装置において円柱状の素子を有することが望ましい。典型的なレンズ状の装置は、ＵＳ−Ａ−４８９２３３６、ＷＯ−Ａ−２０１１／０５１６６９、ＷＯ−Ａ−２０１２／０２７７７９及びＵＳ−Ｂ−６８５６４６２に開示されている。
【００９４】
図２１において、第１セキュリティ装置３０は、ウィンド２５を覆う第１ポリマ基板２０の第２外側表面１９に、この場合、レンズ形状の集束素子アレイを構成し、第２セキュリティ装置３５は、隣接ページ１２の対向する表面３８に配置された画像アレイを構成する。画像アレイは、集束素子アレイと第１ポリマ基板２０を介して観測できる。図示された実施形態の第２セキュリティ装置３５は、本明細書に開示される別の構成を有するが、印刷インクの形態の第２セキュリティ構成要素３２を有する。第２ポリマページ７１を設けることは、この実施形態においては、とりわけ任意である。
【００９５】
図２２において、第１セキュリティ装置３０は、ウィンド２５に重なる第１ポリマ基板２０の第１外側表面１８に集束素子アレイを構成しており、第３セキュリティ装置８１は、第２ポリマ基板７２におけるウィンド８０内部に配置された画像アレイを構成する。図示された実施形態の第３セキュリティ装置８１は、本明細書で開示された構成とは別の構成を有するが、レーザマーキング形式の第３構成要素３３を備える。レンズを有する集束素子の場合、画像アレイは、集束素子アレイ、第１ポリマ基板２０及び第２ポリマ基板７２を介して観測することができる。ミラーを有する集束素子アレイの場合、集束素子アレイは光を反射し、第２外側表面７４から第２ポリマ基板７２介して観測できる画像アレイの下側の拡大版を示す。
【００９６】
図２３において、第３セキュリティ装置８１は、ウィンド８０に重なる第２ポリマ基板７２の第２外側表面７４に配置された集束素子アレイを構成する。第１セキュリティ装置３０は、ウィンド２５を覆う第１ポリマページ１１の第２外側表面１９に配置された画像アレイを構成しており、本実施形態で任意に設けられた第２セキュリティ装置３５は、隣接ページ１２の対向する表面３８に配置された画像アレイを構成する。図示された実施形態の第１、第２セキュリティ装置３０，３５は、本明細書で開示された構成とは別の構成を有するが、第１、第２セキュリティ構成要素３１，３２を印刷インクの形態で有する。
【００９７】
集束素子アレイは、第１ポリマページ１１に配置されると、第１ポリマページ１１の厚さと同じ範囲の焦点長を有するべきである。それゆえ、集束素子の周期性と最大ベース直径（又は拡大レンズの場合は幅）は、５〜２００μｍの範囲、より好ましくは１０〜１００μｍの範囲、さらに望ましくは１０〜７０μｍの範囲にあることが望ましい。レンズ状の集束素子のｆ数は、０．１〜１６の範囲、より望ましくは０．５〜４の範囲にあることが望ましい。
【００９８】
集束素子アレイは、第１ポリマ基板２０又は第２ポリマ基板７２に直接適用される代わりに、透明な支持層に形成され、支持層は、支持層を介して第１ポリマ基板２０又は第２ポリマ基板７２に適用され得る。支持層は、第１セキュリティ装置３０又は第３セキュリティ装置８１のベース基板から形成され、透明スレッド、ストリップ、パッチ若しくはホイルを有し得る。いずれの場合でも、集束素子アレイは、例えば、鋳型硬化、ドーム形状樹脂（例えば、ＵＳ−Ａ−７６０９４５１、ＵＳ−Ａ−２０１１／０１１６１５２に開示されているもののように）の印刷若しくは支持層又は第１、第２ポリマ基板２０，７２の表面を処理することによって製造し、その表面の特性を（ＵＳ−Ａ−２０１３００７１５８６に開示されているように）変化させる。
【００９９】
集束素子アレイを形成する表面レリーフもまた、第１ポリマ基板２０又は第２ポリマ基板７１から離れて、集束素子の間で広がる突出部を有し得る。突出部は、集束素子の高さを超えて広がり、集束素子を他の特徴部又は他のページ１１，２１，７１から離隔させ、それによって、集束素子へのダメージ又は摩滅を防ぐ。
【０１００】
集束素子はそれぞれ同一であることが望ましい。しかしながら、集束素子アレイは、互いに異なる任意の特性、例えば、焦点長、を有する素子を含み得る。例えば、集束素子アレイは、各領域において異なる焦点長まで伸びる、互いに異なる高さのレンズを含み得る。集束素子のいくつかは、第１セキュリティ装置３０の画像アレイに焦点を当て、集束素子のいくつかは、第２セキュリティ装置３５の画像アレイに焦点を当て得るので、そのような配置は、図３２の実施形態に特に適切である。代替として、複数の異なるレンズ高さは、複数のレンズ高さそれぞれに対して異なる倍率で画像アレイの画像を形成するために配置され得る。
【０１０１】
画像アレイは、それぞれもまた図形、パターン、証印、英数字、シンボル、ロゴ等である、パターン又はマイクロ画像又は画像素子を有する図形等である。画像アレイは、第１ポリマページ１１、隣接ページ１２及び／若しくは備えられていれば第２ポリマページ７１に直接適用される、又は、上述のように、第１、第２及び／若しくは第３セキュリティ装置３０，３５，８１が、画像アレイが第１、第２若しくは第３構成要素３１，３２，３３として適用されるキャリア基板を有し得る。代替として、画像アレイは、集束素子アレイを介してレーザ光を方向付けすることによって形成される、第１ポリマページ１１、隣接ページ１２及び／若しくは第２ポリマページ７１の内部又はそれら上のレーザマーキングを有してもよい。
【０１０２】
上述の光学的に発生する効果の有効性は、画像アレイが集束素子アレイを介して観察される解法に依拠し得る。それゆえ、各画像素子を形成するラインは、集束素子よりも幅が相当狭い。凹版印刷、グラビア印刷、湿式石版印刷、乾式石版印刷のような印刷技術は、注意深く最適化され、約２５μｍから約５０μｍのオーダーである適切なライン幅を有する印刷インクを得る。しかしながら、より小さい集束素子に対しては、ライン幅は１５μｍ以下であることが望ましく、５μｍ以下であることがより望ましい。ＷＯ−Ａ−２００５／０５２６５０は、そのような小さい次元を達成することに適した技術を開示している。代替として、ＷＯ−Ａ−２０１５／０４４６７１に開示されている技術が用いられ、高い解法画像アレイを形成し、ＵＳ−Ａ−２００９／０２９７８０５、ＷＯ−Ａ−２０１１／１０２８００及びＷＯ−Ａ−２０１４／０７００７９に開示されている技術がマイクロ画像又はマイクロパターンを形成するために用いられ得る。
【０１０３】
Ｅ．個人データ
個人データ１５は、第１ポリマページ１１、第１ポリマページ７１及び／若しくは隣接ページ１２内又はそれら上に提供され、１つ以上のデータページを形成する。ある実施形態において、個人データ１５は、第１ポリマページ１１、隣接ページ１２及び第２ポリマページ７１のうちの２つ又は３つに一部が配置され得る。個人データ１５、例えば、所有者のポートレート２６の一部又は全部は、第１ポリマページ１１、隣接ページ１２及び／若しくは第２ポリマページ７１のそれぞれに複写され得る。
【０１０４】
個人データ１５は、「可変データ」又は「個人データ」として知られており、機密文書１０の特定の所持者の身元を明らかにする。国際民間航空機関（ＩＣＡＯ）発行の文書９３０３の第７編（２０１５年）（機械読み取りトラベルドキュメント）は、そのような個人データを記載しており、その内容が本明細書に援用されている。通常、１つの発行機関が発行した２つの機密文書１０が同一個人データ１５を含むことはない。
【０１０５】
個人データ１５は、通常、インクジェット、ゼログラフィ、グラビア印刷、オフセット、フレキソグラフィック、石版印刷等のような印刷処理によって、第１ポリマページ１１及び／又は隣接ページ１２に適用される。ＵＶ硬化インクジェットシステムは、個人データ１５を第１ポリマ基板２０及び／又は第１ポリマページ１１の少なくとも１つの不透明層２３，２４に印刷することに特に適している。代替として、第１、第２不透明層２３，２４のうちの１つ以上が、内容が本明細書に援用されているＥＰ−Ａ−０９６１６９０に開示されている方法を使って、第１ポリマ基板２０にダメージを与えることなくレーザ切断され得る。結果として、個人データ１５の各構成要素は、第１ポリマページ１１においてフルウィンド又はハーフウィンド（以下でさらに詳細に説明される）を形成し得る。
【０１０６】
個人データ１５は、第１、第２及び／又は第３セキュリティ装置３０，８１から少なくとも一部が形成され、上記のいずれの方法でも形成され得る。特に、個人データの各構成要素は、少なくとも１つの第１、第２及び／若しくは第３構成要素３１，３２，３３及び／又はキャリア基板の外側境界線の形状によって形成され得る。
【０１０７】
個人データ１５は、異なる構成を有するように、異なる適用技術によって第１ポリマページ１１、隣接ページ１２及び／若しくは第２ポリマページ７１のそれぞれに適用される。特に、個人データ１５は、第１ポリマページ１１に対しては可能ではない方法で第２ポリマページ７１に適用される。特に、個人データ１５及び／又は第３セキュリティ装置８１は、第２ポリマ基板７２においてレーザマーキングを有していてもよく、第１ポリマ基板２０は、その材料特性のためレーザマーキングできず、代わりに印刷インク形式で個人データを有する。
【０１０８】
個人データ１５は、ウィンド２５，８０を介して選択的に見ることができる。例えば、いくつかの個人データ１５は、第１、第２ポリマページ１１，７１が互いに隣接するとき、第２ポリマページ７１の少なくとも１つのウィンド８０を介して見ることができるように第１ポリマページ１１に配置され得る。代替として、いくつかの個人データ１５は、第１、第２ポリマページ１１，７１が互いに隣接するとき、第１ポリマページ１１の少なくとも１つのウィンド２５を介して見ることができるように第２ポリマページ７１に配置されてもよい。さらに、個人データ１５のいくつかは、第１、第２ポリマページ１１，７１と隣接ページ１２が互いに隣接するとき、ウィンド２５，８０を介して見ることができるように、隣接ページ１２に配置されてもよい。特定の実施形態において、個人データ１５は、レーザアブレーションを用いて、第１、第２ポリマページ１１，７１に同時に適用され、一致される。
【０１０９】
Ｆ．機密文書と機密文書の製造のさらなる実施形態
上述の実施形態の様々な代替はまた、本発明の領域内に収まる。機密文書１０，７０は、第１ポリマ、第２ポリマ及び／又は隣接ページ１１，１２，７１を有する適切なタイプであり、それゆえ、ブックレット形式であることが望ましい。特に、機密文書１０，７０は、パスブック、身分証明書、証明書、免許証、小切手帳等である。特に、機密文書１０，７０は、所有者の身元や身分を証明し、国境を越えて旅行する権利を与える政府によって発行された公文書である、パスポートであることが望ましい。パスポートは、ＩＣＡＯにより発行された文書９３０３に提示されている要求を満たし得る。
【０１１０】
機密文書１０は、第１及び／又は第２ポリマページ１１，７１のそれぞれを複数有し、繊維性基板１７を有する隣接ページ１２を備えなくてもよい。複数の第１及び／又は第２ポリマページ１１，７１はそれぞれ、複数の第１及び／又は第２ポリマページ１１，７１が互いに隣接しているとき、互いに重なり合うウィンド２５，８０において互いに相互作用するように配置された同一又は異なる第１、第３セキュリティ装置３０，８１を有し得る。
【０１１１】
さらに、機密文書１０，７０における一続きの第１ポリマページ１１、隣接ページ１２及び備えられていれば、第２ポリマページ７１は、上記に提示されたものとは異なっていてもよい。例えば、第２ポリマ基板７２を有する第２ポリマページ７１は、隣接ページと第１ポリマ基板２０を有する第１ポリマページ１１との間に配置され得る。ある実施形態において、機密文書１０，７０は、カバー１３に隣接又は接着された繊維性基板１７の外側ページ６０を有し得る。第３ページ８５を追加する前に第１ページ５４、第２ページ５５及びさらなるページ５６を結びつけることを可能にすることによって機密文書７０の製造の容易性を改善するので、図５に図示された順序が望ましい。
【０１１２】
第１、第２及び第３セキュリティ装置３０，３５，８１は、通常、少なくとも１つのウィンド２５，８０において全て見ることができる。しかしながら、実施形態において、隣接ページ１２は、第２セキュリティ装置３５を有さず、標準的なビザページ１６を形成してもよい。それゆえ、「第２」又は「第３」という言葉が付されたセキュリティ装置３５，８１は、機密文書１０，７０の必要条件に言及しておらず、２つ又は３つの異なるセキュリティ装置３０，３５，８１を有することを意味する。代わりに、単に本開示全体にわたって、「第１」、「第２」及び「第３」という言葉が付されたセキュリティ装置３０，３５，８１が、単に用語体系として使用される。代わりに、第１、第２及び／又は第３セキュリティ装置３０，３５，８１はそれぞれ、第１ポリマページセキュリティ装置３０、隣接ページセキュリティ装置３５及び／又は第２ポリマページセキュリティ装置８１として言及され得る。
【０１１３】
第１ポリマページ１１は、複数のウィンド２５を備えており、それぞれが、それぞれに配置された少なくとも１つの第１セキュリティ装置３０を有しており、備えられていれば、第２ポリマページ７１もまた、複数のウィンド８０を有しており、それぞれが、それぞれに配置された少なくとも１つの第３セキュリティ装置３０を備えている。複数のウィンド２５，８０のそれぞれは、その中に、第１又は第３セキュリティ装置３０，８１を有していないか又は、異なる第１又は第３セキュリティ装置３０，８１を有し得る。
【０１１４】
前記実施形態において、第１及び第３セキュリティ装置３０，８１は、少なくとも一部が、第１及び第２ポリマページ１１，７１のウィンド２５，８０に配置される。しかしながら、少なくとも１つの第１及び／又は第３セキュリティ装置３０，８１は、ウィンド２５，８０の外側の第１及び／又は第２ポリマページ１１，７１に配置され得る。例えば、少なくとも１つのセキュリティ装置３０は、第１ポリマページ１１の少なくとも１つの不透明層２３，２４又は不透明領域７５を覆う第２ポリマページ７１の複数の層の間又はそれらの層の内の１層の内部に配置され得る。少なくとも１つの第１及び／又は第３セキュリティ装置３０，８１はそれぞれ、第１及び第２ポリマページ１１，７１が互いに重なるとき、第２又は第１ポリマページ１１，７１の少なくとも１つのウィンド２５，８０を介し、反射光で依然見ることができる。
【０１１５】
さらに、少なくとも１つの第１及び／又は第３セキュリティ装置３０，８１は、ウィンド２５，８０の外側に配置されるが、それらは、第１及び第２ポリマページ１１，７１が互いに重なり合って配置されるとき、可視又は非可視反射光で共に見ることができるように配置され得る。特に、少なくとも１つの第１又は第３セキュリティ装置３０，８１は、それ／それらが、第１又は第２ポリマページ１１，７１から最も離れた、第１又は第２ポリマページ１１，７１の表面から見ることができるように配置される。例えば、第１セキュリティ装置３０は、図１の実施形態において、第１ポリマページ１１の第２外側表面１９に又は該表面１９の下に配置されてもよいし、図６の実施形態において、第１ポリマページ１１の第２外側表面１９に又は該表面１９の下に配置されてもよい。図６の実施形態において、第３セキュリティ装置８１は、第２ポリマページ７１の第２外側表面７４に又は該表面７４の下に配置され得る。結果として、第１及び第３セキュリティ装置３０，８１は、比較するためにあわせて見られ、それらの一致を確認する。そのような配置にある第１及び第３セキュリティ装置３０，８１は、個人データ１５の複写部分又は独立部分から構成されることが望ましい。そのような配置において、第１及び第３セキュリティ装置３０，８１は、前記一致のいずれかを有する上述のいずれかの種類であり得る。
【０１１６】
少なくとも１つのウィンド２５，８０の境界線は、例えば、認識可能なパターン、証印、英数字、シンボル、ロゴ（例えば機密文書１０の発行機関のロゴ）、図等の適切な形状であり得る。「認識できる」という言葉は、明瞭な情報又はデータのいくつかの形式を伝達する形状を表し得る。少なくとも１つのウィンド２５，８０は、実質的に透明なので、光を通すことができ、そのウィンドを介して物体を見ることができる。少なくとも１つのウィンド８０は、透明、色つき等であり得る。
【０１１７】
さらに、図２４に示されるように、第１ポリマページ１１の少なくとも１つのウィンド２５は、「ハーフ」ウィンドであり得る。不透明層２３，２４は、第１及び第２基板表面２１，２２の一方だけに配置される、又は、第１及び第２不透明層２３，２４が第１及び第２基板表面２１，２２の非対向領域を覆う。従って、第１不透明層２３は、第１基板表面２１の局所領域に存在せず、第２不透明層２４は第２基板表面２２の対向する局所領域に存在する（逆もまた同様である）。局所領域は、第１又は第２基板表面２１，２２上にあり、第２ポリマページ７１に隣接していることが望ましい。第１セキュリティ装置３０は、第２ポリマページ７１の少なくとも１つのウィンド８０を介して見ることができるように、この少なくとも１つのハーフウィンド２５内に配置され得る。従って、ハーフウィンドは、第１及び第２基板表面２１，２２上に第１及び第２不透明層２３，２４を有する第１ポリマページ１１よりも不透明ではないが、フルウィンド２５よりも透明ではない。少なくとも１つのウィンド２５は、フルウィンドとハーフウィンドの組み合わせを有しており、第１ポリマページ１１の端部内又はその１つ以上の端部に配置され得る。特別な実施形態において、フルウィンドは、ハーフウィンド内部又はハーフウィンドに少なくとも一部が重なって配置され得る。
【０１１８】
第１及び／又は第２ポリマページ１１，７１は、端部の少なくとも一部に配置され、それらに沿って広がる所望の形状のさらなるウィンドを有し得る。第１ポリマページ１１の場合、少なくとも１つの不透明層２３，２４は、少なくとも一端部に隣接する第１及び／又は第２基板表面２１，２２から省かれ得る。第２ポリマページ７１の場合、不透明領域７５は、端部に沿った形状等を有し、さらなるウィンドは、上述の又はＷＯ−Ａ−２０１５／１０４０１１に開示された方法に従って形成され得る。代替として、さらなるウィンドは、第１及び第２不透明層１３４，１３５、インレ１３６及び／又は第１中間層１３９の透明な部分を備えることによって形成され得る。
【０１１９】
第１及び／又は第２ポリマページ１１，７１及び／又は隣接ページ１２は、別の適切な追加セキュリティ特徴部を有し得る。図、個人データ１５若しくは別の特徴部は、印刷インクを有しており、インクは、発光性、蛍光性、真珠光沢性等があり得る。別の適切なセキュリティ特徴部は、スレッド、ストリップ、パッチ、ホログラム、キネグラム若しくは回折素子、にじ色又は色シフト材料、マイクロテキスト、細線パターン、潜像、ベネチアンブラインド装置、レンズ状の装置、モアレ干渉、拡大装置、透かし、エンボス加工、穿孔等のうち、少なくとも１つを含み得る。そのような要素を適用するための典型的な技術はいずれも利用でき、接着、ラミネート加工、ホットスタンピング、トランスファ方法等によって接合しながら、硬化性インク又は樹脂を少なくとも１つの不透明層２３，２４及び／又は第１ポリマ基板２０に注ぐことを含む。
【０１２０】
とりわけ少なくとも１つのウィンド８０の周りの第２ポリマページ７１の不透明領域７５は、第１及び第２外側表面７３，７４において見ると、均一な色を形成していることが望ましい。ある実施形態において、不透明領域７５は、反射光で見ると、第１外側表面７３で第１色、第２外側表面７４で第２色として見ることができる。例えば、第２不透明層１３５と第１中間層１３９は、異なる色を形成するために異なる付加剤を有する。第１及び／又は第２外側表面７３，７４を反射ＵＶ光で見ると、異なる色だけが明らかになるように、蛍光性の付加剤が選ばれ得る。特に、付加剤が第１不透明層１３４とインレ１３６に含まれ、かつ／又は、第１不透明層１３４，第２不透明層１３５、インレ１３６及び／若しくは第１中間層１３９が十分に厚ければ、第２ポリマページ７１の厚み内で（つまり、片側から見ると）、異なる色を見ることができる。
【０１２１】
さらに、上記の例のいずれにおいても、機械読み取り材料は、第１ポリマ基板２０かつ／又は第２ポリマ基板７２又は繊維性基板１７に含まれ得る。例えば、機械読み取り材料は、複数のプラスチック層１３２又はインサート１４２のいずれかに含まれ得る。代替として、それらは、さらなる機械読み取り層又は材料を有し得る。機械読み取り材料は、蛍光性、燐光性、赤外線吸収性、熱変色性、光発色性、磁気性、エレクトロクロ−ミック、伝導性及びピエゾクロミック材料を含むがこれらに限定されるわけではない、外部刺激に反応する検知可能な材料を含み得る。
【図１】
2019515810.tif 000003
【図２】
2019515810.tif 000004
【図３】
2019515810.tif 000005
【図４】
2019515810.tif 000006
【図５】
2019515810.tif 000007
【図６】
2019515810.tif 000008
【図７】
2019515810.tif 000009
【図８】
2019515810.tif 000010
【図９】
2019515810.tif 000011
【図１０】
2019515810.tif 000012
【図１１】
2019515810.tif 000013
【図１２】
2019515810.tif 000014
【図１３】
2019515810.tif 000015
【図１４】
2019515810.tif 000016
【図１５】
2019515810.tif 000017
【図１６】
2019515810.tif 000018
【図１７】
2019515810.tif 000019
【図１８】
2019515810.tif 000020
【図１９】
2019515810.tif 000021
【図２０】
2019515810.tif 000022
【図２１】
2019515810.tif 000023
【図２２】
2019515810.tif 000024
【図２３】
2019515810.tif 000025
【図２４】
2019515810.tif 000026
【手続補正書】
【提出日】平成30年9月13日(2018.9.13)
【手続補正１】
【補正対象書類名】明細書
【補正対象項目名】全文
【補正方法】変更
【補正の内容】
【発明の詳細な説明】
【技術分野】
【０００１】
本開示は、第２ポリマページに隣接する第１ポリマページを有する機密文書に関する。本開示はさらに、少なくともさらなる１ページと隣接して取り付けられるポリマページを有する機密文書に関する。さらなるページは、繊維性基板又はポリマを備えていてもよい。本開示はさらに、そのような機密文書とそのような機密文書を多数製造する方法に関する。
【背景技術】
【０００２】
パスポート、通帳、身分証明証、免許証、許可証、小切手帳等のような機密文書やブックレットは、通常、情報が提供されている１以上のセキュリティページを有する。パスポートブックレットは、一般的にカバーとカバーの間に複数の内側ビザページを有する。一般的に、ビザページは、約８５ｇｓｍの坪量を有する紙から作られ、縫い線に沿って縫い合わされる。カバーはビザページの外側に接着されており、それによって、縫い線を保護する。少なくとも１つのデータページは、通常、１枚のビザページとカバーの間に配置されており、通常フィルム又はラッカーとして用いられるポリマラミネートの層により覆われた印刷個人データを含んでいる。この層は、データを保護し、偽造や詐欺的改変を防ぐことに役立つ。データページは、繊維性基板から形成され、透かし、レーザ穿孔、セキュリティ繊維、セキュリティスレッド、セキュリティ印刷等のセキュリティ特徴部を備え得る。
【０００３】
代替として、データページは、プラスチックを含むシートから形成されてもよく、そのプラスチックは、一般的にポリカーボネイトである。プラスチックデータページは、繊維性基板データページより耐久性があり、偽造者による離層を防ぐ。プラスチックセキュリティシートは、例えば、ＵＶ反応装置といった様々なセキュリティ特徴部、光学的可変特徴部、窓付けされた又は透明な特徴部、レーザ穿孔、レーザマーキング及び触知特徴部を備え得る。
【０００４】
製造中、多数の薄いプラスチック層が互いに重なり合い、共に融合され、それによってより厚いプラスチックシートを形成する。より薄い層を融合する最も一般的な方法は、それらの層をスチール又はブラス積層プレートの“サンドイッチ”の間に配置し、該積層プレートを介してより薄いプラスチック層を加熱することを含む。しかしながら、そのような方法は、比較的、各加熱サイクルが約３０分要するため、時間的に非効率であり、積み重ね全体にわたる温度と圧力分布が異なるため、プラスチックシートの非均一な融解と質に至り得る。機密文書用のプラスチックデータページを製造する代替的で半連続的な方法は、ＵＳ−Ｂ−６６６９８１３に開示されている。薄いプラスチック層は、一連の加熱装置と冷却装置を介して２つの対向する連続ベルトの間で徐々に運ばれる前に、融合される。薄いプラスチック層の部分は、連続ベルトによって初めは静止したままにされており、該層は、プラスチックシートに融合するため、加熱装置によって、あわせて圧力をかけられた状態で加熱され、圧縮される。通常１分以下の所定の時間後、連続ベルトは、該部分を冷却装置の間へ移動させ、該部分を冷却し、一般的に１分以下の間、再び加圧する。結果として生じたプラスチックシートは、実質的に均一な質である。
【０００５】
しかしながら、新しく改善されたセキュリティ特徴部は、権力を発する機密文書のために改良され、偽造方法に先行しなければならい。
【発明の概要】
【発明が解決しようとする課題】
【０００６】
そのため、本発明は、通常、実質的に柔軟性があることが好ましいポリマ基板を複数ページの機密文書に組み込むことに関する。そのような柔軟なポリマ基板は通常、「ポリマ」紙幣を形成するために使用され、様々なセキュリティ特徴部を含み得る。本発明の目的は、柔軟なポリマ基板を複数ページの機密文書に組み込む困難性を解決することと、柔軟なポリマ基板を有する機密文書のセキュリティを高めることを含む。さらなる目的は、柔軟なポリマ基板を含むセキュリティ文書を製造する改良方法を提供することである。
【課題を解決するための手段】
【０００７】
それゆえ、本発明は、第２ポリマページに隣接する第１ポリマページを有する機密文書を提供し、第１ポリマページは第１ポリマ基板を有しており、第２ポリマページは第２ポリマ基板を有しており、第１ポリマ基板は第２ポリマ基板とは異なる構造及び／又は材料である。第２ポリマページは、第１ポリマページより厚くてもよい。
【０００８】
第１ポリマ基板は、繊維基板セキュリティシートより耐久性があり、偽造者による離層がされにくい。さらに、第１ポリマ基板は、ポリカーボネイトに基づくデータページより薄く、そのため、より小型の機密文書を生成する。様々な異なるセキュリティ特徴部と装置もまた、第１ポリマ基板に含まれ、セキュリティ特徴部のみによってであろうと、隣接するページのセキュリティページとの相互作用によってであろうとに関わらず、偽造の困難性を高め得る。
【０００９】
第１ポリマ基板は柔軟なフィルムであってもよく、第２ポリマ基板は硬いシートであってもよい。言い換えると、第２ポリマ基板及び／又は第２ポリマページは、第１ポリマ基板及び／第２ポリマページよりも曲がりにくく、柔軟性がなく、硬い又は高い曲げ剛性を有する。特に、第２ポリマ基板は実質的に厚く、好ましくは、第１ポリマ基板の少なくとも２倍の厚さであり、さらに好ましくは少なくとも３倍の厚さであり、第１ポリマ基板より硬い。さらに、少なくとも１つの不透明な層が通常、第１ポリマ基板の外側に配置されるが、第１ポリマ基板は、その内部には不透明な領域又は層を含まなくてもよい。しかしながら、第２ポリマ基板は、通常、より厚いので、第２ポリマ基板内で融合された少なくとも１つの不透明なプラスチック層又はフィラーから形成された領域であって、第２ポリマ基板の外側表面から離隔された不透明な領域を含み得る。特に望ましい実施形態において、第１ポリマ基板は、二軸延伸ポリプロピレン（ＢＯＰＰ）フィルムを有しており、第２ポリマ基板は、ポリカーボネイトシートを有する。
【００１０】
本発明はさらに、請求項に示されるように、そのような機密文書を多数提供し、前記機密文書を製造する方法を提供する。本開示はまた、そのような機密文書を、第１ポリマページより厚い第２ポリマページの代替として提供しており、そこでは、第２ポリマ基板は第１ポリマ基板よりも厚い。
【００１１】
本発明は、さらに、少なくとも１枚のさらなるページに隣接するポリマ基板を有する機密文書を提供し、そこでは、ポリマページは、ポリマ基板と、ポリマ基板の少なくとも一面に少なくとも１つの不透明な層を有し、少なくとも１つの不透明な層は、少なくとも１つの局所領域において除かれて、ポリマページと少なくとも１枚のさらなるページが互いに重なって配置され、ポリマページを反射光でみると、隣接したさらなるページを少なくとも１つのウィンド内で見ることができるように少なくとも１つのウィンドを形成する。本発明はさらに、そのような機密文書を多数提供し、請求項で設定するような機密文書を製造する方法を提供する。
【図面の簡単な説明】
【００１２】
実施例としてのみ、本発明に係る機密文書と製造方法の実施形態は、添付図面を参照して説明される。
【図１】本発明に係るパスポートの開いた形態の概略図を示す。
【図２】第１ポリマページと隣接するページの間で開かれた図１のパスポートの平面図を示す。
【図３】図２の第１ポリマページのＡ−Ａによる断面側面図を示す。
【図４】第１ポリマページとカバーの間で開かれた図２のパスポートの平面図を示す。
【図５】第１ポリマページと第２ポリマページの間で開かれた本発明に係るパスポートのさらなる実施形態の概略図を示す。
【図６】第１ポリマページと隣接ページの間で開かれた図５のパスポートの概略図を示す。
【図７】Ｂ−Ｂによる図５の第２ポリマページの断面側面図を示す。
【図８】第２ポリマページとカバーの間で開かれた図５のパスポートの平面図を示す。
【図９】図５のパスポートの折り線領域の概略断面側面図を示す。
【図１０】本発明の機密文書の第１ポリマページを形成する装置の概略図を示す。
【図１１】本発明の機密文書の第２ポリマページを形成するために、第２ポリマ基板に積層される前の複数のプラスチック層の側面断面図を示す。
【図１２】図１１の複数のプラスチック層から本発明の機密文書の第２ポリマページを製造する方法において使用する装置の断面側面図である。
【図１３】カバーページと第２ポリマページの間で開けられた本発明のパスポートのさらなる実施形態の平面図である。
【図１４】図１３のパスポートのＣ−Ｃセクションの第１ポリマページと第２ポリマページの断面側面図である。
【図１５】隣接ページと第１ポリマページの間で開けられた本発明のパスポートのさらなる実施形態の平面図である。
【図１６】図２４のパスポートのＤ−Ｄセクションの第１ポリマページと第２ポリマページの断面側面図である。
【図１７】隣接ページと第１ポリマページの間で開けられた本発明のパスポートのさらなる実施形態の平面図である。
【図１８】第１ポリマページと第２ポリマページの間で開けられた図１７のパスポートの平面図である。
【図１９】第２ポリマページとカバーの間で開けられた図１７のパスポートの平面図である。
【図２０】図１９のパスポートの隣接ページと第１、第２ポリマページのＥ−Ｅセクションによる断面側面図である。
【図２１】本発明の機密文書のさらなる実施形態の隣接ページと第１、第２ポリマページの断面側面図であり、第１ポリマページは、集束素子アレイを有することを示す。
【図２２】本発明の機密文書のさらなる実施形態の隣接ページと第１、第２ポリマページの断面側面図であり、第１ポリマページは、集束素子アレイを有することを示す。
【図２３】本発明の機密文書のさらなる実施形態の隣接ページと第１、第２ポリマページの断面側面図であり、第２ポリマページは、集束素子アレイを有することを示す。
【図２４】本発明の機密文書のさらなる実施形態の隣接ページと第１、第２ポリマページの断面側面図である。
【発明を実施するための形態】
【実施例１】
【００１３】
Ａ．機密文書
図１から図４は、本発明に係る機密文書１０を示す。この場合の機密文書１０は、パスポートであり、互いに相対して回転できるように端部で取り付けられた第１ポリマページ１１と、第１ポリマページ１１に隣接する隣接ページ１２と、カバー１３と、を備える。図示された実施形態において、ページ１１，１２とカバー１３は、ヒンジとも呼ばれ得る折り線１４に沿って取り付けられる。この例において、第１ポリマページ１１は、機密文書１０の所有者に関する個人データ１５を含むデータページである。隣接ページ１２は、一般的に、例えば、紙等の繊維性基板１７から作られる複数のビザページ１６のうちの１ページを形成し、例えば、セキュリティファイバや透かしといった多数のセキュリティ特徴部を含み得る。
【００１４】
図３にさらなる詳細が示されているように、第１ポリマページ１１は、第１外側表面１８、第２外側表面１９の間に広がっており、第１ポリマ基板２０を有する。第１ポリマ基板２０は、第１ポリマページ１１の本体を形成し、第１基板表面２１、第２基板表面２２を有する。第１ポリマ基板２０は、観察者が対象をはっきりと見ることができるように透き通っていることが望ましい。しかしながら、第１ポリマ基板２０は、著しい散光なく光を通すことができれば、色付きでなくても色付きであってもよい。第１ポリマ基板２０の厚さは、約５０μｍから約１００μｍの範囲であることが望ましく、約６０μｍから約８０μｍの範囲にあることがより望ましく、約７０μｍであることが最も望ましい。
【００１５】
第１ポリマ基板２０は、１つ以上のポリマ材料から形成され、望ましくはプラスチック、さらに望ましくは熱可塑性物質から形成される。ポリマ材料は、合成物質であってもよく、例えば、ポリプロピレン（ＰＰ）、二軸延伸ポリプロピレン（ＢＯＰＰ）、ポリブチレン・テレフタレート（ＰＢＴ）、ポリエチレン・テレフタレート（ＰＥＴ）、ポリエチレン（ＰＥ）、ポリカーボネイト（ＰＣ）、ポリ塩化ビニル（ＰＶＣ）、ナイロン、アクリル、環状オレフィンポリマ（ＣＯＰ）若しくは環状オレフィン共重合体（ＣＯＣ）のうちの少なくとも１つを含んでいてもよい。それらの適切な混合は、テスリン（商標登録）（ＲＴＭ）及びＰＥとＰＰの混合を含む。ＢＯＰＰは特に適している。第１ポリマ基板２０は、非繊維性であってもよく、非多孔質であってもよい。第１ポリマ基板２０は、モノリシックであり、１種類の材料から形成されていてもよく、多層状であり、同種又は異種のポリマの多層を有していてもよい。
【００１６】
少なくとも１つの不透明な層２３，２４は、第１基板表面２１及び／又は第２基板表面２２上に配置され、第１ポリマページ１１の少なくとも１つのウィンド２５を構成又は縁取る。第１ポリマ基板２０は、基板内部に不透明な領域又は層を含まなくてもよい。少なくとも１つの不透明な層２３，２４は、実質的に不透明であり、第１ポリマページ１１を介して光が伝達することを実質的に妨げる。少なくとも１つの不透明な層２３，２４は、実質的に透明でない材料を含んでおり、層上に配置された図形と個人データ１５のための適切な背景を提供する。少なくとも１つの不透明な層２３，２４は、例えば色素のような、光散乱物質を少なくとも含む重合体非繊維性材料を含んでいてもよい。例えば、少なくとも１つの不透明層２３，２４は、樹脂、例えば、ポリウレタンベースの樹脂、ポリエステルベースの樹脂若しくはエキスポベースの樹脂と、不透明色素、例えば、二酸化チタン、シリカ、酸化亜鉛、酸化スズ、粘土若しくは炭酸カルシウムを含んでいてもよい。少なくとも１つの不透明層２３，２４は、より色の濃い図形や個人データ１５と適切な差違を提供するために薄い色であることが望ましく、白又は別の色、例えば、オフホワイト又はグレーであることが最も望ましい。それゆえ、望ましくは、少なくとも１つの不透明層２３，２４は、ＣＩＥ  Ｌ＊ａ＊ｂ＊色空間において、Ｌ＊の明度が少なくとも７０であり、望ましくは少なくとも８０であり、より望ましくは少なくとも９０である。
【００１７】
少なくとも１つの不透明層２３，２４は、第１基板表面２１かつ／又は第２基板表面２２の少なくとも大部分を覆うことが望ましい。図示された実施形態において、第１、第２不透明層２３，２４は、第１ポリマページ１１の「フル」ウィンド２５を形成するための対応する又は対向する局所領域以外の、第１、第２基板表面２１，２２全面を覆う。フルウィンド２５は、透明な第１ポリマ基板２０から形成されているので、実質的に透明である。図示された実施形態において、少なくとも１つのウィンド２５は、四角形形状の境界線を有する。
【００１８】
第１ポリマページ１１は、さらに、第１ポリマ基板２０の第１基板表面２１かつ／又は第２基板表面２２と、第１不透明層２３かつ／又は第２不透明層２４の間に中間層（図面には示されていない）を備えていてもよい。中間層は、少なくとも１つの不透明層２３，２４と第１ポリマ基板２０との接着をより良くするためのプリマ層を備えていてもよい。プリマ層は、色付けすることも、別の光学的に検出可能な材料を含むこともできるが、透明で色付きでないほうが望ましい。プリマ層は、ポリエチレンイミン、末端ヒドロキシル基ポリマ、共重合体基末端ヒドロキシル基ポリエステル、架橋結合又は非架橋結合ヒドロキシルアクリレート、ポリウレタン及びＵＶ硬化性陰アニオン性又は陽イオン性アクリレートのうち、少なくとも１つを含んでいてもよい。
【００１９】
複数の英数字を有することが望ましい個人データ１５は、第１不透明層２３かつ／又は第２不透明層２４内又は該層２３，２４上に配置される。個人データ１５は、例えば、所有者のポートレート２６、所有者の名前、国籍及び生年月日を提供するテキスト２７及び機械読み取り用データを含む機械読み込み領域２８を含み得る。
【００２０】
個人データ１５は、適切な方法、例えば、印刷インクを含むことによって第１ポリマページ１１に組み込まれ得る。個人データ１５は、ＵＶ硬化インクジェット印刷によって少なくとも１つの不透明層２３，２４に付されることが望ましい。さらなる代替を以下に記載する。
【００２１】
第１ポリマページ１１もまた、機密文書１０を本物であると認証するために、第１ポリマ基板２０内部かつ／又は少なくとも１つの不透明層２３，２４上に別のセキュリティ特徴部を複数有し得る。図形の層もまた、個人データ１５の周辺又は個人データ１５の下の少なくとも１つの不透明層２３，２４上に提供され得る。図形は、印刷インクを含んでいてもよく、複数のセキュリティ文書１０にわたって同一である非可変データの形式であってもよい。図形は、組みひも飾りのようなしっかりとした細線パターンを含んでいてもよく、パターン、証印、シンボル、ロゴ（例えば、機密文書１０の発行機関のロゴ）、マイクロテキスト等を含んでいてもよい。
【００２２】
第１ポリマページ１１はさらに、少なくとも１つの第１セキュリティ装置３０を有しており、該装置３０は、少なくとも一部がウィンド２５に配置され得、又は、代替としてウィンド２５の外側に配置され得る。図示された実施形態において、第１セキュリティ装置３０は、ウィンド２５内に完全に配置される、第１構成要素３１を有する。少なくとも１つの第１セキュリティ装置３０は、第１基板表面２１上に配置されるか、少なくとも一部又は全部が第１ポリマ基板２０内に埋め込まれるか、第２基板表面２２上に配置され得る。図示された実施形態において、第１構成要素３１は、第１基板表面２１上に印刷されており、第１構成要素３１の境界線は、中空の三角形形状である。第１セキュリティ装置３０の種々の別の実施形態はさらに以下に記載される。
【００２３】
第１ポリマページ１１は、とりわけ、第１ポリマ基板２０が比較的薄いため、実質的に柔軟である。第１外側表面１８と第２外側表面１９との間の距離（つまり、第１ポリマ基板２０と少なくとも１つの不透明層２３，２４とを含む距離）である、第１ポリマページ１１の厚さはｍ約５０μｍから約２００μｍの範囲内であることが望ましく、約５０μｍから約１５０μｍの範囲内であることがより望ましい。
【００２４】
隣接ページ１２は、少なくとも１つの第２セキュリティ装置３５を有しており、少なくとも１つの第２セキュリティ装置３５は、少なくとも１つの第２構成要素３２を有する。第２セキュリティ装置３５は、対向する表面３８に適用又は付着されてもよく、又は、少なくとも一部が本分野で既知の方法で対向する表面３８に埋め込まれてもよい。図示された実施形態において、少なくとも１つの第２セキュリティ装置３５は、繊維性基板１７に組み込まれた、又は該基板１７に適用されたセキュリティスレッド３６を有しており、該基板１７は、第１ポリマページ１１と対向する繊維性基板１７の表面３８に、少なくとも１つの露出樹脂３７を有する。図示された実施形態において、セキュリティスレッド３６は、一部が埋められており、その部分は、例えば、ＷＯ−００／３９３９１、ＥＰ−Ａ−００５９０５６及びＷＯ−Ａ−２００４／００１１３０に開示されているように、繊維性基板１７において、複数のブリッジ３９によって覆われている。代替として、セキュリティスレッド３６は、一方の面で断続的に露出していてもよいため、露出樹脂３７は、隣接ページ１２の全体にわたって広がっている。セキュリティスレッド３６を形成するのに適した材料は、テレフタル酸エステル（ＰＥＴ）、配向ポリプロピレンフィルム（ＯＰＰ）、ポリエチレン（ＰＥ）若しくはポリケトン（ＰＫ）を含む。これらの材料は、メタライズ層、印刷若しくは別のセキュリティ特徴部が提供されるベース基板を形成し得る。セキュリティスレッド３６の幅は、約１ｍｍから２０ｍｍの間であることが望ましい。
【００２５】
少なくとも１つの第２構成要素３２は、セキュリティスレッド３６の露出樹脂３７に配置される。第２構成要素３２は、セキュリティスレッド３６上の印刷、セキュリティスレッド３６のメタライズされていない部分、若しくは、セキュリティスレッド３６内又はセキュリティスレッド３６上の別の適切なマーキングを有し得る。図示された実施形態において、第２構成部品３２の境界線は、第１構成要素３１の三角形よりも小さい、中空でない三角形形状である。第２セキュリティ装置３５の種々の別の実施形態を、さらに以下に記載する。
【００２６】
図４に示されるように、第１ポリマページ１１の第１外側表面１８と、隣接ページ１２の対向する表面３８は、折り線１４の周辺で接続され得る。隣接ページ１２は、第１ポリマページ１１の第２外側表面１９に入射する反射光で見ると、少なくとも１つのウィンド２５を介して見ることができる。反射光は、可視光であってもよいし、非可視光であってもよい。第１、第２セキュリティ装置３０，３５と、特に第１、第２構成要素３１，３２は、少なくとも１つのウィンド２５において共に見ることができ、互いに一致されていることが望ましい。図示された実施形態において、第２構成要素３２は、第１構成要素３１の中空の三角形内で中空でない三角形形状として見ることができ、第１、第２構成要素３１，３２は、互いに一致している。第１、第２構成要素３１，３２は、同一だが異なる大きさの外側境界線形状により、また、第２外側表面１９を反射光で見ると、第１構成要素３１内に配置されている第２構成要素３２により、互いに一致している。
【００２７】
機密文書１０は、折り線１４に沿って取り付けることによって、第１ポリマページ１１と隣接ページ１２を縁に沿って互いに取り付けられ、折り線１４に関して互いに関連して回転又は旋回できる適切な形状に形成され得る。例えば、機密文書１０は、ＷＯ−Ａ−２０１１／１５１６３８で開示されている方法で構成され得る折り線１４に沿った縫い線を備え得る。機密文書１０は、第１ポリマページ１１、隣接ページ１２及びビザページを形成し、縫い線に沿って取り付けられた複数のページを備え得る。少なくとも１つの縫糸は、複数のビザページ１６を形成する繊維性基板１７と第１ポリマページ１１を形成する第１ポリマ基板２０を貫通し得る。外側ビザページ１６と第１ポリマ基板２０の全部又は一部がカバー１３にくっつけられ、ブックレットを形成する。
【００２８】
偽造者は、そのような機密文書１０を製造するために、第１、第２セキュリティ装置３０，３５を第１ポリマページ１１と隣接ページ１２の両方に埋め込む必要がある。以下の記載から明らかになるように、異なる材料と異なる第１、第２セキュリティ装置３０，３５を形成するために相当異なる機械が必要とされ、それによって偽造するコストと必要な技術のレベルが増す。偽造者はまた、第１、第２セキュリティ装置３０，３５が少なくとも１つのウィンド２５を介して見ることができるように、第１、第２セキュリティ装置３０，３５と少なくとも１つのウィンド２５が互いに正確に配置されていることを確かめる必要がある。
【実施例２】
【００２９】
Ｂ．第２ポリマページの機密文書への組み入れ
図５〜図８は、本発明のさらなる実施形態を示しており、そこでは、機密文書７０が、望ましくは第１ポリマページ１１とカバー１３との間に配置される第２ポリマページ７１を備える。図５〜図８は、必要に応じて、図１〜図４で用いられた参照符号に相当する番号を含む。図示されているように、第２ポリマページ７１は、データページであり、個人データ１５を含むことが望ましい。
【００３０】
第２ポリマページ７１は、第１ポリマページ１１の構成と異なる構成を有することが望ましい。特に、第１、第２ポリマページ１１，７１の構成は、構造及び／又は材料に関して異なる。結果として、第１、第２ポリマページ１１，７１をそれぞれ生成するために異なる技術が必要とされ、偽造の困難性が増す。異なる構成は、異なる材料、不透明層の配置、厚さ、剛性及びセキュリティ特徴部を含む性能に起因する。特に望ましい実施形態において、第１ポリマページ１１は、単一層から形成された第１ポリマ基板２０と第１及び／又は第２基板表面２１，２２上の少なくとも１つの外側不透明層２３，２４とを備えており、第２ポリマページ７１は、融合された複数のプラスチック層から形成される。
【００３１】
第２ポリマページ７１は、実質的に硬い第２ポリマ基板７２又は第１外側表面７３と第２外側表面７４を有する「プラスチック基板」とを備えていることが望ましい。第１、第２外側表面７３，７４のそれぞれは、実質的に平坦で平面であることが望ましい。第２ポリマ基板７２は、実質的に層状ではない構造又は単一構造に融合された複数の層から形成される。第２ポリマ基板７２は、望ましくは非繊維性であり、第１ポリマ基板２０とは異なる合成ポリマを有することが望ましい。第２ポリマ基板７２は、熱可塑性ポリマ、例えば、ポリカーボネイト、ポリエステル、ポリエチレン、ポリプロピレン若しくはポリ塩化ビニルであってもよい。ポリカーボネイトは、その高い耐久性、製造の容易性及びセキュリティ特徴部の組み込み易さのため、特に適している。
【００３２】
第２ポリマページ７１は、第１ポリマページ１１より厚い。第１、第２外側表面７３，７４の間の距離である第２ポリマ基板７２の厚さは、少なくとも約１５０μｍであることが望ましく、さらに望ましくは少なくとも約３００μｍである。特に、第２ポリマ基板７２の厚さは、約３００μｍ〜約１０００μｍの間であり、より望ましくは、約６００μｍ〜約８００μｍの間であってもよく、例えば、約３００μｍ又は約８００μｍであり得る。第２ポリマ基板７２は、第１ポリマ基板２０より実質的に厚く、かつ、硬い。特に、第２ポリマ基板７２又は第２ポリマページ７１は、第１ポリマ基板２０又は第１ポリマページ１１の厚さの少なくとも２倍、より望ましくは３倍の厚さである。隣接ページ１２は、第２ポリマページ７１より薄く、第１ポリマページ１１より厚いことが望ましい。
【００３３】
図７に示されるように、第２ポリマ基板７２は、その厚み内部の領域であって、第１及び第２の実質的に透明な領域７６，７７よって第１、第２外側表面７３，７４から離されている実質的に不透明な領域７５を備えていることが望ましい。不透明な領域７５の少なくとも一部は、少なくとも１つの第３の実質的に透明な領域７８に面する。第１、第２及び第３透明な領域７６，７７，７８は、第２ポリマ基板７２を介する少なくとも１つのウィンド８０を形成する。図示された実施形態において、単一四角形形状のウィンド８０は、第２ポリマ基板７２の厚さを経て広がる。
【００３４】
個人データ１５は、第２ポリマ基板７２内の一連のレーザマーキング又は型彫によって、不透明領域７５と第１外側表面７３との間の第１透明領域７６において形成され得る。第１外側表面７３が配置されている第１透明領域７６のため、第１外側表面７３を第１外側表面７３に投射された反射光でみるとき、レーザマーキングが見えることが望ましい。第２ポリマ基板７２もまた、例えば、非可視データ形態のホログラム、ＵＶ反応特徴部、光学的可視特徴部、ウィンド付けされた又は透明な特徴部、アンテナ、電子チップ及びレーザ穿孔のような別の適切なセキュリティ特徴部を備え得る。
【００３５】
第２ポリマページ７１は、第２ポリマ基板７２内又は該基板７２上に配置され、かつ、少なくとも１つのウィンド８０又は代替として少なくとも１つのウィンド８０の外側に一部が配置された第３セキュリティ装置８１をさらに備え得る。図示された実施形態において、第３セキュリティ装置８１は、不透明領域７５と第１外側表面７３との間の第１透明領域７６に配置されたセキュリティスレッド８２を有する。セキュリティスレッド８２の幅は、約１ｍｍ〜２０ｍｍの間であることが望ましい。結果として、第１外側表面７３を反射光でみると、セキュリティスレッド８２は、第２ポリマページ７１にわたり、全長に沿って見ることができる。第２ポリマページ７１の第２外側表面７４を反射光で見ると、不透明領域７５がセキュリティスレッド８２の残りを視界から遮るため、少なくとも１つのウィンド８０におけるセキュリティスレッド８２の一部だけを見ることができる。代替実施形態において、セキュリティスレッド８２は、第２外側表面７４上で全長にわたって見ることができ、かつ、第１外側表面７３上の少なくとも１つのウィンド８０においてのみ見ることができるように、第２透明領域７７に配置される。さらなる実施形態においてもまた、第２ポリマ基板７２は、複数のウィンド８０を有しており、第３セキュリティ装置８１は、第２ポリマ基板７２を複数の位置で見ることができるように、各ウィンド８０に配置される。第３セキュリティ装置８１の種々の別の実施形態は、以下でさらに詳細に記載される。
【００３６】
第２セキュリティ装置８１と第２ポリマページ７１の少なくとも１つのウィンド８０は、第１及び／又は第２セキュリティ装置３０，３５と相互作用するように配置され、第１、第２及び第３セキュリティ装置３０，３５，８１のそれぞれの独立したセキュリティ特徴部又は効果と異なる少なくとも１つのセキュリティ特徴部を形成する。特に、第２ポリマページ７１の少なくとも１つのウィンド８０と第１ポリマページ１１の少なくとも１つのウィンド２５は、第２ポリマページ７１の第１外側表面７３が第１ポリマページ１１の第２外側表面１９に隣接するように、第１、第２ポリマページ１１，７１が折り線１４に関してあわせられると、互いに重なって配置される。隣接ページ１２の対向する表面３８もまた折り線１４に関してあわせられ、第１ポリマページ１１の第１外側表面１８に隣接すると、第２セキュリティ装置３５もまた、ウィンド２５，８０を介して見ることができる。
【００３７】
図８〜図１１の実施形態において、複数の第２構成要素３２は、文字「Ｄ」と「Ｒ」の第１パターンを形成し、第１構成要素３１は、ウィンド２５に配置された「Ｌ」の第２パターンを形成する。第１、第２構成要素３１，３２は、印刷インクを有する。ウィンド２５を介して反射光で見ると、第１、第２構成要素３１，３２は連結し、第１、第２パターンとは異なる第３パターン、この場合は「ＤＲＬ」（図１１参照）を形成する。第３セキュリティ装置８１は、光学フィルタ又はレンズを備えたセキュリティスレッドであり、第３セキュリティ装置８１を介して反射光でみるとき、第１、第２セキュリティ装置３０，３５の観測図を調整するために配置された実質的に透明なセキュリティスレッド８２を有する。
【００３８】
この機密文書７０を複製するために、偽造者もまた、第３セキュリティ装置８１を第２ポリマ基板７２内に埋め込む必要がある。また、以下の説明から明らかになるように、第２ポリマページ７１を形成するために要求される機械は、第１ポリマページ１１を形成するために必要とされる機械と相当異なり、それによって、偽造のコストと要求される技術のレベルが増す。偽造者は、第１、第２及び第３セキュリティ装置３０，３５，８１とウィンド２５，８０を一列に並べる必要があるため、さらなる困難さが付加される。さらに、異なる物質の組み合わせにより、第１、第２及び第３セキュリティ装置３０，３５，８１の固有の組み合わせによる、様々な異なるセキュリティ特徴部と効果が達成される。
【００３９】
図９に示すように、機密文書７０は、第１と第２サイド５１，５２が回転の中心とする線であり、かつ、合わさる線である、折り線１４の両サイドに第１サイド５１と第２サイド５２を有する。機密文書７０は、第１サイド５１に第１ポリマページ１１を有する第１ページ５４と、第１サイド５１に隣接ページ１２と第２サイド５２にビザページ１６とを有しており、第１ページ５４の内側の第２ページ５５とを備える。さらなるページ５６は、第２ページ５５の内側に配置され、第１、第２サイド５１，５２にさらなるビザページ１６を形成する。第３ページ８５は、第２ポリマページ７１と、第２ポリマページ７１から伸びる接続タブ８６を有しており、第１ページ５４とカバー１３との間に配置される。図９は、ページ５４，５５，５６，８５とカバー１３を分解した構成で示しており、それらは、構成された機密文書７０において、折り線１４に沿った縫い線に沿って共に縫われ得る。
【００４０】
接続タブ８６は、第２ポリマページ７１の第２ポリマ基板７２を形成する接続タブと同一プラスチックを有していてもよく、第２ポリマページ７１を形成する複数の層のうちの１つであって、内側エッジ（つまり、折り線１４に隣接するエッジ）を超えて広がる層によって形成され得る。代替として、接続タブ８６は、製造中、第２ポリマページ７１と統合されたウェブ（例えば、メッシュウェブ）又は異なる材料を有してもよい。そして、接続タブ８６は、第１ページ５４に接着される、又は折り線１４以外で第１ページ５４に直接接続されなくてもよい。ＥＰ−Ｂ−１５９２５６５は、柔軟性があり、例えば、ＰＥとＰＥＴの積層のような曲げ抵抗がある材料の接続タブ８６を形成するのに特に適した方法を開示している。
【００４１】
Ｃ．製造方法
第１ポリマページ１１と、隣接ページ１２と、複数のビザページ１６と、カバー１３と、備えられていれば第２ポリマページ７１とは、通常、折り線１４に沿って取り付けられる前に別々に形成され、機密文書７０を形成する。個人データ１５は、残りの機密文書１０，７０が集められ、データページを完成させた後に適用されることが望ましい。
【００４２】
Ｃ１．第１ポリマページの製造
第１ポリマページ１１は、第１ポリマ基板２０のウェブを生成すること、少なくとも１つの不透明層２３，２４を第１ポリマ基板２０に適用すること、少なくとも１つ第１セキュリティ装置３０を少なくとも１つの不透明層２３，２４及び／又は第１ポリマ基板２０に付加すること、ウェブを複数の第１ページ５４へ分割することによって製造され得る。第１ポリマページ１１を形成するための適切な装置９０の概略図が図１０に示されている。
【００４３】
最初に、ポリマが成型等により、例えば、幅が０．７５ｍ〜１．５ｍの間であって、長さが数十又は数百メートルである実質的に連続したフィルム又はウェブ９１の形状にされ得る。ウェブ９１は、装置９０の端部に配置され得るロール９２へ十分に巻かれており、該装置９０は実質的に連続処理ラインである。ウェブ９１は、第１ポリマ基板２０と第１、第２基板表面２１，２２を形成する。
【００４４】
ウェブ９１は、ロール９２から運ばれ、処理領域９３において１つ以上の処理工程を経る。例えば、中間層等は、１つ以上のロール、ブラシ等によって第１，第２基板表面２１，２２に適用され得る。代替として、ウェブ９１は、プラズマ又はコロナ処理をされてもよい。そのような処理工程は、ロール９２に巻かれる前にウェブ９１に適用されてもよい。
【００４５】
不透明層ステーション９４で、少なくとも１つの不透明層２３，２４は、第１及び／又は第２基板表面２１，２２に適用され得る。不透明層ステーション９４は、通常、上述されたような重合体材料である材料のより薄い層を順次適用することによって、少なくとも１つの不透明層２３，２４を作り上げ得る。より薄い各層の光学濃度は、通常、約０．２〜０．５であり、３層以上が適用され、各不透明層２３，２４を形成することが望ましい。少なくとも１つの不透明層２３，２４は、ある領域で省かれ、少なくとも１つのフル又はハーフウィンド２５を形成する。少なくとも１つの不透明層２３，２４は印刷されるか、被覆されるか、別な方法でウェブ９１に適用され得る。例えば、グラビア印刷、オフセット印刷、フレキソ印刷、平板印刷等の印刷工程を利用して適用されることが望ましい。
【００４６】
代替の実施形態において、各不透明層２３，２４は、第１ポリマ基板２０に薄く積層される層であって、少なくとも１つのウィンド２５を形成するための開口を含む、自立型事前形成層を有することが望ましい。特に、少なくとも１つの不透明層２３，２４は、紙のようなポリマ又は繊維性基板を有しており、「複合型」紙とポリマ構造を有する第１ポリマページ１１を形成する。
【００４７】
図形は、グラフィックステーション９５で、少なくとも１つの不透明層２３，２４及び／又は第１ポリマ基板２０に適用され得る。例えば、図形は、従来の印刷技術又は、例えば、凹刻印刷、平版印刷、オフセット印刷、フレキソ印刷、グラビア印刷等の技術の組み合わせによって印刷され得る。
【００４８】
少なくとも１つの第１セキュリティ装置３０は、セキュリティ装置ステーション９６で、ウェブに適用され得る。特に、少なくとも１つの第１構成要素３１は、前記印刷技術のいずれかによってその上（ウェブ上）に印刷され得る。代替として、少なくとも１つの第１構成要素３１は、レーザ等によって少なくとも１つのウィンド２５内に印付けられてもよい。少なくとも１つの第１セキュリティ装置３０が図形より前に適用されるように、セキュリティ装置ステーション９６は、グラフィックステーション９５の上流に配置され得る。少なくとも１つの第１セキュリティ装置３０の種々の別の実施形態が以下でさらに説明される。
【００４９】
ウェブ９１は、続いて、切断ステーション９７で、複数のシートに切断され、それぞれが第１ページ５４を形成する。図形及び／又は少なくとも１つのセキュリティ装置３０が個々の第１ページ５４に適用されるように、切断ステーション９７は、代替として、グラフィックステーション９５及び／又はセキュリティステーション９６の上流に配置されてもよい。
【００５０】
Ｃ２．隣接ページとビザページの製造
隣接ページ１２は、セキュリティスレッド３６形式である第２セキュリティ装置３５を繊維性基板１７に組み込むために、内容が本明細書に援用されているＥＰ−Ａ−００５９０５６又はＷＯ−Ａ−２００５／０６９２３１に開示されている方法と同様な方法で製造されることが望ましい。円網製紙機械は、水性繊維原料のバット内で回転する円網を備える。繊維原料は、合成繊維、天然繊維若しくはそれらの混成などを含む繊維種類の範囲を有し得る。セルロース、木材及び／又はコットンベースの混合は特に適している。繊維性基板１７の坪量はいくつでもよいが、少なくとも１１０ｇｓｍであることが望ましい。円網が回転すると、繊維原料内の液体は、円網カバーの多孔性支持表面を通過する。繊維は、支持表面に堆積され、それにより繊維性基板１７の層が形成される。
【００５１】
円網カバーは、例えば、ＥＰ−Ａ−００５９０５６に記載されるような埋め込み領域又はＷＯ−Ａ−２００５／０６９２３１に記載されるような排水制限領域であり得る、多数の隆起領域を有し得る。セキュリティスレッド３６は、繊維が円網カバーに堆積されるにつれて、セキュリティスレッド３６が隆起領域を覆うように、各隆起領域に接触させられる。繊維は、セキュリティスレッド３６の上下に堆積されるが、セキュリティスレッド３６が隆起領域と接触する部分にはほとんど堆積せず、それにより、少なくとも１つの露出領域３７を形成する。ブリッジ３９は、円網カバー１８３の隣接隆起領域の間で繊維が堆積することによって形成される。
【００５２】
水は、湿った基板繊維から抜かれ、紙のウェブは乾燥処理をされる。乾燥ウェブは、まず、切断線に沿って切断され、複数の中間シートを形成し、これらの中間シートは、通常印刷されて、第２ページ５５を形成する個々のより小さいシートに切断される。
【００５３】
複数のビザページ１６は通常、セキュリティスレッド３６を追加しない場合を除いて、本分野でよく知られている方法であって、隣接ページ１２と同様の方法で形成される。複数のビザページ１６は、隣接ページ１２より少ない坪量、例えば、約８５ｇｓｍを有し得る。
【００５４】
Ｃ．３．第２ポリマページの製造
第２ポリマページは、通常、インサート１４２、を形成すること、インサート１４２と第３セキュリティ装置８１を含む複数のプラスチック層１３２（図１１に示す）を形成すること、ラミネータ１３３（図１２に示す）に複数のプラスチック層１３２を薄く積層し、第２ポリマ基板７２を形成することによって製造される。
【００５５】
図１１は、ラミネータ１３３に付加される前であって、互いに重ねて配置された後の複数のプラスチック層１３２に適した構造を示す。第２ポリマページ７１を形成するための複数のプラスチック層１３２の一部だけが示されているが、複数のプラスチック層１３２は、複数の第３ページ８５を形成できることが望ましい。特に、複数のプラスチック層１３２は、通常、白及び／又は不透明である第１、第２不透明層１３４，１３５とそれらの間のインレ１３６を有する。図形情報、色及び／若しくはパターンは、第１、第２不透明層１３４，１３５の外側表面に印刷され得る。電子チップやアンテナ等は、インレ１３６又は、第１、第２不透明層１３４，１３５内に配置され得る。
【００５６】
実質的に透明な第１、第２被覆１３７，１３８は、複数のプラスチック層１３２の最も外側に配置され、第２ポリマ基板７２の第１、第２外側表面７３，７４を形成する。セキュリティ特徴部を保持するための第１、第２中間層１３９，１４０は、第１不透明層１３４と第１被覆１３７の間に配置され得る。特に、第１中間層１３９は、実質的に不透明であり、第１不透明層１３４に隣接して配置され得る。第２中間層１４０は、第１被覆１３７と第１中間層１３９の間に配置され、実質的に透明である。別の実施形態において、異なるセキュリティ特徴部を提供するため、第１、第２不透明層１３４，１３５の両サイドにある中間層の適切な層数はいずれであってもよい。
【００５７】
接続タブ８６は、例えば、ＥＰ−Ｂ１５９２５６５に開示されているような、本分野で知られている方法のいずれによってでも形成され得る。１つ以上の複数のプラスチック層１３２は、形成された第２ポリマ基板７２から広がって接続タブ８６を形成するために、残りの複数のプラスチック層１３２より幅が広くてもよい。
【００５８】
実質的に透明なプラスチックのストリップは、最初に、パンチング工具によって切断され、複数のプラスチック層１３２の配置前又は配置中に複数のインサート１４２を形成し得る。各インサート１４２の境界線の形状は、各ウィンド８０の境界線の形状を形成する。各インサート１４２は、第１、第２不透明層１３４，１３５、インレ１３６及び第１中間層１３９を介する開口１４３内に配置される。各インサート１４２の対向する外側表面は、第２被覆１３８と第２中間層１４０によって覆われる。代替として、各開口１４３は、第１不透明層１３４、第２不透明層１３５、インレ１３６及び／若しくは第１中間層１３９のうちの１つのみ又は２つにおいて形成され、各インサート１４２は、それらに配置される。開口１４３とインサート１４２は、ＷＯ−Ａ−２０１５／１０４０１１に開示されるように、一列に形成され、あわせられる。特に、単一パンチ工具は、開口１４３を形成し、ストリップからインサート１４２を切り出し、又は、穴開けをし、インサート１４２を相当する形状の開口１４３に配置するために作動させられ得る。
【００５９】
複数のプラスチック層１３２のそれぞれの厚さは、約０．０５ｍｍ〜約３ｍｍの間であり、それらが融合することができれば、異なるプラスチックから形成されることができ、例えば、ポリカーボネイトのような第２ポリマ基板７２を形成するプラスチックから構成されてもよい。各インサート１４２の厚さは、約０．１ｍｍ〜約０．４ｍｍの間であり、各インサート１４２は、複数のプラスチック層１３２が形成されるプラスチックと同一のプラスチック、例えば、ポリカーボネイト等、であってもよい。
【００６０】
図１１に示されるように、この場合、セキュリティスレッド８２である第３セキュリティ装置８１は、第１、第２中間層１３９，１４０の間に配置され得る。代替として、以下に記載するように、第１、第２中間層１３９，１４０のうちの一方が、中間層自体に埋め込まれた第３セキュリティ装置８１を備え得る。第３セキュリティ装置８１は、例えば、接着されることにより第２ポリマ基板７２の第１又は第２外側表面７３，７４に配置され得る、又は、例えば、それらに融合されることによって第２ポリマ基板７２内に少なくとも一部が埋め込まれ得る。特に、薄片状にする前に、第３セキュリティ装置８１は、第１被覆１３７、第２被覆１３８若しくは第２中間層１４０に配置され、少なくとも一部がインサート１４２を覆う。
【００６１】
図１２は、複数のプラスチック層１３２から第３ページ８５を製造することに適した装置１３０の実施形態を示す。装置１３０は、本明細書に内容が援用されているＵＳ−Ｂ−６６６９８１３とＵＳ−Ａ−２０１１／０２２６４０８に開示されている装置と同様である。装置１３０は、互いに重なり合った複数のプラスチック層１３２をラミネータ１３３に供給するための複数のフィーダ１３１を有する。ラミネータ１３３は、熱と圧力を印加することによって複数のプラスチック層１３２を融合し、第２ポリマ基板７２を形成する。
【００６２】
ラミネータ１３３は、反対方向に回転する第１、第２連続ベルト１４５，１４６と、第１、第２支持表面１４７，１５０とをそれぞれ有する。少なくとも１つの第１、第２連続ベルト１４５，１４６は、断続的に駆動され、インレットドラム１４８，１５１の間のニップ１５８を介して、第１、第２複数のプラスチック層１３２をラミネータ１３３の薄片状領域１５３へ引き入れる。最初に、複数のプラスチック層１３２の領域は、対向する加熱装置１５４，１５５の間へ移動される。加熱装置１５４，１５５は、第１、第２支持表面１４７，１５０に向かって動き、複数のプラスチック層１３２の領域を加熱し、圧力をかけ、第２ポリマ基板７２を形成する。通常は１分未満である設定時間後、加熱装置１５４，１５５は、第１、第２支持表面１４７，１５０から離れるように動き、第１及び／又は第２連続ベルト１４５，１４６が駆動させられ、該領域を対向する冷却装置１５６，１５７の間まで動かす。冷却装置１５６，１５７は、第１及び第２支持表面１４７，１５０に向かって動き、その構造を維持するために第２ポリマ基板７２を冷却し、圧力を加える。この加熱、冷却及び加圧工程は、複数の交互の加熱、冷却装置１５４，１５５，１５６，１５７に沿って、完全に形成された第２ポリマ基板７２がラミネータ１３３を抜けるまで繰り返される。
【００６３】
第３セキュリティ装置８１は、ラミネータ１３３に加えられる前、又は加えられている間のいずれかで複数のプラスチック層１３２に組み込まれ得る。例えば、第３セキュリティ装置８１は、複数のプラスチック層１３２又はインサート１４２に配置されるかつ／又は接着され得る。代替として、図示されるように、第３セキュリティ装置８１は、少なくとも１つのローラ１６０を介してボビン１５９から複数のプラスチック層１３２のうちの２つの間に供給されることによって第２ポリマ基板７２に導入されることにより、ニップ１５８で複数のプラスチック層１３２へ供給され得る。
【００６４】
加熱工程の間、複数のプラスチック層１３２とインサート１４２はそれぞれ、プラスチックがそれらの間の境界面にわたって流れ、混合するように、少なくとも柔らかさがあり、半溶融（つまり、比較的高粘性の液体）である。第１被覆１３７と第２中間層１４０は、第１透明領域７６を形成する。第１及び第２不透明層１３４，１３５、インレ１３６及び第１中間層１３９は不透明領域７５を形成する。第２被覆１３８は、第２透明領域７７を形成する。インサート１４２は、第３透明領域７８とウィンド８０を形成する。
【００６５】
そのような溶融を達成するために、加熱装置１５４，１５５は、適宜制御され、複数のプラスチック層１３２に加えられる温度と圧力を上昇させ、プラスチックの軟化点に達する。変形と変形による融合とが任意の圧力で可能となる温度は、ＡＳＴＭＤ１５２５方法とＩＳＯ３０６スタンダード方法のいずれの方法のビカット軟化点テストを利用して上昇させられ得る。特定の例において、ポリカーボネイトのビカット軟化点は、加熱率５０℃／ｈｒと５０Ｎの負荷を用いて決定され得る。ポリカーボネイトについての例において、加熱装置１５４，１５５は、約８ＭＰａで約１８０℃の温度を複数のプラスチック層１３２に加え、冷却装置１５６，１５７は約２０℃〜３０℃の温度と１０ＭＰａの圧力を複数のプラスチック層１３２に加え得る。
【００６６】
第２ポリマ基板７２はラミネータ１３３を抜けると、例えば、さらなるセキュリティ特徴部を第１及び第２外側表面７３，７４に追加するような、さらなる工程の対象になり得る。セキュリティ特徴部が第１又は第２外側表面７３，７４に配置される場合、第３セキュリティ装置８１がそれらに適用されてもよい。第２ポリマ基板７２はまた、複数の第３ページ８５に切断される。
【００６７】
Ｃ．４．機密文書の組み立て
第１ページ５４、第２ページ５５、第３ページ８５、さらなるページ５６及び／若しくはカバー１３は、例えば、縫い付けによって、折り線１４に沿って、カバー１３と結びつけられ、機密文書１０，７０を形成する。適切な縫い付け工程は、本明細書に内容が援用されているＷＯ−Ａ−２０１１／１５１６３８に記載される工程を含む。
【００６８】
機密文書１０，７０の所有者に関する個人データ１５は、結びつけ工程の後に適用されることが望ましい。しかしながら、結びつけ工程の前であって、前記製造工程のいずれの工程の間に個人データを適用することも可能である。
【００６９】
Ｄ．セキュリティ装置
第１、第２及び第３セキュリティ装置３０，３５，８１は、偽造が困難であるという効果を生じさせる特徴がある。それらは、例えば、通常、商業的に利用可能なフォトコピー、スキャナ若しくはプリンタを使用して可視光コピーをすることでは正確に偽造できないことが望ましい。偽造者が少なくとも２つの異なる製造工程を利用してそれらの装置を形成しなければならないように、第１、第２及び第３セキュリティ装置３０，３５，８１は、互いに異なっていることが望ましい。
【００７０】
第１、第２及び第３セキュリティ装置３０，３５，８１はそれぞれ、それぞれがキャリア基板に実装された少なくとも１つの第１、第２及び第３構成要素３１，３２，３３を構成し得る。セキュリティ効果は、第１、第２及び第３セキュリティ装置３０，３５，８１の構成、第１、第２及び第３構成要素３１，３２，３３の境界線形状及び／若しくは第１、第２及び／若しくは第３セキュリティ装置３０，３５，８１のキャリア基板の境界線形状から導き出すことができる。特に、境界線は、適切な形状、例えば、認識可能なパターン、証印（つまり、サイン、表示若しくは識別マーク）、英数字、シンボル、ロゴ、グラフィック等を形成する。それらは、可視光で見ることができ、明確に読み取り可能な情報を形成する、又は代替的に、非可視光（例えば、ＵＶ）で見ることができる、又は、コードを含む読み取り可能な情報を変換する。さらに、第１、第２及び／若しくは第３構成要素３１，３２，３３は、同一形状の境界線を有し得る。第１、第２及び／若しくは第３セキュリティ装置３０，３５，８１は、少なくとも１つのウィンド２５，８０を介して共に見ることができ、それらの同一性が確認できるように配置される。特定の実施形態において、第１、第２及び／若しくは第３セキュリティ装置３０，３５，８１は、機密文書１０，７０の通番形式の証印を構成する。
【００７１】
機密文書１０，７０のセキュリティは、第１、第２及び／若しくは第３セキュリティ装置３０，３５，８１と第１、第２及び第３構成要素３１，３２，３３を組み合わせて、識別パターン等を形成することによってさらに改善され得る。パターンは、証印及び／又は英数字を含む、読み取り可能な情報を形成することが望ましい。個人データ１５は、少なくとも一部が、第１、第２及び第３構成要素３１，３２，３３によって形成され得る。
【００７２】
第１、第２及び第３セキュリティ装置３０，３５，８１がずれている場合、使用者又は官公庁が簡単に偽造文書を検知できるように、第１、第２及び第３セキュリティ装置３０，３５，８１は、一致していることが望ましい。本開示において、「一致」という言葉は、第１、第２及び第３セキュリティ装置３０，３５，８１が、複数の機密文書１０，７０において、同一の所定位置にあるという意味として規定される。特に、
−それらの装置は、機密文書１０，７０の別の特徴部に一致されてもよい。例えば、それらの装置は、第１ポリマページ１１、隣接ページ１２若しくは第２ポリマページ７１の外側エッジ及び／又は少なくとも１つのウィンド２５，８０のエッジに対して同一所定相対位置にあってもよい。
−それらの装置が、複数ページの機密文書１０，７０において同一の所定相対位置にあるように互いに一致されてもよい。特定の実施形態において、少なくとも１つの第１、第２及び／若しくは第３構成要素３１，３２，３３は、少なくとも１つの第１、第２及び／若しくは第３構成要素３１，３２，３３が配置されていない第１又は第２ポリマページ１１，７１のウィンド２５，８０と一致している。
−それらの装置は、結合又は協働し、望ましくは可視光で見るときは目に見え、それぞれを単独で見たときは見ることができないというセキュリティ効果を形成するように互いに一致され得る。
【００７３】
少なくとも１つの第１セキュリティ装置３０は、第１ポリマ基板２０及び／又は少なくとも１つの不透明層２３，２４内又はそれら上に組み込むために適したセキュリティ特徴部を有し得る。少なくとも１つの第２セキュリティ装置３５は、繊維性基板１７へ組み込むために適する特徴部であって、少なくとも一部が隣接ページ１２の対向する表面３８で露出させられているセキュリティ特徴部を有し得る。少なくとも１つの第３セキュリティ装置８１は、第２ポリマ基板７２へ組み込むために適する特徴部であって、望ましくは少なくとも１つのウィンド８０を介して見ることができるセキュリティ特徴部を有し得る。
【００７４】
特に、少なくとも１つの第１、第２及び第３セキュリティ装置３０，３５，８１と、特に少なくとも１つの第１、第２及び／若しくは第３セキュリティ構成要素３１，３３及び／若しくはキャリア基板は、以下のうち少なくとも１つを有し得る。
−印刷インク、レーザマーキング、ＵＶ反応特徴部、光学的可変特徴部、ウィンド又は透明な特徴部、非メタライズ特徴部、レーザ穿孔、マイクロテキスト、細線パターン、潜像、ベネチアンブラインド装置等；
−光学フィルタ、回折格子を含む回折構造やホログラフィック構造、プラズマ又はピラミッド構造を含む反射ファセット；
−第１、第２及び／又は第３セキュリティ構成要素３１，３３が配置される、スレッド、ストリップ、パッチ、ホログラム、ホイル、ホットホイル等；
−第２セキュリティ装置の場合、透かし、電気式透かし、セキュリティ繊維、
−集束アレイや画像アレイを有する、マイクロレンズ、マイクロミラー、レンズ状の装置、モアレ干渉装置、モアレ拡大装置、レンズ、ミラー、他の集束素子等。第１、第２及び／又は第３セキュリティ装置３０，３５，８１は、集束アレイと画像アレイの両方又はどちらか一方を有し得る；
−アンテナ、電子チップ等；
−光学探知可能な材料を備える変換印刷インク。印刷インクは、可視光では見ることができないが、カメラのような光学探知機を介して人の目かつ／又は機械では見ることができるように、透明であり得る。材料の光学探知特性は、例えば、非可視反射又は光吸収（例えば、ＵＶ又はＩＲ反射又は光吸収）、蛍光発光又は燐光（可視光では見ることができない活性発光及び／又は放射発光）等のような光ルミネセンス反応を含み得る。代替として、印刷インクは、可視光で見ることができるだけでなく、非可視光にさらされると、そのような特性を示すことができる。
−異なる観察角度で印刷インクの見え方が異なるにじ色又は前記にじ色増幅干渉材料のような、様々な光学的特性を有する印刷インク。特に、インクを不透明な背景に対して反射光で見ると、インクは、実質的に見ることができる色シフト効果を示し得る。適切なインクは、内容が本明細書に援用されているＧＢ−Ａ−２４４１２６１に開示される。
キャリア基板が有する、１つ以上のウィンド２５，８０は実質的に透明である。例えば、第２ポリマページ７１の場合、キャリア基板は、ポリカーボネイトのような熱可塑性ポリマを有し、それを複数のプラスチック層１３２と融合し得る；
観測角度が異なると異なる色を示すにじ色増幅干渉材料。薄いフィルム干渉構造、干渉色素、真珠光沢のある色素、フィルム液晶や色素、フォトニック結晶等が例に含まれる。薄いフィルム干渉構造は、異なる屈折率の反復層を有する；純誘電体積層（金属酸化物又はポリマ）又は代替誘電体層や金属層から構成される純誘電体積層が例に含まれる。薄いフィルム干渉構造は、ＷＯ−Ａ−２０１５１１３１４３に開示されているブラッグスタック又は、ＥＰ−Ａ−２７１４４１１に開示されているフォトニック結晶調整材料や一次元フォトニック結晶としても知られている。そのようなにじ色干渉材料は、少なくとも一方が部分的に反射し、入射光の振幅を分割するように部分的に入射光を伝達する２つ以上の近接境界面を有する。伝達された部分は、第２又は続く境界面で反射し、第１又は早期境界面から反射された部分と相互作用し、ある波長との強めあう干渉や別の波長との弱めある干渉に至る。結果として、材料は、観測角度によって変化する特性を示す。
【００７５】
少なくとも１つの第１、第２及び／又は第３セキュリティ装置３０，３５，８１の特定の実施形態は、とりわけ図１３〜図２３を参照して説明される。
【００７６】
ある実施形態において、第３セキュリティ装置８１は、第１中間層１３９上に不透明なストリップを形成する印刷インクを有しており、該中間層１３９は、図８に示すようにセキュリティスレッド８２と同様な方法で広げられるように、第２ポリマページ７１の端部の間に広がっている。そのため、セキュリティスレッド８２のような本来のセキュリティスレッドからそれを裸眼で区別することは困難である。
【００７７】
第１、第２及び／又は第３セキュリティ装置３０，３５，８１はそれぞれ、互いに重なると、モアレ画像を形成する細糸アレイ形状のパターンを有し得る。そのような細糸アレイは、印刷インク又はレーザマーキングから形成され、セキュリティスレッドのようなキャリア基板、パッチ等に配置され得る。位置合わせマーク等が設けられ、使用者が細糸アレイを配列できる。
【００７８】
第１及び／又は第３セキュリティ装置３０，８１は、第１、第２及び／又は第３セキュリティ装置３０，３５，８１のうちのいずれかの観測図を調節するために配置された光学フィルタを有し得る。図５〜図８の実施形態におけるように、第１セキュリティ装置と第３セキュリティ装置３０，８１は、フィルタを形成するセキュリティスレッド、パッチ等のような、不透明なキャリア基板を有し得る。代替として、フィルタは、例えば、製造中、インサート１４２又はウェブ９１に組み込まれることにより、第１又は第２ポリマ基板２０，７２によって形成され得る。フィルタは、例えば、メタメリック又は偏光させるものである。特定の実施形態において、第２セキュリティ装置３５は、照射状況に応じて色を変化させるメタメリックインクを有する少なくとも１つの第２構成要素３２を備える。第１及び／又は第３セキュリティ装置３０，８１は、メタメリックフィルタを備えており、メタメリックフィルタは、少なくとも１つの第２構成要素３２に積層し、変化する波長環境をつくり、それによって、メタメリックインクの色変更特性を明らかにする。そのような配置はＥＰ−Ａ−０９３０９７９に開示されている配置と同様である。代替として、第１及び／又は第３セキュリティ装置３０，８１はそれぞれ、積層時に互いに直交する偏光方向を有する偏光フィルタを備え得る。結果として、積層時、不透明フィルタは、暗い領域になる。代替として、第１及び／又は第３セキュリティ装置３０，８１は、積層時に暗いパターン又はイメージを明らかにするパターン化された偏光被覆等を有し得る。
【００７９】
ある実施形態において、第１セキュリティ装置３０は、第１ポリマ基板２０に配置される半透明の色シフトインクを少なくとも１つのウィンド２５内に有しており、該インクは、隣接ページ１２の繊維基板１７、又は、備えられていれば第２ポリマページ７１の不透明領域７５を背景にして見られると、色変換効果を示す。代替として、第３セキュリティ装置８１は、（例えば、製造中、インサート１４２に配置されていることによって）第２ポリマ基板７２の少なくとも１つのウィンド８０内に配置される色シフトインクを有し得る。第１ポリマページ１１のハーフウィンド２５によって形成される不透明な背景に対する反射光で、少なくとも１つのウィンド８０内の第３セキュリティ装置８１を見ると、色シフト効果を見ることができる。代替として、不透明な背景は、第１ポリマページ１１のフルウィンド２５を介して色シフトインクの背後に見ることができる繊維基板１７によって形成されてもよい。
【００８０】
第１ポリマページ１１の複数のウィンド２５は、内容が本明細書援用されているＷＯ−Ａ−２０１４１８４５６０に開示されるようなレリーフ構造を生じさせる、別の光学的可変効果形式の第１セキュリティ装置３０を有し得る。レリーフ構造は、エンボス、硬化性材料又は回折装置を構成する層を第１ポリマ基板２０に適用すること等によって形成され得る。レリーフ構造は、別の光学可変効果を発生させるメカニズム等を有することにより、伝達する情報、大きさ、色を異にする。
【実施例３】
【００８１】
図１３及び図１４は、ある実施形態を示しており、そこでは、第１、第２及び第３構成要素３１，３２，３３それぞれが、この場合は個人データ１５のポートレート２６の一部である完成図の一部を形成している。ウィンド２５，８０を介して互いを隣接させて見ると、それら（構成要素）は互いに一直線に並んでおり、完成図又はポートレート２６を形成する。第１、第２構成要素３１，３２は、第１ポリマページ１１と隣接ページ１２上に印刷インクを有している。第３構成要素３３は、第１及び／又は第２外側表面７３，７４上にインクを有することもできるが、第２ポリマページ７１の第２ポリマ基板７２内部にレーザマーキングを有する。
【００８２】
別の実施形態において、第１、第２及び／又は第３セキュリティ装置３０，３５，８１は、同一である、又は、同一第１、第２及び第３構成要素３１，３２，３３と非同一第１、第２及び第３構成要素３１，３２，３３とを有し得る。特に、それらはそれぞれ、ウィンド２５，８０において互いを隣接させて見ることができる同一セキュリティスレッド３６，８２、パッチ若しくはホイルを有し得る。結果として、セキュリティスレッド３６，８２、パッチ若しくはホイルのうちの１つ以上が偽造者によって取り替えられている場合、それらは同一ではないので、機密文書１０，７０の信憑性は、セキュリティスレッド３６，８２、パッチ若しくはホイルが同一であることを確かめることによって確認され得る。
【実施例４】
【００８３】
図１５及び図１６はある実施形態を示しており、そこでは、第１、第２及び／又は第３セキュリティ装置３０，３５，８１は、少なくとも１つの、第１、第２及び／又は第３セキュリティ装置３０，３５，８１とは別の形態において、マスクとして使用される。図示された実施形態において、第１セキュリティ装置３０は、第１ポリマ基板２０の第１基板表面２１上のウィンド２５内に配置された所有者のポートレート２６の形状である印刷インクを構成する。第１、第２ポリマページ１１，７１が互いに隣接し、第１ポリマページ１１を反射光によって見ると、第３セキュリティ装置８１は、第１セキュリティ装置３０周囲にあるが、第１セキュリティ装置３０と重なってはいないマーキングを第２ポリマ基板７２内部に構成する。マーキングは、ポートレート２６周りの背景を形成し、暗い背景又はドット、細い線若しくは別のそのようなパターンのアレイになり得る。
【００８４】
製造中、印刷プリントが、最初に第１ポリマ基板２０に適用される。続いて、少なくともウィンド８０内部にマーキング付加材を有する第２ポリマページ７１が、第１ポリマページ１１の第２外側表面１９に隣接して配置される。レーザ光は、第１ポリマページ１１のウィンド２５を経て方向付けされ、第１セキュリティ装置３０周りの第２ポリマページ７１に印を付ける。第１セキュリティ装置３０の印刷インクは、十分に不透明で、レーザ光は通過できず、レーザ光が第２ポリマページ７１に到達することを防ぐマスクとしての役割を果たす。結果として、第３セキュリティ装置８１を形成するマーキングの端部は、第１セキュリティ装置３０の印刷インクの端部とあわせて、かつ、該端部と隣接して一致されることが望ましい。
【００８５】
さらなる実施形態において、印刷インクは、隣接ページ１２のマーキングにおいてマスクとして用いられ得る。代替として、印刷インク等は、レーザマーキングが第１ポリマページ１１と隣接ページ１２において形成され得るように、第２ポリマページ７１に配置され得る。
【実施例５】
【００８６】
図１７〜図２０はある実施形態を示しており、そこでは、第１セキュリティ装置３０は第１ポリマページ１１の少なくとも１つのウィンド２５を構成しており、第３セキュリティ装置８１は、第２ポリマページ７１の少なくとも１つのウィンド８０を構成する。少なくとも１つのウィンド２５，８０の一方の端部は、少なくとも１つのウィンド２５，８０の他方の端部の内側で見ることができる。第１、第２ポリマページ１１，７１のそれぞれのウィンド２５，８０は、互いに重なり合うが、第１ポリマページ１１のウィンド２５が第２ポリマページ７１のウィンド８０より小さいので、サイズが異なる。ウィンド２５，８０は、隣接ページ１２の第２セキュリティ装置３５の隠れた部分の一部に使用され得る。特に、第２セキュリティ装置３５は、この場合、透かし形式であって少なくとも一部が外側領域１１１によって囲まれる内側領域１１０を有する。内側領域１１０は、外側領域１１１から独立して区別することができる完成図、例えば、パターン、証印、シンボル、ロゴ等を形成する。機密文書７０が隣接ページ１２と第１ポリマページ１１（図１７）の間で開かれると、透かしを全部見ることができ、機密文書７０が第１ポリマページ１１と第２ポリマページ７１（図１８）の間で開かれるとまた、第１ポリマページ１１のウィンド２５を介して透かし全部を見ることができる。しかしながら、機密文書７０が第２ポリマページ７１とカバー１３（図１９）の間で開けられると、不透明領域７５が外側領域内１１１を塞ぐため、内側領域１１０のみが第２ポリマページ７１のウィンド８０を介して見ることができる。それゆえ、使用者又は文書検査官は、第１、第２及び第３セキュリティ装置３０，３５，８１の正しい配置を確認できる。代替実施形態において、第１ポリマページ１１のウィンド２５は、第２ポリマページ７１のウィンド８０より大きく、第２ポリマページ７１は隣接ページ１２に隣接する。
【実施例６】
【００８７】
図２１〜図２３は、さらなる実施形態を示しており、そこでは、第１又は第３セキュリティ装置３０，８１は、少なくとも１つの集束素子を通して、又は、少なくとも１つの集束素子を介して見ると、第１、第２及び／又は第３セキュリティ装置３０，３５，８１の内の別のものによって形成されたパターンの図形を形成するように配置された少なくとも１つの集束素子を有する。特に、第１セキュリティ装置３０又は第３セキュリティ装置８１は、第１ポリマ基板２０又は第２ポリマ基板７２の片側に配置された集束素子アレイを構成しており、第１セキュリティ装置３０、第２セキュリティ装置３５及び／又は第３セキュリティ装置８１は、第１ポリマ基板２０又は第２ポリマ基板７２の反対側に配置された画像アレイを構成し得る。それゆえ、第１ポリマ基板２０及び／又は第２ポリマ基板７２は、集束素子アレイと画像アレイの間に光学スペーサを形成し得る。
【００８８】
集束素子を反射光によって見ると、実質的に焦点が合っている画像アレイの画像が集束素子内に見ることができるように、画像アレイは、集束素子アレイの焦点平面に配置されることが望ましい。従って、第１ポリマ基板２０及び／又は第２ポリマ基板７２の厚さと第１、第２及び／若しくは第３セキュリティ装置３０，３５，８１の配置とは、画像アレイが集束素子アレイの焦点平面にあることを保証するために、注意深く選択されなければならない。画像アレイと焦点平面の間の距離は、集束素子アレイのうち少なくとも１つの集束素子の全焦点距離の約２０％以内、より望ましくは約１０％以内、さらに望ましくは約５％以内である。
【００８９】
集束素子アレイは、例えば、レンズ又はミラーのような可視光を集光できる素子のアレイを含んでおり、該アレイは、一般的に、通常の１次元又は２次元グリッドにおける、ある領域にわたって配置されている。集束素子は、例えば、円柱状の集束素子、球形の集束素子、非球面集束素子、楕円形集束素子、フレネル集束素子等のいずれの適切な形状であってもよい。集束素子は、凹型でも凸型でもよい。集束素子は、屈折、回析若しくは反射（ミラーの場合）して作動し得る。
【００９０】
集束素子アレイと画像アレイは組み合わされ、例えば、１つ以上のモアレ拡大鏡、統合撮像装置若しくはレンズ状装置を形成することによって、光学的に様々な効果を生じさせることが望ましい。
【００９１】
モアレ拡大鏡において、画像アレイのマイクロ画像のピッチ、角度配置若しくは周期性は、集束アレイの構成要素のピッチ、角度配置若しくは周期性とわずかな程度異なり、その差違によって、集束素子アレイを介して見ることができるマイクロ画像の拡大版に至る。拡大要因は、画像アレイと集束素子アレイの間の周期性、ピッチ若しくは角度配置の間の差違の大きさに依拠する。モアレ拡大装置の例は、ＷＯ−Ａ−２０１１／１０７７８８にさらに詳細に記載される。
【００９２】
統合画像装置は、画像構成要素アレイと集束素子アレイの間の差違の代わりに、各マイクロ画像が異なる観測点からの同一目的物の図又は立体図である点以外は、モアレ拡大鏡と同様である。機密文書１０，７０が傾けられたときに観測される異なるマイク画像により、三次元図が観測される。特定の実施形態において、複合型モアレ拡大鏡は、標準的なモアレ拡大鏡と統合画像装置の異なるマイクロ画像の差違を結合することによって形成され得る。
【００９３】
レンズ状装置では、画像アレイの拡大は通常生じない。代わりに、画像アレイの素子がそれぞれ、完成図の一セクションを含み、２つ以上の完成図を形成する素子が挟み込まれる、又は、互いに重ね合わせられる。集束素子アレイを介して見ると、異なる観測角度で異なる完成図を見ることができる。集束素子アレイは、レンズ装置において円柱状の素子を有することが望ましい。典型的なレンズ状の装置は、ＵＳ−Ａ−４８９２３３６、ＷＯ−Ａ−２０１１／０５１６６９、ＷＯ−Ａ−２０１２／０２７７７９及びＵＳ−Ｂ−６８５６４６２に開示されている。
【００９４】
図２１において、第１セキュリティ装置３０は、ウィンド２５を覆う第１ポリマ基板２０の第２外側表面１９に、この場合、レンズ形状の集束素子アレイを構成し、第２セキュリティ装置３５は、隣接ページ１２の対向する表面３８に配置された画像アレイを構成する。画像アレイは、集束素子アレイと第１ポリマ基板２０を介して観測できる。図示された実施形態の第２セキュリティ装置３５は、本明細書に開示される別の構成を有するが、印刷インクの形態の第２セキュリティ構成要素３２を有する。第２ポリマページ７１を設けることは、この実施形態においては、とりわけ任意である。
【００９５】
図２２において、第１セキュリティ装置３０は、ウィンド２５に重なる第１ポリマ基板２０の第１外側表面１８に集束素子アレイを構成しており、第３セキュリティ装置８１は、第２ポリマ基板７２におけるウィンド８０内部に配置された画像アレイを構成する。図示された実施形態の第３セキュリティ装置８１は、本明細書で開示された構成とは別の構成を有するが、レーザマーキング形式の第３構成要素３３を備える。レンズを有する集束素子の場合、画像アレイは、集束素子アレイ、第１ポリマ基板２０及び第２ポリマ基板７２を介して観測することができる。ミラーを有する集束素子アレイの場合、集束素子アレイは光を反射し、第２外側表面７４から第２ポリマ基板７２介して観測できる画像アレイの下側の拡大版を示す。
【００９６】
図２３において、第３セキュリティ装置８１は、ウィンド８０に重なる第２ポリマ基板７２の第２外側表面７４に配置された集束素子アレイを構成する。第１セキュリティ装置３０は、ウィンド２５を覆う第１ポリマページ１１の第２外側表面１９に配置された画像アレイを構成しており、本実施形態で任意に設けられた第２セキュリティ装置３５は、隣接ページ１２の対向する表面３８に配置された画像アレイを構成する。図示された実施形態の第１、第２セキュリティ装置３０，３５は、本明細書で開示された構成とは別の構成を有するが、第１、第２セキュリティ構成要素３１，３２を印刷インクの形態で有する。
【００９７】
集束素子アレイは、第１ポリマページ１１に配置されると、第１ポリマページ１１の厚さと同じ範囲の焦点長を有するべきである。それゆえ、集束素子の周期性と最大ベース直径（又は拡大レンズの場合は幅）は、５〜２００μｍの範囲、より好ましくは１０〜１００μｍの範囲、さらに望ましくは１０〜７０μｍの範囲にあることが望ましい。レンズ状の集束素子のｆ数は、０．１〜１６の範囲、より望ましくは０．５〜４の範囲にあることが望ましい。
【００９８】
集束素子アレイは、第１ポリマ基板２０又は第２ポリマ基板７２に直接適用される代わりに、透明な支持層に形成され、支持層は、支持層を介して第１ポリマ基板２０又は第２ポリマ基板７２に適用され得る。支持層は、第１セキュリティ装置３０又は第３セキュリティ装置８１のベース基板から形成され、透明スレッド、ストリップ、パッチ若しくはホイルを有し得る。いずれの場合でも、集束素子アレイは、例えば、鋳型硬化、ドーム形状樹脂（例えば、ＵＳ−Ａ−７６０９４５１、ＵＳ−Ａ−２０１１／０１１６１５２に開示されているもののように）の印刷若しくは支持層又は第１、第２ポリマ基板２０，７２の表面を処理することによって製造し、その表面の特性を（ＵＳ−Ａ−２０１３００７１５８６に開示されているように）変化させる。
【００９９】
集束素子アレイを形成する表面レリーフもまた、第１ポリマ基板２０又は第２ポリマ基板７１から離れて、集束素子の間で広がる突出部を有し得る。突出部は、集束素子の高さを超えて広がり、集束素子を他の特徴部又は他のページ１１，２１，７１から離隔させ、それによって、集束素子へのダメージ又は摩滅を防ぐ。
【０１００】
集束素子はそれぞれ同一であることが望ましい。しかしながら、集束素子アレイは、互いに異なる任意の特性、例えば、焦点長、を有する素子を含み得る。例えば、集束素子アレイは、各領域において異なる焦点長まで伸びる、互いに異なる高さのレンズを含み得る。集束素子のいくつかは、第１セキュリティ装置３０の画像アレイに焦点を当て、集束素子のいくつかは、第２セキュリティ装置３５の画像アレイに焦点を当て得るので、そのような配置は、図２３の実施形態に特に適切である。代替として、複数の異なるレンズ高さは、複数のレンズ高さそれぞれに対して異なる倍率で画像アレイの画像を形成するために配置され得る。
【０１０１】
画像アレイは、それぞれもまた図形、パターン、証印、英数字、シンボル、ロゴ等である、パターン又はマイクロ画像又は画像素子を有する図形等である。画像アレイは、第１ポリマページ１１、隣接ページ１２及び／若しくは備えられていれば第２ポリマページ７１に直接適用される、又は、上述のように、第１、第２及び／若しくは第３セキュリティ装置３０，３５，８１が、画像アレイが第１、第２若しくは第３構成要素３１，３２，３３として適用されるキャリア基板を有し得る。代替として、画像アレイは、集束素子アレイを介してレーザ光を方向付けすることによって形成される、第１ポリマページ１１、隣接ページ１２及び／若しくは第２ポリマページ７１の内部又はそれら上のレーザマーキングを有してもよい。
【０１０２】
上述の光学的に発生する効果の有効性は、画像アレイが集束素子アレイを介して観察される解法に依拠し得る。それゆえ、各画像素子を形成するラインは、集束素子よりも幅が相当狭い。凹版印刷、グラビア印刷、湿式石版印刷、乾式石版印刷のような印刷技術は、注意深く最適化され、約２５μｍから約５０μｍのオーダーである適切なライン幅を有する印刷インクを得る。しかしながら、より小さい集束素子に対しては、ライン幅は１５μｍ以下であることが望ましく、５μｍ以下であることがより望ましい。ＷＯ−Ａ−２００５／０５２６５０は、そのような小さい次元を達成することに適した技術を開示している。代替として、ＷＯ−Ａ−２０１５／０４４６７１に開示されている技術が用いられ、高い解法画像アレイを形成し、ＵＳ−Ａ−２００９／０２９７８０５、ＷＯ−Ａ−２０１１／１０２８００及びＷＯ−Ａ−２０１４／０７００７９に開示されている技術がマイクロ画像又はマイクロパターンを形成するために用いられ得る。
【０１０３】
Ｅ．個人データ
個人データ１５は、第１ポリマページ１１、第１ポリマページ７１及び／若しくは隣接ページ１２内又はそれら上に提供され、１つ以上のデータページを形成する。ある実施形態において、個人データ１５は、第１ポリマページ１１、隣接ページ１２及び第２ポリマページ７１のうちの２つ又は３つに一部が配置され得る。個人データ１５、例えば、所有者のポートレート２６の一部又は全部は、第１ポリマページ１１、隣接ページ１２及び／若しくは第２ポリマページ７１のそれぞれに複写され得る。
【０１０４】
個人データ１５は、「可変データ」又は「個人データ」として知られており、機密文書１０の特定の所持者の身元を明らかにする。国際民間航空機関（ＩＣＡＯ）発行の文書９３０３の第７編（２０１５年）（機械読み取りトラベルドキュメント）は、そのような個人データを記載しており、その内容が本明細書に援用されている。通常、１つの発行機関が発行した２つの機密文書１０が同一個人データ１５を含むことはない。
【０１０５】
個人データ１５は、通常、インクジェット、ゼログラフィ、グラビア印刷、オフセット、フレキソグラフィック、石版印刷等のような印刷処理によって、第１ポリマページ１１及び／又は隣接ページ１２に適用される。ＵＶ硬化インクジェットシステムは、個人データ１５を第１ポリマ基板２０及び／又は第１ポリマページ１１の少なくとも１つの不透明層２３，２４に印刷することに特に適している。代替として、第１、第２不透明層２３，２４のうちの１つ以上が、内容が本明細書に援用されているＥＰ−Ａ−０９６１６９０に開示されている方法を使って、第１ポリマ基板２０にダメージを与えることなくレーザ切断され得る。結果として、個人データ１５の各構成要素は、第１ポリマページ１１においてフルウィンド又はハーフウィンド（以下でさらに詳細に説明される）を形成し得る。
【０１０６】
個人データ１５は、第１、第２及び／又は第３セキュリティ装置３０，３５，８１から少なくとも一部が形成され、上記のいずれの方法でも形成され得る。特に、個人データの各構成要素は、少なくとも１つの第１、第２及び／若しくは第３構成要素３１，３２，３３及び／又はキャリア基板の外側境界線の形状によって形成され得る。
【０１０７】
個人データ１５は、異なる構成を有するように、異なる適用技術によって第１ポリマページ１１、隣接ページ１２及び／若しくは第２ポリマページ７１のそれぞれに適用される。特に、個人データ１５は、第１ポリマページ１１に対しては可能ではない方法で第２ポリマページ７１に適用される。特に、個人データ１５及び／又は第３セキュリティ装置８１は、第２ポリマ基板７２においてレーザマーキングを有していてもよく、第１ポリマ基板２０は、その材料特性のためレーザマーキングできず、代わりに印刷インク形式で個人データを有する。
【０１０８】
個人データ１５は、ウィンド２５，８０を介して選択的に見ることができる。例えば、いくつかの個人データ１５は、第１、第２ポリマページ１１，７１が互いに隣接するとき、第２ポリマページ７１の少なくとも１つのウィンド８０を介して見ることができるように第１ポリマページ１１に配置され得る。代替として、いくつかの個人データ１５は、第１、第２ポリマページ１１，７１が互いに隣接するとき、第１ポリマページ１１の少なくとも１つのウィンド２５を介して見ることができるように第２ポリマページ７１に配置されてもよい。さらに、個人データ１５のいくつかは、第１、第２ポリマページ１１，７１と隣接ページ１２が互いに隣接するとき、ウィンド２５，８０を介して見ることができるように、隣接ページ１２に配置されてもよい。特定の実施形態において、個人データ１５は、レーザアブレーションを用いて、第１、第２ポリマページ１１，７１に同時に適用され、一致される。
【０１０９】
Ｆ．機密文書と機密文書の製造のさらなる実施形態
上述の実施形態の様々な代替はまた、本発明の領域内に収まる。機密文書１０，７０は、第１ポリマ、第２ポリマ及び／又は隣接ページ１１，１２，７１を有する適切なタイプであり、それゆえ、ブックレット形式であることが望ましい。特に、機密文書１０，７０は、パスブック、身分証明書、証明書、免許証、小切手帳等である。特に、機密文書１０，７０は、所有者の身元や身分を証明し、国境を越えて旅行する権利を与える政府によって発行された公文書である、パスポートであることが望ましい。パスポートは、ＩＣＡＯにより発行された文書９３０３に提示されている要求を満たし得る。
【０１１０】
機密文書１０は、第１及び／又は第２ポリマページ１１，７１のそれぞれを複数有し、繊維性基板１７を有する隣接ページ１２を備えなくてもよい。複数の第１及び／又は第２ポリマページ１１，７１はそれぞれ、複数の第１及び／又は第２ポリマページ１１，７１が互いに隣接しているとき、互いに重なり合うウィンド２５，８０において互いに相互作用するように配置された同一又は異なる第１、第３セキュリティ装置３０，８１を有し得る。
【０１１１】
さらに、機密文書１０，７０における一続きの第１ポリマページ１１、隣接ページ１２及び備えられていれば、第２ポリマページ７１は、上記に提示されたものとは異なっていてもよい。例えば、第２ポリマ基板７２を有する第２ポリマページ７１は、隣接ページと第１ポリマ基板２０を有する第１ポリマページ１１との間に配置され得る。ある実施形態において、機密文書１０，７０は、カバー１３に隣接又は接着された繊維性基板１７の外側ページ６０を有し得る。第３ページ８５を追加する前に第１ページ５４、第２ページ５５及びさらなるページ５６を結びつけることを可能にすることによって機密文書７０の製造の容易性を改善するので、図５に図示された順序が望ましい。
【０１１２】
第１、第２及び第３セキュリティ装置３０，３５，８１は、通常、少なくとも１つのウィンド２５，８０において全て見ることができる。しかしながら、実施形態において、隣接ページ１２は、第２セキュリティ装置３５を有さず、標準的なビザページ１６を形成してもよい。それゆえ、「第２」又は「第３」という言葉が付されたセキュリティ装置３５，８１は、機密文書１０，７０の必要条件に言及しておらず、２つ又は３つの異なるセキュリティ装置３０，３５，８１を有することを意味する。代わりに、単に本開示全体にわたって、「第１」、「第２」及び「第３」という言葉が付されたセキュリティ装置３０，３５，８１が、単に用語体系として使用される。代わりに、第１、第２及び／又は第３セキュリティ装置３０，３５，８１はそれぞれ、第１ポリマページセキュリティ装置３０、隣接ページセキュリティ装置３５及び／又は第２ポリマページセキュリティ装置８１として言及され得る。
【０１１３】
第１ポリマページ１１は、複数のウィンド２５を備えており、それぞれが、それぞれに配置された少なくとも１つの第１セキュリティ装置３０を有しており、備えられていれば、第２ポリマページ７１もまた、複数のウィンド８０を有しており、それぞれが、それぞれに配置された少なくとも１つの第３セキュリティ装置３０を備えている。複数のウィンド２５，８０のそれぞれは、その中に、第１又は第３セキュリティ装置３０，８１を有していないか又は、異なる第１又は第３セキュリティ装置３０，８１を有し得る。
【０１１４】
前記実施形態において、第１及び第３セキュリティ装置３０，８１は、少なくとも一部が、第１及び第２ポリマページ１１，７１のウィンド２５，８０に配置される。しかしながら、少なくとも１つの第１及び／又は第３セキュリティ装置３０，８１は、ウィンド２５，８０の外側の第１及び／又は第２ポリマページ１１，７１に配置され得る。例えば、少なくとも１つのセキュリティ装置３０は、第１ポリマページ１１の少なくとも１つの不透明層２３，２４又は不透明領域７５を覆う第２ポリマページ７１の複数の層の間又はそれらの層の内の１層の内部に配置され得る。少なくとも１つの第１及び／又は第３セキュリティ装置３０，８１はそれぞれ、第１及び第２ポリマページ１１，７１が互いに重なるとき、第２又は第１ポリマページ１１，７１の少なくとも１つのウィンド２５，８０を介し、反射光で依然見ることができる。
【０１１５】
さらに、少なくとも１つの第１及び／又は第３セキュリティ装置３０，８１は、ウィンド２５，８０の外側に配置されるが、それらは、第１及び第２ポリマページ１１，７１が互いに重なり合って配置されるとき、可視又は非可視反射光で共に見ることができるように配置され得る。特に、少なくとも１つの第１又は第３セキュリティ装置３０，８１は、それ／それらが、第１又は第２ポリマページ１１，７１から最も離れた、第１又は第２ポリマページ１１，７１の表面から見ることができるように配置される。例えば、第１セキュリティ装置３０は、図１の実施形態において、第１ポリマページ１１の第２外側表面１９に又は該表面１９の下に配置されてもよいし、図６の実施形態において、第１ポリマページ１１の第２外側表面１９に又は該表面１９の下に配置されてもよい。図６の実施形態において、第３セキュリティ装置８１は、第２ポリマページ７１の第２外側表面７４に又は該表面７４の下に配置され得る。結果として、第１及び第３セキュリティ装置３０，８１は、比較するためにあわせて見られ、それらの一致を確認する。そのような配置にある第１及び第３セキュリティ装置３０，８１は、個人データ１５の複写部分又は独立部分から構成されることが望ましい。そのような配置において、第１及び第３セキュリティ装置３０，８１は、前記一致のいずれかを有する上述のいずれかの種類であり得る。
【０１１６】
少なくとも１つのウィンド２５，８０の境界線は、例えば、認識可能なパターン、証印、英数字、シンボル、ロゴ（例えば機密文書１０の発行機関のロゴ）、図等の適切な形状であり得る。「認識できる」という言葉は、明瞭な情報又はデータのいくつかの形式を伝達する形状を表し得る。少なくとも１つのウィンド２５，８０は、実質的に透明なので、光を通すことができ、そのウィンドを介して物体を見ることができる。少なくとも１つのウィンド８０は、透明、色つき等であり得る。
【０１１７】
さらに、図２４に示されるように、第１ポリマページ１１の少なくとも１つのウィンド２５は、「ハーフ」ウィンドであり得る。不透明層２３，２４は、第１及び第２基板表面２１，２２の一方だけに配置される、又は、第１及び第２不透明層２３，２４が第１及び第２基板表面２１，２２の非対向領域を覆う。従って、第１不透明層２３は、第１基板表面２１の局所領域に存在せず、第２不透明層２４は第２基板表面２２の対向する局所領域に存在する（逆もまた同様である）。局所領域は、第１又は第２基板表面２１，２２上にあり、第２ポリマページ７１に隣接していることが望ましい。第１セキュリティ装置３０は、第２ポリマページ７１の少なくとも１つのウィンド８０を介して見ることができるように、この少なくとも１つのハーフウィンド２５内に配置され得る。従って、ハーフウィンドは、第１及び第２基板表面２１，２２上に第１及び第２不透明層２３，２４を有する第１ポリマページ１１よりも不透明ではないが、フルウィンド２５よりも透明ではない。少なくとも１つのウィンド２５は、フルウィンドとハーフウィンドの組み合わせを有しており、第１ポリマページ１１の端部内又はその１つ以上の端部に配置され得る。特別な実施形態において、フルウィンドは、ハーフウィンド内部又はハーフウィンドに少なくとも一部が重なって配置され得る。
【０１１８】
第１及び／又は第２ポリマページ１１，７１は、端部の少なくとも一部に配置され、それらに沿って広がる所望の形状のさらなるウィンドを有し得る。第１ポリマページ１１の場合、少なくとも１つの不透明層２３，２４は、少なくとも一端部に隣接する第１及び／又は第２基板表面２１，２２から省かれ得る。第２ポリマページ７１の場合、不透明領域７５は、端部に沿った形状等を有し、さらなるウィンドは、上述の又はＷＯ−Ａ−２０１５／１０４０１１に開示された方法に従って形成され得る。代替として、さらなるウィンドは、第１及び第２不透明層１３４，１３５、インレ１３６及び／又は第１中間層１３９の透明な部分を備えることによって形成され得る。
【０１１９】
第１及び／又は第２ポリマページ１１，７１及び／又は隣接ページ１２は、別の適切な追加セキュリティ特徴部を有し得る。図、個人データ１５若しくは別の特徴部は、印刷インクを有しており、インクは、発光性、蛍光性、真珠光沢性等があり得る。別の適切なセキュリティ特徴部は、スレッド、ストリップ、パッチ、ホログラム、キネグラム若しくは回折素子、にじ色又は色シフト材料、マイクロテキスト、細線パターン、潜像、ベネチアンブラインド装置、レンズ状の装置、モアレ干渉、拡大装置、透かし、エンボス加工、穿孔等のうち、少なくとも１つを含み得る。そのような要素を適用するための典型的な技術はいずれも利用でき、接着、ラミネート加工、ホットスタンピング、トランスファ方法等によって接合しながら、硬化性インク又は樹脂を少なくとも１つの不透明層２３，２４及び／又は第１ポリマ基板２０に注ぐことを含む。
【０１２０】
とりわけ少なくとも１つのウィンド８０の周りの第２ポリマページ７１の不透明領域７５は、第１及び第２外側表面７３，７４において見ると、均一な色を形成していることが望ましい。ある実施形態において、不透明領域７５は、反射光で見ると、第１外側表面７３で第１色、第２外側表面７４で第２色として見ることができる。例えば、第２不透明層１３５と第１中間層１３９は、異なる色を形成するために異なる付加剤を有する。第１及び／又は第２外側表面７３，７４を反射ＵＶ光で見ると、異なる色だけが明らかになるように、蛍光性の付加剤が選ばれ得る。特に、付加剤が第１不透明層１３４とインレ１３６に含まれ、かつ／又は、第１不透明層１３４，第２不透明層１３５、インレ１３６及び／若しくは第１中間層１３９が十分に厚ければ、第２ポリマページ７１の厚み内で（つまり、片側から見ると）、異なる色を見ることができる。
【０１２１】
さらに、上記の例のいずれにおいても、機械読み取り材料は、第１ポリマ基板２０かつ／又は第２ポリマ基板７２又は繊維性基板１７に含まれ得る。例えば、機械読み取り材料は、複数のプラスチック層１３２又はインサート１４２のいずれかに含まれ得る。代替として、それらは、さらなる機械読み取り層又は材料を有し得る。機械読み取り材料は、蛍光性、燐光性、赤外線吸収性、熱変色性、光発色性、磁気性、エレクトロクロ−ミック、伝導性及びピエゾクロミック材料を含むがこれらに限定されるわけではない、外部刺激に反応する検知可能な材料を含み得る。
【０１２２】
本発明に係る１つの実施形態は、
第２ポリマページに隣接する第１ポリマページを有する機密文書であって、
前記第１ポリマページは、第１ポリマ基板を備えており、
前記第２ポリマページは、第２ポリマ基板を備えており、
前記第１ポリマ基板は、前記第２ポリマ基板と異なる構造及び／又は材料であり、
前記第２ポリマページは前記第１ポリマページよりも厚い、機密文書である。
【０１２３】
本発明に係る別の実施形態は、
前記第１ポリマ基板が、柔軟性フィルムを備えており、かつ／又は、前記第２ポリマ基板が、硬質プラスチックシートを備えていることを特徴とする機密文書である。
【０１２４】
本発明に係る別の実施形態は、
前記第２ポリマ基板は、融合した複数のプラスチック層から形成されることを特徴とする機密文書である。
【０１２５】
本発明に係る別の実施形態は、
前記第１ポリマ基板は、前記第２ポリマ基板とは異なる合成ポリマを有することを特徴とする機密文書である。
【０１２６】
本発明に係る別の実施形態は、
前記第２ポリマ基板がレーザマーキング可能であり、前記第１ポリマ基板がレーザマーキング可能でないことを特徴とする機密文書である。
【０１２７】
本発明に係る別の実施形態は、
前記第１ポリマ基板が、ポリプロピレン、二軸配向ポリプロピレン、ポリブチレン・テレフタレート、テレフタル酸ポリエチレン、ポリエチレン、ポリ塩化ビニル、ナイロン、アクリル、環状オレフィン系ポリマ若しくは環状オレフィン系共重合体のうちの少なくとも１つ又はそれらの混合物を含むことを特徴とする機密文書である。
【０１２８】
本発明に係る別の実施形態は、
前記第２ポリマ基板が、ポリカーボネイトを含むことを特徴とする機密文書である。
【０１２９】
本発明に係る別の実施形態は、
前記第１ポリマページが、前記第１ポリマ基板の少なくとも１つの表面に、少なくとも１つの不透明な層を備えていることを特徴とする機密文書である。
【０１３０】
本発明に係る別の実施形態は、
前記第２ポリマ基板が、第１外側表面と、第２外側表面と、前記第１外側表面及び／又は前記第２外側表面に隣接する少なくとも１つの実質的に透明な領域と、少なくとも１つの前記実質的に透明な領域によって、前記第１外側表面及び／又は前記第２外側表面から離隔して配置される実質的に不透明な領域とを有することを特徴とする機密文書である。
【０１３１】
本発明に係る別の実施形態は、
前記第１ポリマページの厚さが、約５０μｍ〜約２００μｍ又は約５０μｍ〜約１５０μｍの範囲にあり、かつ／又は、前記第２ポリマ基板の厚さが、少なくとも約３００μｍ、少なくとも約５００μｍ若しくは少なくとも約８００μｍであることを特徴とする機密文書である。
【０１３２】
本発明に係る別の実施形態は、
前記第１ポリマページ及び／又は前記第２ポリマページが、個人データを有することを特徴とする機密文書である。
【０１３３】
本発明に係る別の実施形態は、
前記第１ポリマページの個人データが、異なる適用方法によって適用されるため、前記第２ポリマページの個人データと異なる構成であることを特徴とする機密文書である。
【０１３４】
本発明に係る別の実施形態において、
前記第１ポリマページの前記個人データは、印刷インク又はレーザアブレーションを有しており、前記第２ポリマページの前記個人データはレーザマーキングを有することを特徴とする機密文書である。
【０１３５】
本発明に係る別の実施形態は、
前記第１ポリマページが、少なくとも１つの第１セキュリティ装置を有しており、前記第２ポリマページが、少なくとも１つの第３セキュリティ装置を有しており、隣接ページが備えられていれば、前記隣接ページが少なくとも１つの第２セキュリティ装置を有していることを特徴とする機密文書である。
【０１３６】
本発明に係る別の実施形態は、
前記第１ポリマページ及び／又は前記第２ポリマページが、少なくとも一部が透明な前記第１ポリマ基板及び／又は前記第２ポリマ基板の少なくとも１つのウィンドを構成することを特徴とする機密文書である。
【０１３７】
本発明に係る別の実施形態は、
前記少なくとも１つの第１セキュリティ装置、前記少なくとも１つの第２セキュリティ装置及び／若しくは前記少なくとも１つの第３セキュリティ装置が、前記第１ポリマページと前記第２ポリマページとが互いに重なり合って配置されると、前記少なくとも１つの第１セキュリティ装置、前記少なくとも１つの第２セキュリティ装置及び／若しくは前記少なくとも１つの第３セキュリティ装置が、前記第１ポリマページ及び／又は前記第２ポリマページの少なくとも１つのウィンドを介して反射光で見えるように配置されていることを特徴とする機密文書である。
【０１３８】
本発明に係る別の実施形態は、
前記少なくとも１つの第１セキュリティ装置及び／又は前記少なくとも１つの第３セキュリティ装置が、前記第１ポリマページ及び／又は前記第３ポリマページの前記少なくとも１つのウィンドの外側に配置されることを特徴とする機密文書である。
【０１３９】
本発明に係る別の実施形態は、
前記第１ポリマページ及び前記第２ポリマページが互いに重なって配置されると、前記少なくとも１つの第１セキュリティ装置と前記少なくとも１つの第３セキュリティ装置が、
前記少なくとも１つの第３セキュリティ装置を、前記第１ポリマページの前記少なくとも１つのウィンドを介して反射光で見ることができるとき、前記少なくとも１つの第１セキュリティ装置を前記第１ポリマページ上で反射光により見ることができるように配置される、又は、
前記少なくとも１つの第１セキュリティ装置を、前記第２ポリマページの前記少なくとも１つのウィンドを介して反射光で見ることができるとき、前記少なくとも１つの第３セキュリティ装置を前記第２ポリマページ上で反射光により見ることができるように配置されることを特徴とする機密文書である。
【０１４０】
本発明に係る別の実施形態は、
第１不透明層と第２不透明な層が、前記ポリマ基板の対向する外側表面に配置されており、
前記第１不透明層、及び／又は、前記第２不透明層が、相当する局所領域において除かれており、少なくとも１つのフルウィンド又はハーフウィンドを形成することを特徴とする機密文書である。
【０１４１】
本発明に係る別の実施形態は、
前記不透明な領域の少なくとも一部が、少なくとも１つの第３の実質的に透明な領域の一部を囲み、少なくとも１つのウィンドを形成することを特徴とする機密文書である。
【０１４２】
本発明に係る別の実施形態は、
前記第１ポリマページ又は前記第２ポリマページにおける少なくとも１つのウィンドが、前記第２ポリマページ又は前記第１ポリマページにおける少なくとも１つの隣接ウィンドより小さい機密文書である。
【０１４３】
本発明に係る別の実施形態は、
前記第１ポリマページ又は前記第２ポリマページに隣接する複数のページを有し、
前記複数のページはそれぞれ、繊維性基板を有することを特徴とする機密文書である。
【０１４４】
本発明に係る別の実施形態は、
前記第１ポリマページと、前記第２ポリマページと、備えられていれば、前記複数のページとが折り線に沿って互いに接着されていることを特徴とする機密文書である。
【０１４５】
本発明に係る別の実施形態において、
前記複数のページは複数のビザページを有し、パスポートを形成することを特徴とする機密文書である。
【０１４６】
本発明に係る別の実施形態は、
前記機密文書はそれぞれ、異なる個人データを有することを特徴とする機密文書である。
【０１４７】
本発明に係る別の実施形態は、
フィルムのウェブから前記第１ポリマページを形成する工程と、
ラミネータにおいて、複数のプラスチック層を融合することによって、前記第２ポリマページを形成する工程と、
前記第１ポリマページと前記第２ポリマページを機密文書に組み込む工程と、を有することを特徴とする、機密文書を製造する方法である。
【０１４８】
本発明に係る別の実施形態は、
少なくとも１枚のさらなるページに隣接するポリマページを有する機密文書であって、
前記ポリマページが、ポリマ基板と、前記ポリマ基板の少なくとも一面に少なくとも１つの不透明層とを備えており、
前記ポリマページと前記少なくとも１枚のさらなるページが互いに重なり合って配置されているとき、前記ポリマページを反射光でみると、前記隣接したさらなるページを少なくとも１つのウィンドにおいて見ることができるように、前記少なくとも１つの不透明層が少なくとも１つの局所領域において除かれ、前記少なくとも１つのウィンドを形成することを特徴とする機密文書である。
【０１４９】
本発明に係る別の実施形態は、
前記ポリマページはさらに、少なくとも一部が前記少なくとも１つのウィンド内に配置されている少なくとも１つの第１セキュリティ装置を有しており、前記少なくとも１枚のさらなるページが、少なくとも１つのさらなるセキュリティ装置を有しており、
前記ポリマページと前記少なくとも１枚のさらなるページが互いに重なり合って配置されているとき、前記ポリマページを反射光で見ると、前記第１セキュリティ装置と前記さらなるセキュリティ装置とを見ることができることを特徴とする機密文書である。
【０１５０】
本発明に係る別の実施形態は、
前記ポリマページがさらに、前記少なくとも１つのウィンドの外側に配置された少なくとも１つの第１セキュリティ装置を備えており、
前記ポリマページと前記少なくとも１枚のさらなるページとが互いに重なり合って配置されているとき、前記ポリマページを反射光で見ると、前記第１セキュリティ装置と前記さらなる装置とを見ることができ、
前記第１セキュリティ装置が、前記少なくとも１つのウィンドの外側で見ることができ、前記さらなるセキュリティ装置は、前記少なくとも１つのウィンド内で見ることができることを特徴とする機密文書である。
【０１５１】
本発明に係る別の実施形態は、
第１不透明層と第２不透明層が、前記ポリマ基板の対向する外側表面に配置されており、
前記第１不透明層と前記第２不透明層が、対応する局所領域において除かれ、少なくとも１つのフルウィンドを形成することを特徴とする機密文書である。
【０１５２】
本発明に係る別の実施形態は、
前記第１不透明層と前記第２不透明層が、前記ポリマ基板の対向する外側表面に配置されており、
前記第１不透明層と前記第２不透明層のうち一方のみが、相当する局所領域において除かれ、少なくとも１つのハーフウィンドを形成することを特徴とする機密文書である。
【０１５３】
本発明に係る別の実施形態は、
前記少なくとも１枚のさらなるページが隣接ページを備えており、前記隣接ページが繊維性基板を備えることを特徴とする機密文書である。
【０１５４】
本発明に係る別の実施形態は、
前記隣接ページが、前記繊維性基板に配置された、又は、一部が前記繊維性基板内に配置された第２セキュリティ装置を備えることを特徴とする機密文書である。
【０１５５】
本発明に係る別の実施形態は、
前記第２セキュリティ装置が、前記繊維性基板内に一部が埋め込まれ、かつ、前記少なくとも１つのウィンド内に少なくとも１つの露出領域を有するセキュリティスレッドを備えることを特徴とする機密文書である。
【０１５６】
本発明に係る別の実施形態は、
前記ポリマページが、第１ポリマ基板を有する第１ポリマページであり、前記さらなるページが、第２ポリマ基板を有する第２ポリマページを有することを特徴とする機密文書である。
【０１５７】
本発明に係る別の実施形態において、
前記第２ポリマページは、前記第２ポリマページ上に配置されている、又は、少なくとも一部が前記第２ポリマページ内に埋め込まれている、少なくとも１つの第３セキュリティ装置を備えることを特徴とする機密文書である。
【０１５８】
本発明に係る別の実施形態は、
前記第２ポリマページが、少なくとも１つのウィンドを有し、
前記第３セキュリティ装置が、前記第１ポリマページと前記第２ポリマページが互い重なるとき、前記第１セキュリティ装置と前記第２セキュリティ装置とを前記ウィンド内で見ることができるように、少なくとも一部が前記少なくとも１つのウィンドと重なることを特徴とする機密文書である。
【０１５９】
本発明に係る別の実施形態は、
前記セキュリティ装置はそれぞれ、少なくとも１つの構成要素及び／又はキャリア基板を有することを特徴とする機密文書である。
【０１６０】
本発明に係る別の実施形態は、
前記セキュリティ装置及び／又は前記構成要素の少なくとも１つの境界線が、認識可能なパターン、証印、英数字、シンボル若しくは図形の形状であることを特徴とする機密文書である。
【０１６１】
本発明に係る別の実施形態は、
前記少なくとも１つの第１セキュリティ装置が、少なくとも１つのさらなるセキュリティ装置と同一である、又は、前記少なくとも１つのさらなるセキュリティ装置の少なくとも１つの構成要素と同一の少なくとも１つの構成要素を有することを特徴とする機密文書である。
【０１６２】
本発明に係る別の実施形態は、
前記第１及セキュリティ装置及び／又は前記さらなるセキュリティ装置のうちの少なくとも１つが、変換情報を形成することを特徴とする機密文書である。
【０１６３】
本発明に係る別の実施形態は、
前記第１セキュリティ装置及び／又は前記さらなるセキュリティ装置が、前記少なくとも１つのウィンド内で互いに隣接して見ることができることを特徴とする機密文書である。
【０１６４】
本発明に係る別の実施形態は、
前記第１セキュリティ装置及び／又は前記さらなるセキュリティ装置が、完成図の一部を形成し、
前記完成図が、前記ポリマページと前記さらなるページが互いに重なるとき、前記少なくとも１つのウィンドを介して見ることができることを特徴とする機密文書である。
【０１６５】
本発明に係る別の実施形態は、
前記第１セキュリティ装置及び／又は前記さらなるセキュリティ装置が、実質的に不透明なマスクであり、
前記セキュリティ装置とは別の少なくとも１つの装置が、前記不透明なマスクによって、前記第１セキュリティ装置及び／又は前記さらなるセキュリティ装置周辺に隣接して形成された、レーザマーキングを有することを特徴とする機密文書である。
【０１６６】
本発明に係る別の実施形態は、
前記第１セキュリティ装置及び／又は前記さらなるセキュリティ装置が、前記ポリマページと前記さらなるページが互いに重なると、互いに実質的に重なることを特徴とする機密文書である。
【０１６７】
本発明に係る別の実施形態は、
前記第１ポリマページ又は前記第２ポリマページにおける前記少なくとも１つのウィンドが、前記第２ポリマページ又は前記第１ポリマページにおける少なくとも１つの隣接ウィンドより小さく、
前記第２セキュリティ装置が、内側領域と外側領域を有し、前記第１ポリマページと前記第２ポリマページと隣接ページとが互いに重なると、前記より小さいウィンドにより、前記外側領域が視界から遮られることを特徴とする機密文書である。
【０１６８】
本発明に係る別の実施形態は、
前記第１セキュリティ装置及び／又は前記さらなるセキュリティ装置が、少なくとも一部が透明であり、そのため、別のセキュリティ装置のうちの少なくとも１つが前記第１セキュリティ装置及び／又は前記さらなるセキュリティ装置を介して見ることができることを特徴とする機密文書である。
【０１６９】
本発明に係る別の実施形態は、
前記第１セキュリティ装置及び／又は前記第３セキュリティ装置が、フィルタを有することを特徴とする機密文書である。
【０１７０】
本発明に係る別の実施形態は、
前記第１セキュリティ装置及び／又は前記さらなるセキュリティ装置が、少なくとも１つの集束素子を有しており、
前記少なくとも１つの集束素子が、前記少なくとも１つの集束素子を介して見ると、前記第１セキュリティ装置及び／又は前記さらなるセキュリティ装置とは別のものによって形成されたパターンの画像を形成するように配置されていることを特徴とする機密文書である。
【０１７１】
本発明に係る別の実施形態は、
前記第１セキュリティ装置及び／又は前記さらなるセキュリティ装置が、集束素子アレイを有しており、
少なくとも１つの他のセキュリティ装置が、前記集束素子アレイを介して見ることができる画像アレイを有することを特徴とする機密文書である。
【０１７２】
本発明に係る別の実施形態は、
前記画像アレイが、マイクロ画像を有し、
前記集束素子のピッチと、前記マイクロ画像アレイと、それらの相対配向が、前記集束素子アレイが前記マイクロ画像と協働し、前記モアレ効果によって前記マイクロ画像アレイの拡大版を生じさせるようになっていることを特徴とする機密文書である。
【０１７３】
本発明に係る別の実施形態は、
前記画像アレイが、第１画像の部分を構成する一組の第１画像素子を有し、
前記第１画像素子が、第２画像の部分を構成する一組の第２画像素子に挟み込まれ、
前記集束素子アレイが、各集束素子が、観測角度に応じて、前記第１画像素子の各々、又は、前記第１画像素子の間の前記第２画像素子の各々からの光を方向付けるように構成され、
それにより、前記観測角度に応じて、前記集束素子アレイが、前記一組の第１画像素子、又は、前記一組の第１画像素子の間の前記第２画像素子からの光を方向付け、
それにより、前記装置が傾けられると、前記第１画像が第１観測角度範囲で観測者にしめされ、前記第２画像が、第２の異なる観測角度範囲で観測者に示されることを特徴とする機密文書である。
【０１７４】
本発明に係る別の実施形態は、
前記画像アレイが、マイクロ画像アレイを有し、前記マイクロ画像は全て、異なる観測点から同一対象物を示し、前記集束素子アレイ及び前記マイクロ画像アレイのピッチと配向は同一であり、それにより、前記集束素子アレイが、前記マイクロ画像アレイと協働し、前記対象物の拡大された光学可変版を生じさせることを特徴とする機密文書である。
【０１７５】
本発明に係る別の実施形態は、
前記第１セキュリティ装置及び／又は前記さらなるセキュリティ装置が、光学可変特徴部を有するインクを備えており、観測角度が異なると、前記インクの出現が異なることを特徴とする機密文書である。
【０１７６】
本発明に係る別の実施形態は、
前記第１セキュリティ装置及び／又は前記さらなるセキュリティ装置が、インクを有し、
前記インクが変換光学検知可能材料を有することを特徴とする機密文書である。
【０１７７】
本発明に係る別の実施形態は、
前記第１セキュリティ装置及び／又は前記さらなるセキュリティ装置が、レリーフ構造から生じる光学可変効果を有することを特徴とする機密文書である。
【０１７８】
本発明に係る別の実施形態は、
前記第１セキュリティ装置及び／又は前記さらなるセキュリティ装置が、インク、透かし、電子式透かし、スレッド、ストリップ、パッチ、ウィンド、ホログラム、ホイル、ホットホイル、レーザ穿孔、マイクロテキスト、細線パターン、潜像、ＵＶ反応特徴部、光学可変特徴部、窓付けされた又は透明な特徴部、アンテナ、電子チップ、ベネチアンブラインド装置、レンズ状の装置、モアレ干渉装置、モアレ拡大装置、レンズ、ミラー及び／若しくは集束素子のうち、少なくとも１つを備えることを特徴とする機密文書である。
【０１７９】
本発明に係る別の実施形態において、
前記第３セキュリティ装置は、前記第２ポリマページの端部の間に広がる実質的に不透明なストリップ形態で前記第２ポリマ基板内に配置された印刷インクを有することを特徴とする機密文書である。
【０１８０】
本発明に係る別の実施形態は、
前記第１セキュリティ装置及び／又は前記さらなるセキュリティ装置が、各機密文書内に同一一致を有することを特徴とする複数の機密文書である。
【０１８１】
本発明に係る別の実施形態は、
ポリマ基板を形成する工程と、前記ポリマ基板の少なくとも一面に少なくとも１つの不透明な層を配置し、少なくとも１つの局所領域において前記少なくとも１つの不透明層を除き、少なくとも１つのウィンドを形成する工程とを含む方法でポリマページを形成する第１工程と、
少なくとも１枚のさらなるページを形成する第２工程と、
前記ポリマページを反射光で見ると、前記少なくとも１枚のさらなるページを前記少なくとも１つのウィンド内で見ることができるように、前記ポリマページと前記少なくとも１枚のさらなるページとが互いに重なるように配置され得るように機密文書内に前記ポリマページと前記少なくとも１枚のさらなるページとを配置する第３工程と、を含むことを特徴とする、機密文書を製造する方法である。
【０１８２】
本発明に係る別の実施形態は、
前記ポリマページを反射光で見ると、第１セキュリティ装置とさらなるセキュリティ装置とを前記少なくとも１つのウィンド内で見ることができるように、前記ポリマページと前記少なくとも１枚のさらなるページとが互いに重なるように配置され得るように、
少なくとも１つの前記第１セキュリティ装置の少なくとも一部を前記ポリマページの前記少なくとも１つのウィンド内に配置する工程と、少なくとも１つの前記さらなるセキュリティ装置を前記少なくとも１枚のさらなるページに配置する工程とを有する、ことを特徴とする方法である。
【０１８３】
本発明に係る別の実施形態は、
前記少なくとも１枚のさらなるページは隣接ページを含み、
前記隣接ページが、
繊維を支持基板に配置し、繊維性支持基板の層を形成することと、
前記繊維性基板の層を前記支持表面から広げることと、
前記繊維性基板の層を乾燥させることと、
少なくとも１つの第２セキュリティ装置を前記繊維性基板上に配置すること、又は、前記少なくとも１つの第２セキュリティ装置の一部を前記繊維性基板内に配置することと、
によって形成されることを特徴とする方法である。
【０１８４】
本発明に係る別の実施形態は、
前記第２セキュリティ装置がセキュリティスレッドを有し、
前記セキュリティスレッドを前記支持基板の隆起領域及び／又は排水制限領域と接触させ、前記セキュリティスレッドの一部を前記繊維性基板に埋め込み、少なくとも１つの露出領域を形成する工程と、
前記繊維性基板の層と前記セキュリティスレッドとを前記支持表面から広げる工程とを、さらに含むことを特徴とする方法である。
【０１８５】
本発明に係る別の実施形態は、
前記ポリマページが第１ポリマページを有し、
前記さらなるページが第２ポリマページを有し、
前記第１ポリマページが、第１ポリマ基板を有し、
前記第２ポリマページが、第２ポリマ基板を有し、
少なくとも１つのウィンドを形成する複数のプラスチック層をラミネータに供給する処理工程と、前記ラミネータ内の前記複数のプラスチック層に熱と圧力を加え、プラスチック基板を形成する処理工程とを含む、前記第２ポリマページを形成する工程をさらに含むことを特徴とする方法である。
【０１８６】
本発明に係る別の実施形態は、
少なくとも１つの第３セキュリティ装置の少なくとも一部を前記少なくとも１つのウィンドに組み込む工程を含むことを特徴とする方法である。
【０１８７】
本発明に係る別の実施形態は、
前記複数のプラスチック層が前記ウィンドを形成するために、実質的に透明なインサートを有することを特徴とする方法である。
【０１８８】
本発明に係る別の実施形態は、
前記インサートは少なくとも１つの第３セキュリティ装置を有することを特徴とする方法である。
【０１８９】
本発明に係る別の実施形態は、
少なくとも１つの第３セキュリティ装置が、１つ以上の前記複数のプラスチック層内に組み込まれる、又は、１つ以上の前記複数のプラスチック層の間に配置されることを特徴とする方法である。
【０１９０】
本発明に係る別の実施形態は、
少なくとも１つの第３セキュリティ装置が、前記プラスチック基板の少なくとも一面の外側表面に付加されることを特徴とする方法である。
【手続補正２】
【補正対象書類名】特許請求の範囲
【補正対象項目名】全文
【補正方法】変更
【補正の内容】
【特許請求の範囲】
【請求項１】
第２ポリマページに隣接する第１ポリマページを有する機密文書であって、
前記第１ポリマページは、第１ポリマ基板を備えており、
前記第２ポリマページは、第２ポリマ基板を備えており、
前記第１ポリマ基板は、前記第２ポリマ基板と異なる構造及び／又は材料であり、
前記第２ポリマページは前記第１ポリマページよりも厚い、機密文書。
【請求項２】
前記第１ポリマ基板は、柔軟性フィルムを備えており、かつ／又は、前記第２ポリマ基板は、硬質プラスチックシートを備えている、請求項１に記載の機密文書。
【請求項３】
前記第２ポリマ基板は、融合した複数のプラスチック層から形成される、請求項１又は２に記載の機密文書。
【請求項４】
前記第１ポリマ基板は、前記第２ポリマ基板とは異なる合成ポリマを有する、請求項１〜３のいずれか１つに記載の機密文書。
【請求項５】
前記第２ポリマ基板はレーザマーキングが可能であり、前記第１ポリマ基板はレーザマーキングが可能でない、請求項４に記載の機密文書。
【請求項６】
前記第１ポリマ基板は、ポリプロピレン、二軸配向ポリプロピレン、ポリブチレン・テレフタレート、テレフタル酸ポリエチレン、ポリエチレン、ポリ塩化ビニル、ナイロン、アクリル、環状オレフィン系ポリマ若しくは環状オレフィン系共重合体のうちの少なくとも１つ又はそれらの混合物を含む、請求項１〜５のいずれか１つに記載の機密文書。
【請求項７】
前記第２ポリマ基板は、ポリカーボネイトを含む、請求項１〜６のいずれか１つに記載の機密文書。
【請求項８】
前記第１ポリマページは、前記第１ポリマ基板の少なくとも１つの表面に、少なくとも１つの不透明な層を備えている、請求項１〜７のいずれか１つに記載の機密文書。
【請求項９】
前記第２ポリマ基板は、第１外側表面と、第２外側表面と、前記第１外側表面及び／又は前記第２外側表面に隣接する少なくとも１つの透明な領域と、少なくとも１つの前記透明な領域によって、前記第１外側表面及び／又は前記第２外側表面から離隔して配置される不透明な領域とを有する、請求項１〜８のいずれか１つに記載の機密文書。
【請求項１０】
前記第１ポリマページの厚さは、約５０μｍ〜約２００μｍ又は約５０μｍ〜約１５０μｍの範囲にあり、かつ／又は、前記第２ポリマ基板の厚さは、少なくとも約３００μｍ、少なくとも約５００μｍ若しくは少なくとも約８００μｍである、請求項１〜９のいずれか１つに記載の機密文書。
【請求項１１】
前記第１ポリマページ及び／又は前記第２ポリマページは、個人データを有する、請求項１〜１０のいずれか１つに記載の機密文書。
【請求項１２】
前記第１ポリマページの個人データは、異なる適用方法によって適用されるため、前記第２ポリマページの個人データと異なる構成である、請求項１１に記載の機密文書。
【請求項１３】
前記第１ポリマページは、少なくとも１つの第１セキュリティ装置を有しており、前記第２ポリマページは、少なくとも１つの第３セキュリティ装置を有しており、隣接ページは少なくとも１つの第２セキュリティ装置を有している、請求項１〜１２のいずれか１つに記載の機密文書。
【請求項１４】
前記第１ポリマページ及び／又は前記第２ポリマページは、少なくとも一部が透明な前記第１ポリマ基板及び／又は前記第２ポリマ基板の少なくとも１つのウィンドを構成する、請求項１〜１３のいずれか１つに記載の機密文書。
【請求項１５】
前記第１ポリマページ又は前記第２ポリマページにおける少なくとも１つのウィンドは、前記第２ポリマページ又は前記第１ポリマページにおける少なくとも１つの隣接ウィンドより小さい、請求項１４に記載の機密文書。
【請求項１６】
前記第１ポリマページ又は前記第２ポリマページに隣接する複数のページを有し、
前記複数のページはそれぞれ、繊維性基板を有する、請求項１〜１５のいずれか１つに記載の機密文書。
【請求項１７】
前記第１ポリマページと、前記第２ポリマページと、前記複数のページとが折り線に沿って互いに接着されている、請求項１〜１６にいずれか１つに記載の機密文書。
【請求項１８】
前記複数のページは複数のビザページを有し、パスポートを形成する、請求項１６又は１７に記載の機密文書。
【請求項１９】
前記機密文書はそれぞれ、異なる個人データを有する、請求項１１〜１８のいずれか１つに記載の複数の機密文書。
【請求項２０】
フィルムのウェブから前記第１ポリマページを形成する工程と、
ラミネータにおいて、複数のプラスチック層を融合することによって、前記第２ポリマページを形成する工程と、
前記第１ポリマページと前記第２ポリマページを機密文書に組み込む工程と、を有する、請求項１〜１９に記載のいずれか１つに記載の機密文書を製造する方法。
【国際調査報告】
2019515810.tif 000027
2019515810.tif 000028
2019515810.tif 000029
2019515810.tif 000030
2019515810.tif 000031
2019515810.tif 000032